(57)【要約】  ワイヤレス通信のための技法について説明される。一方法では、ユーザ機器（ＵＥ）は、タイミング同期信号（ＴＳＳ）と物理ブロードキャストチャネル（ＰＢＣＨ）とを受信することと、ＴＳＳが、ブロードキャストチャネル送信時間間隔（ＢＣＨ  ＴＴＩ）内のＴＳＳのタイミングに少なくとも部分的に基づく、ＢＣＨ  ＴＴＩ内のＴＳＳのタイミングを決定することと、ＴＳＳに少なくとも部分的に基づいてＰＢＣＨを復調することとを行う。別の方法では、基地局は、ＢＣＨ  ＴＴＩ内にＴＳＳとＰＢＣＨとのためにリソースを割り振ることと、ＢＣＨ  ＴＴＩ内のＴＳＳのタイミングに少なくとも部分的に基づいてＴＳＳを決定することと、ＴＳＳとＰＢＣＨとのために割り振られたリソース上で、ＴＳＳとＰＢＣＨとを送信することと、ＴＳＳが、ＴＳＳとＰＢＣＨとを送信するために使用される少なくとも１つのポート上でＰＢＣＨのための復調基準信号（ＤＭＲＳ）として送信される、を行う。【選択図】図４
2020515165.tif 000002
【特許請求の範囲】
【請求項１】
ユーザ機器（ＵＥ）におけるワイヤレス通信のための方法
タイミング同期信号（ＴＳＳ）と、プライマリ同期信号（ＰＳＳ）と、セカンダリ同期信号（ＳＳＳ）とを含む同期信号（ＳＳ）ブロックを受信すること、前記ＴＳＳは、前記ＳＳブロックに関連するＳＳブロックインデックスに少なくとも部分的に基づく、と、
前記ＳＳブロックインデックスに少なくとも部分的に基づいて、ブロードキャストチャネル送信時間間隔（ＢＣＨ  ＴＴＩ）内の前記ＳＳブロックのタイミングを決定することと、
前記ＳＳＳに少なくとも部分的に基づいて前記ＴＳＳを復調することと
を備える、方法。
【請求項２】
前記ＴＳＳの波形シグネチャにおいて、または前記ＴＳＳ中の少なくとも１つの変調シンボルにおいて符号化された前記ＳＳブロックインデックスを受信することをさらに備える、
請求項１に記載の方法。
【請求項３】
前記ＳＳブロックインデックスに少なくとも部分的に基づいて、前記ＳＳブロックが受信されるビームを識別することをさらに備える、
請求項１に記載の方法。
【請求項４】
前記ＳＳブロックは、物理ブロードキャストチャネル（ＰＢＣＨ）をさらに含み、前記ＰＢＣＨは、前記ＳＳブロックインデックスに少なくとも部分的に基づいて受信され、前記方法は、
前記ＳＳブロックインデックスに少なくとも部分的に基づいて前記ＰＢＣＨを復号することをさらに備える、
請求項１に記載の方法。
【請求項５】
前記ＳＳブロックは、物理ブロードキャストチャネル（ＰＢＣＨ）をさらに含み、前記方法は、
前記ＳＳＳに少なくとも部分的に基づいて前記ＰＢＣＨを復調することをさらに備える、
請求項１に記載の方法。
【請求項６】
ユーザ機器（ＵＥ）におけるワイヤレス通信のための装置であって、
タイミング同期信号（ＴＳＳ）と、プライマリ同期信号（ＰＳＳ）と、セカンダリ同期信号（ＳＳＳ）とを含む同期信号（ＳＳ）ブロックを受信するための手段、前記ＴＳＳは、前記ＳＳブロックに関連するＳＳブロックインデックスに少なくとも部分的に基づく、と、
前記ＳＳブロックインデックスに少なくとも部分的に基づいて、ブロードキャストチャネル送信時間間隔（ＢＣＨ  ＴＴＩ）内の前記ＳＳブロックのタイミングを決定するための手段と、
前記ＳＳＳに少なくとも部分的に基づいて前記ＴＳＳを復調するための手段と
を備える、装置。
【請求項７】
前記ＴＳＳの波形シグネチャにおいて、または前記ＴＳＳ中の少なくとも１つの変調シンボルにおいて符号化された前記ＳＳブロックインデックスを受信するための手段をさらに備える、
請求項６に記載の装置。
【請求項８】
前記ＳＳブロックインデックスに少なくとも部分的に基づいて、前記ＳＳブロックが受信されるビームを識別するための手段をさらに備える、
請求項６に記載の装置。
【請求項９】
前記ＳＳブロックは、物理ブロードキャストチャネル（ＰＢＣＨ）をさらに含み、前記ＰＢＣＨは、前記ＳＳブロックインデックスに少なくとも部分的に基づいて受信され、前記装置は、
前記ＳＳブロックインデックスに少なくとも部分的に基づいて前記ＰＢＣＨを復号するための手段をさらに備える、
請求項６に記載の装置。
【請求項１０】
前記ＳＳブロックは、物理ブロードキャストチャネル（ＰＢＣＨ）をさらに含み、前記装置は、
前記ＳＳＳに少なくとも部分的に基づいて前記ＰＢＣＨを復調するための手段をさらに備える、
請求項６に記載の装置。
【請求項１１】
ユーザ機器（ＵＥ）におけるワイヤレス通信のための方法であって、
タイミング同期信号（ＴＳＳ）と物理ブロードキャストチャネル（ＰＢＣＨ）とを受信すること、前記ＴＳＳは、ブロードキャストチャネル送信時間間隔（ＢＣＨ  ＴＴＩ）内の前記ＴＳＳのタイミングに少なくとも部分的に基づく、と、
前記ＢＣＨ  ＴＴＩ内の前記ＴＳＳの前記タイミングを決定することと、
前記ＴＳＳに少なくとも部分的に基づいて前記ＰＢＣＨを復調することと
を備える、方法。
【請求項１２】
前記ＴＳＳと前記ＰＢＣＨとを含む同期信号（ＳＳ）ブロックを受信すること、ここにおいて、前記ＴＳＳは、前記ＳＳブロックに関連するＳＳブロックインデックスに少なくとも部分的に基づき、前記ＳＳブロックインデックスは、前記ＢＣＨ  ＴＴＩ内の前記ＴＳＳの前記タイミングを示す、と、
前記ＳＳブロックインデックスに少なくとも部分的に基づいて、前記ＢＣＨ  ＴＴＩを用いて前記ＳＳブロックの前記タイミングを決定することと
をさらに備える、請求項１１に記載の方法。
【請求項１３】
前記ＴＳＳと前記ＰＢＣＨとを受信することは、
前記ＰＢＣＨが受信される１つまたは複数の周波数サブキャリアの第２のセットと重複する１つまたは複数の周波数サブキャリアの第１のセット上で前記ＴＳＳを受信することを備え、
前記１つまたは複数の周波数サブキャリアの第１のセットは、前記１つまたは複数の周波数サブキャリアの第２のセットとは異なる、
請求項１２に記載の方法。
【請求項１４】
前記ＴＳＳと前記ＰＢＣＨとを受信することは、
前記ＰＢＣＨの少なくとも一部分と周波数分割多重化された前記ＴＳＳを受信することを備える、
請求項１３に記載の方法。
【請求項１５】
前記ＳＳブロックは、プライマリ同期信号（ＰＳＳ）とセカンダリ同期信号（ＳＳＳ）とをさらに含み、前記ＳＳＳと前記ＰＢＣＨとを受信することは、前記ＳＳＳの後に前記ＰＢＣＨの第２の部分を受信することを備える、
請求項１４に記載の方法。
【請求項１６】
前記ＴＳＳと前記ＰＢＣＨとを受信することは、
前記ＰＢＣＨが受信される１つまたは複数の周波数サブキャリアの第２のセットとインターリーブされた１つまたは複数の周波数サブキャリアの第１のセット上で前記ＴＳＳを受信することを備える、
請求項１２に記載の方法。
【請求項１７】
前記ＳＳブロックは、プライマリ同期信号（ＰＳＳ）とセカンダリ同期信号（ＳＳＳ）とをさらに含み、前記ＴＳＳと、前記ＰＳＳと、前記ＳＳＳと、前記ＰＢＣＨとを受信することは、
前記インターリーブされたＴＳＳおよびＰＢＣＨと周波数分割多重化された前記ＰＳＳおよび前記ＳＳＳを受信することを備える、
請求項１６に記載の方法。
【請求項１８】
前記ＴＳＳの波形シグネチャにおいて、または前記ＴＳＳ中の少なくとも１つの変調シンボルにおいて符号化された前記ＳＳブロックインデックスを受信することをさらに備える、
請求項１２に記載の方法。
【請求項１９】
前記ＳＳブロックインデックスに少なくとも部分的に基づいて、前記ＳＳブロックが送信されるビームを識別することをさらに備える、
請求項１２に記載の方法。
【請求項２０】
前記ＰＢＣＨは、前記ＳＳブロックインデックスに少なくとも部分的に基づいて受信され、前記方法は、
前記ＳＳブロックインデックスに少なくとも部分的に基づいて前記ＰＢＣＨを復号することをさらに備える、
請求項１２に記載の方法。
【請求項２１】
前記ＳＳブロックは、プライマリ同期信号（ＰＳＳ）とセカンダリ同期信号（ＳＳＳ）とをさらに含み、前記ＳＳＳは、基地局の物理セル識別情報（ＰＣＩ）に少なくとも部分的に基づく、
請求項１２に記載の方法。
【請求項２２】
前記ＳＳブロックは、プライマリ同期信号（ＰＳＳ）とセカンダリ同期信号（ＳＳＳ）とをさらに含み、前記方法は、
前記ＳＳＳに少なくとも部分的に基づいて前記ＰＢＣＨを復調することをさらに備える、
請求項１２に記載の方法。
【請求項２３】
前記ＴＳＳは、前記ＳＳブロックインデックスを符号化する少なくとも１つの変調シンボルを含み、前記方法は、
前記少なくとも１つの変調シンボルにおいて符号化された前記ＳＳブロックインデックスを復号することをさらに備え、
前記少なくとも１つの変調シンボルが４位相シフトキーイング（ＱＰＳＫ）シンボルを含む、
請求項１２に記載の方法。
【請求項２４】
ユーザ機器（ＵＥ）におけるワイヤレス通信のための装置であって、前記装置は、
タイミング同期信号（ＴＳＳ）と物理ブロードキャストチャネル（ＰＢＣＨ）とを受信するための手段、前記ＴＳＳは、ブロードキャストチャネル送信時間間隔（ＢＣＨ  ＴＴＩ）内の前記ＴＳＳのタイミングに少なくとも部分的に基づく、と、
前記ＢＣＨ  ＴＴＩ内の前記ＴＳＳの前記タイミングを決定するための手段と、
前記ＴＳＳに少なくとも部分的に基づいて前記ＰＢＣＨを復調するための手段と
を備える、装置。
【請求項２５】
前記ＴＳＳと前記ＰＢＣＨとを含む同期信号（ＳＳ）ブロックを受信するための手段、ここにおいて、前記ＴＳＳは、前記ＳＳブロックに関連するＳＳブロックインデックスに少なくとも部分的に基づき、前記ＳＳブロックインデックスは、前記ＢＣＨ  ＴＴＩ内の前記ＴＳＳの前記タイミングを示す、と、
前記ＳＳブロックインデックスに少なくとも部分的に基づいて、前記ＢＣＨ  ＴＴＩを用いて前記ＳＳブロックの前記タイミングを決定するための手段と
をさらに備える、請求項２４に記載の装置。
【請求項２６】
前記ＰＢＣＨが受信される１つまたは複数の周波数サブキャリアの第２のセットと重複する１つまたは複数の周波数サブキャリアの第１のセット上で前記ＴＳＳを受信するための手段をさらに備え、
前記１つまたは複数の周波数サブキャリアの第１のセットは、前記１つまたは複数の周波数サブキャリアの第２のセットとは異なる、
請求項２５に記載の装置。
【請求項２７】
前記ＳＳブロックを前記受信するための手段は、
前記ＰＢＣＨの少なくとも一部分と周波数分割多重化された前記ＴＳＳを受信するための手段をさらに備える、
請求項２６に記載の装置。
【請求項２８】
前記ＳＳブロックは、プライマリ同期信号（ＰＳＳ）とセカンダリ同期信号（ＳＳＳ）とをさらに含み、前記ＰＢＣＨの第２の部分は、前記ＳＳＳの後に受信される、
請求項２７に記載の装置。
【請求項２９】
前記ＳＳブロックを前記受信するための手段は、
前記ＰＢＣＨが受信される１つまたは複数の周波数サブキャリアの第２のセットとインターリーブされた１つまたは複数の周波数サブキャリアの第１のセット上で前記ＴＳＳを受信するための手段をさらに備える、
請求項２５に記載の装置。
【請求項３０】
前記ＳＳブロックは、プライマリ同期信号（ＰＳＳ）とセカンダリ同期信号（ＳＳＳ）とをさらに含み、前記装置は、
前記インターリーブされたＴＳＳおよびＰＢＣＨと周波数分割多重化された前記ＰＳＳおよび前記ＳＳＳを受信するための手段をさらに備える、
請求項２９に記載の装置。
【請求項３１】
前記ＳＳブロックを前記受信するための手段は、
前記ＴＳＳの波形シグネチャにおいて、または前記ＴＳＳ中の少なくとも１つの変調シンボルにおいて符号化された前記ＳＳブロックインデックスを受信するための手段をさらに備える、
請求項２５に記載の装置。
【請求項３２】
前記ＳＳブロックインデックスに少なくとも部分的に基づいて、前記ＳＳブロックが送信されるビームを識別するための手段をさらに備える、
請求項２５に記載の装置。
【請求項３３】
前記ＰＢＣＨは、前記ＳＳブロックインデックスに少なくとも部分的に基づいて受信され、前記装置は、
前記ＳＳブロックインデックスに少なくとも部分的に基づいて前記ＰＢＣＨを復号するための手段をさらに備える、
請求項２５に記載の装置。
【請求項３４】
前記ＳＳブロックは、プライマリ同期信号（ＰＳＳ）とセカンダリ同期信号（ＳＳＳ）とをさらに含み、前記ＳＳＳは、基地局の物理セル識別情報（ＰＣＩ）に少なくとも部分的に基づく、
請求項２５に記載の装置。
【請求項３５】
前記ＳＳブロックは、プライマリ同期信号（ＰＳＳ）とセカンダリ同期信号（ＳＳＳ）とをさらに含み、前記装置は、
前記ＳＳＳに少なくとも部分的に基づいて前記ＰＢＣＨを復調するための手段をさらに備える、
請求項２５に記載の装置。
【請求項３６】
前記ＴＳＳは、前記ＳＳブロックインデックスを符号化する少なくとも１つの変調シンボルを含み、前記装置は、
前記少なくとも１つの変調シンボルにおいて符号化された前記ＳＳブロックインデックスを復号するための手段をさらに備え、前記少なくとも１つの変調シンボルは、４位相シフトキーイング（ＱＰＳＫ）シンボルを含む、
請求項２５に記載の装置。
【請求項３７】
同期信号（ＳＳ）ブロックのためにリソースを割り振ることと、
前記ＳＳブロックに関連するＳＳブロックインデックスに少なくとも部分的に基づいてタイミング同期信号（ＴＳＳ）を決定すること、前記ＳＳブロックインデックスがブロードキャストチャネル送信時間間隔（ＢＣＨ  ＴＴＩ）内の前記ＳＳブロックのタイミングを示す、と、
前記ＳＳブロックのために割り振られた前記リソース上で、前記ＴＳＳと、プライマリ同期信号（ＰＳＳ）と、セカンダリ同期信号（ＳＳＳ）とを送信すること、前記ＳＳＳは、前記ＴＳＳと前記ＳＳＳとを送信するために使用される少なくとも１つのポート上で前記ＴＳＳのための復調基準信号（ＤＭＲＳ）として送信される、と
を備える、基地局におけるワイヤレス通信のための方法。
【請求項３８】
前記ＴＳＳの波形シグネチャにおいて前記ＳＳブロックインデックスを符号化すること、または前記ＴＳＳ中の少なくとも１つの変調シンボル中に前記ＳＳブロックインデックスを含めること
をさらに備える、請求項３７に記載の方法。
【請求項３９】
前記ＳＳブロックインデックスは、前記ＳＳブロックが送信されるビームをさらに識別する、
請求項３７に記載の方法。
【請求項４０】
前記ＳＳブロックは、物理ブロードキャストチャネル（ＰＢＣＨ）をさらに含み、前記ＰＢＣＨは、前記ＳＳブロックインデックスに少なくとも部分的に基づいて送信される、
請求項３７に記載の方法。
【請求項４１】
前記ＳＳブロックは、物理ブロードキャストチャネル（ＰＢＣＨ）をさらに含み、前記ＳＳＳは、前記ＳＳＳと前記ＰＢＣＨとを送信するために使用される少なくとも１つのポート上で、前記ＰＢＣＨのためのＤＭＲＳとして送信される、
請求項３７に記載の方法。
【請求項４２】
前記ＳＳブロックは、前記ＢＣＨ  ＴＴＩ内に送信される複数のＳＳブロック中の１つのＳＳブロックである、
請求項３７に記載の方法。
【請求項４３】
基地局におけるワイヤレス通信のための装置であって、前記装置は、
同期信号（ＳＳ）ブロックのためにリソースを割り振るための手段と、
前記ＳＳブロックに関連するＳＳブロックインデックスに少なくとも部分的に基づいてタイミング同期信号（ＴＳＳ）を決定するための手段、前記ＳＳブロックインデックスがブロードキャストチャネル送信時間間隔（ＢＣＨ  ＴＴＩ）内の前記ＳＳブロックのタイミングを示す、と、
前記ＳＳブロックのために割り振られた前記リソース上で、前記ＴＳＳと、プライマリ同期信号（ＰＳＳ）と、セカンダリ同期信号（ＳＳＳ）とを送信するための手段、前記ＳＳＳが、前記ＴＳＳと前記ＳＳＳとを送信するために使用される少なくとも１つのポート上で前記ＴＳＳのための復調基準信号（ＤＭＲＳ）として送信される、と
を備える、装置。
【請求項４４】
前記ＴＳＳの波形シグネチャにおいて前記ＳＳブロックインデックスを符号化するための手段、または前記ＴＳＳ中の少なくとも１つの変調シンボル中に前記ＳＳブロックインデックスを含める、
をさらに備える、請求項４３に記載の装置。
【請求項４５】
前記ＳＳブロックインデックスは、前記ＳＳブロックが送信されるビームをさらに識別する、
請求項４３に記載の装置。
【請求項４６】
基地局におけるワイヤレス通信のための方法であって、
ブロードキャストチャネル送信時間間隔（ＢＣＨ  ＴＴＩ）内にタイミング同期信号（ＴＳＳ）と物理ブロードキャストチャネル（ＰＢＣＨ）とのためにリソースを割り振ることと、
前記ＢＣＨ  ＴＴＩ内の前記ＴＳＳのタイミングに少なくとも部分的に基づいて前記ＴＳＳを決定することと、
前記ＴＳＳと前記ＰＢＣＨとのために割り振られた前記リソース上で、前記ＴＳＳと前記ＰＢＣＨとを送信すること、前記ＴＳＳは、前記ＴＳＳと前記ＰＢＣＨとを送信するために使用される少なくとも１つのポート上で前記ＰＢＣＨのための復調基準信号（ＤＭＲＳ）として送信される、と
を備える、方法。
【請求項４７】
同期信号（ＳＳ）ブロックのためにリソースを割り振ることをさらに備え、前記ＳＳブロックのために割り振られる前記リソースは、前記ＴＳＳと前記ＰＢＣＨとのために割り振られた前記リソースを含み、
前記ＴＳＳの前記タイミングは、前記ＳＳブロックに関連するＳＳブロックインデックスに少なくとも部分的に基づき、前記ＳＳブロックインデックスが前記ＢＣＨ  ＴＴＩ内の前記ＴＳＳの前記タイミングを示し、前記ＴＳＳと前記ＰＢＣＨとは、前記ＳＳブロックを送信することによって送信される、
請求項４６に記載の方法。
【請求項４８】
前記ＴＳＳと前記ＰＢＣＨとを送信することは、
前記ＰＢＣＨが送信される１つまたは複数の周波数サブキャリアの第２のセットと重複する１つまたは複数の周波数サブキャリアの第１のセット上で前記ＴＳＳを送信することを備え、
前記１つまたは複数の周波数サブキャリアの第１のセットは、前記１つまたは複数の周波数サブキャリアの第２のセットとは異なる、
請求項４７に記載の方法。
【請求項４９】
前記ＴＳＳと前記ＰＢＣＨとを送信することは、
前記ＴＳＳと前記ＰＢＣＨの少なくとも一部分とを周波数分割多重化することを備える、
請求項４７に記載の方法。
【請求項５０】
前記ＳＳブロックは、プライマリ同期信号（ＰＳＳ）とセカンダリ同期信号（ＳＳＳ）とをさらに含み、前記ＳＳＳと前記ＰＢＣＨとを送信することは、前記ＳＳＳの後に前記ＰＢＣＨの第２の部分を送信することを備える、
請求項４９に記載の方法。
【請求項５１】
前記ＴＳＳと前記ＰＢＣＨとを送信することは、
前記ＰＢＣＨが送信される１つまたは複数の周波数サブキャリアの第２のセットとインターリーブされた１つまたは複数の周波数サブキャリアの第１のセット上で前記ＴＳＳを送信することを備える、
請求項４７に記載の方法。
【請求項５２】
前記ＳＳブロックは、プライマリ同期信号（ＰＳＳ）とセカンダリ同期信号（ＳＳＳ）とをさらに含み、前記ＴＳＳと、前記ＰＳＳと、前記ＳＳＳと、前記ＰＢＣＨとを送信することは、
前記ＰＳＳと前記ＳＳＳとを、前記インターリーブされたＴＳＳおよびＰＢＣＨと周波数分割多重化することを備える、
請求項５１に記載の方法。
【請求項５３】
前記ＴＳＳの波形シグネチャにおいて前記ＳＳブロックインデックスを符号化すること、または前記ＴＳＳ中の少なくとも１つの変調シンボル中に前記ＳＳブロックインデックスを含めること
をさらに備える、請求項４７に記載の方法。
【請求項５４】
前記ＳＳブロックインデックスは、前記ＳＳブロックが送信されるビームをさらに識別する、
請求項４７に記載の方法。
【請求項５５】
前記ＰＢＣＨは、前記ＳＳブロックインデックスに少なくとも部分的に基づいて送信される、
請求項４７に記載の方法。
【請求項５６】
前記ＳＳブロックは、プライマリ同期信号（ＰＳＳ）とセカンダリ同期信号（ＳＳＳ）とをさらに含み、前記ＳＳＳは、前記基地局の物理セル識別情報（ＰＣＩ）に少なくとも部分的に基づいて決定される、
請求項４７に記載の方法。
【請求項５７】
前記ＳＳブロックは、プライマリ同期信号（ＰＳＳ）とセカンダリ同期信号（ＳＳＳ）とをさらに含み、前記ＳＳＳは、前記ＳＳＳと前記ＰＢＣＨとを送信するために使用される少なくとも１つのポート上で、前記ＰＢＣＨのための追加のＤＭＲＳとして送信される、
請求項４７に記載の方法。
【請求項５８】
基地局におけるワイヤレス通信のための装置であって、前記装置は、
ブロードキャストチャネル送信時間間隔（ＢＣＨ  ＴＴＩ）内にタイミング同期信号（ＴＳＳ）と物理ブロードキャストチャネル（ＰＢＣＨ）とのためにリソースを割り振るための手段と、
前記ＢＣＨ  ＴＴＩ内の前記ＴＳＳのタイミングに少なくとも部分的に基づいて前記ＴＳＳを決定するための手段と、
前記ＴＳＳと前記ＰＢＣＨとのために割り振られた前記リソース上で、前記ＴＳＳと前記ＰＢＣＨとを送信するための手段、前記ＴＳＳは、前記ＴＳＳと前記ＰＢＣＨとを送信するために使用される少なくとも１つのポート上で前記ＰＢＣＨのための復調基準信号（ＤＭＲＳ）として送信される、と
を備える、装置。
【請求項５９】
同期信号（ＳＳ）ブロックのためにリソースを割り振るための手段をさらに備え、前記ＳＳブロックのために割り振られる前記リソースは、前記ＴＳＳと前記ＰＢＣＨとのために割り振られた前記リソースを含み、
前記ＴＳＳの前記タイミングは、前記ＳＳブロックに関連するＳＳブロックインデックスに少なくとも部分的に基づき、前記ＳＳブロックインデックスが前記ＢＣＨ  ＴＴＩ内の前記ＴＳＳの前記タイミングを示し、前記ＴＳＳと前記ＰＢＣＨとが前記ＳＳブロックを送信することによって送信される、
請求項５８に記載の装置。
【請求項６０】
前記ＴＳＳと前記ＰＢＣＨとを前記送信するための手段は、
前記ＰＢＣＨが送信される１つまたは複数の周波数サブキャリアの第２のセットと重複する１つまたは複数の周波数サブキャリアの第１のセット上で前記ＴＳＳを送信するための手段をさらに備え、
前記１つまたは複数の周波数サブキャリアの第１のセットは、前記１つまたは複数の周波数サブキャリアの第２のセットとは異なる、
請求項５９に記載の装置。
【発明の詳細な説明】
【相互参照】
【０００１】
[0001]本特許出願は、それらの各々が本出願の譲受人に譲渡された、２０１８年３月１４日に出願された「Ｔｅｃｈｎｉｑｕｅｓ  ｆｏｒ  Ｃｏｍｍｕｎｉｃａｔｉｎｇ  Ｓｙｎｃｈｒｏｎｉｚａｔｉｏｎ  Ｓｉｇｎａｌ  Ｂｌｏｃｋ  Ｉｎｄｅｘ  ｉｎ  ａ  Ｔｉｍｉｎｇ  Ｓｙｎｃｈｒｏｎｉｚａｔｉｏｎ  Ｓｉｇｎａｌ」と題するＳａｄｉｑらによる米国特許出願第１５／９２１，０２６号と、２０１７年３月２４日に出願された「Ｔｅｃｈｎｉｑｕｅｓ  ｆｏｒ  Ｃｏｍｍｕｎｉｃａｔｉｎｇ  Ｓｙｎｃｈｒｏｎｉｚａｔｉｏｎ  Ｓｉｇｎａｌ  Ｂｌｏｃｋ  Ｉｎｄｅｘ  ｉｎ  ａ  Ｔｉｍｉｎｇ  Ｓｙｎｃｈｒｏｎｉｚａｔｉｏｎ  Ｓｉｇｎａｌ」と題するＳａｄｉｑらによる米国仮特許出願第６２／４７６，６３３号との優先権を主張する。
【技術分野】
【０００２】
[0002]本開示は、たとえば、ワイヤレス通信システムに関し、より詳細には、タイミング同期信号（ＴＳＳ：timing synchronization signal）中で同期信号（ＳＳ：synchronization signal）ブロックインデックスを通信するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]ワイヤレス多元接続通信システムは、場合によってはユーザ機器（ＵＥ）として知られている、複数の通信デバイスのための通信を各々が同時にサポートする、いくつかの基地局を含み得る。ロングタームエボリューション（ＬＴＥ（登録商標））またはＬＴＥアドバンスト（ＬＴＥ−Ａ）ネットワークでは、１つまたは複数の基地局のセットがｅノードＢ（ｅＮＢ）を定義し得る。次世代、新無線（ＮＲ）、ミリメートル波（ｍｍＷ）、または５Ｇネットワークでは、基地局は、スマート無線ヘッド（または無線ヘッド（ＲＨ））またはアクセスノードコントローラ（ＡＮＣ）の形態をとることがあり、スマート無線ヘッドのセットは、ｇノードＢ（ｇＮＢ）を定義するＡＮＣと通信している。基地局は、（たとえば、基地局からＵＥへの送信のためにダウンリンクチャネル上で、および（たとえば、ＵＥから基地局への送信のために）アップリンクチャネル上でＵＥのセット）と通信し得る。
【０００５】
[0005]ｍｍＷ周波数範囲、たとえば、２８ＧＨｚ、４０ＧＨｚ、６０ＧＨｚなどにおいて動作するワイヤレスデバイスは、温度、気圧、回折などの様々な要因によって影響を及ぼされ得る、増加した信号減衰（たとえば、経路損失）に関連付けられることがある。その結果、これらの周波数においてエネルギーをコヒーレントに合成し、経路損失を克服するために、ビームフォーミングなどの信号処理技法が使用されることがある。ある場合には、基地局は、信号が送信されるビームを変更しながら信号を繰り返し送信することによって、ブロードキャストチャネル上で信号を送信し得る（たとえば、基地局は、ビーム掃引を実施しながら複数のビームの各々上で信号を送信し得る）。ある場合には、基地局は、ＳＳブロックを定義する信号のグループを繰り返し送信し得る。ＳＳブロック内で送信される信号は、プライマリ同期信号（ＰＳＳ）、セカンダリ同期信号（ＳＳＳ）、および／または物理ブロードキャストチャネル（ＰＢＣＨ）を含み得る。これらの信号は、たとえば、ネットワークの捕捉のために、または他の目的のためにＵＥによって使用されることがある。ネットワークを捕捉しネットワークと同期するためにＵＥによって使用される従来の技法は不完全である。
【発明の概要】
【０００６】
[0006]説明される技法は、タイミング同期信号（ＴＳＳ）中で同期信号（ＳＳ）ブロックインデックスを通信することをサポートする、改善された方法、システム、およびデバイス、または装置に関する。概して、説明される技法は、ＳＳブロックインデックスを含むＴＳＳをそれぞれ搬送するＳＳブロックのセットを送信する基地局に関し、ユーザ機器（ＵＥ）は、ブロードキャストチャネル送信時間間隔（ＢＣＨ  ＴＴＩ：broadcast channel transmission time interval）に関してＴＳＳのタイミングを決定するためにＳＳブロックインデックスを識別し使用し得る。有益には、ＵＥは、基地局を捕捉し基地局と同期するために必要とされる時間量を低減するためにＴＴＩのタイミングを使用し得る。
【０００７】
[0007]一例では、基地局が、異なるビーム上で（または同じビーム上だが、異なる時間に）重複する信号を搬送する複数のＳＳブロックを送信し、ＵＥがＳＳブロックのうちの１つを受信するとき、ＵＥは、ＵＥが基地局と同期し得るように、スロット境界、サブフレーム境界、フレーム境界、または何らかの他のタイミング基準に関してＳＳブロックのタイミングを決定し得る。ＵＥが、それが受信しているＳＳブロックに関して追加のアプリオリな情報を有する場合、ＵＥは、ＵＥがより迅速に基地局と同期し復調を実施することを可能にする信号のタイミングおよび同期に関して仮定を行うことが可能であり得る。たとえば、基地局が（たとえば、同じアンテナポートから）コヒーレントにＳＳブロック内のすべての信号を送信した場合、ＵＥは、ＳＳブロック内のすべての信号が擬似コロケートされると仮定することができる。すなわち、ＵＥは、たとえば、遅延拡散、ドップラー拡散、ドップラーシフトなど、ＳＳブロック内の信号のいくつかの特性が本質的に不変であると仮定することができる。これは、ＵＥが、たとえば、ＴＳＳのための基準としてＳＳＳを使用することによって基地局とより迅速に同期することを可能にし得、それは、今度は、物理ブロードキャストチャネル（ＰＢＣＨ）のための復調基準信号として働く。ＵＥは、次いで、ＰＢＣＨを復調するためにＴＳＳとＳＳＳを一緒に使用し得る。
【０００８】
[0008]一例では、ＵＥにおけるワイヤレス通信のための方法について説明される。本方法は、ＴＳＳとＰＢＣＨとを受信することと、ＴＳＳが、ブロードキャストチャネル送信時間間隔（ＢＣＨ  ＴＴＩ）内のＴＳＳのタイミングに少なくとも部分的に基づく、ＢＣＨ  ＴＴＩ内のＴＳＳのタイミングを決定することと、ＴＳＳに少なくとも部分的に基づいてＰＢＣＨを復調することとを含み得る。
【０００９】
[0009]一例では、ＵＥにおけるワイヤレス通信のための装置について説明される。本装置は、プロセッサと、プロセッサと電子通信しているメモリと、メモリに記憶された命令とを含み得る。命令は、ＴＳＳとＰＢＣＨとを受信することと、ＴＳＳが、ＢＣＨ  ＴＴＩ内のＴＳＳのタイミングに少なくとも部分的に基づく、ＢＣＨ  ＴＴＩ内のＴＳＳのタイミングを決定することと、ＴＳＳに少なくとも部分的に基づいてＰＢＣＨを復調することとを行うようにプロセッサによって実行可能であり得る。
【００１０】
[0010]一例では、ＵＥにおけるワイヤレス通信のための別の装置について説明される。本装置は、ＴＳＳとＰＢＣＨとを受信するための手段と、ＴＳＳが、ＢＣＨ  ＴＴＩ内のＴＳＳのタイミングに少なくとも部分的に基づく、ＢＣＨ  ＴＴＩ内のＴＳＳのタイミングを決定するための手段と、ＴＳＳに少なくとも部分的に基づいてＰＢＣＨを復調するための手段とを含み得る。
【００１１】
[0011]一例では、ＵＥにおけるワイヤレス通信のためのコンピュータ実行可能コードを記憶する非一時的コンピュータ可読媒体について説明される。コードは、ＴＳＳとＰＢＣＨとを受信することと、ＴＳＳが、ＢＣＨ  ＴＴＩ内のＴＳＳのタイミングに少なくとも部分的に基づく、ＢＣＨ  ＴＴＩ内のＴＳＳのタイミングを決定することと、ＴＳＳに少なくとも部分的に基づいてＰＢＣＨを復調することとを行うようにプロセッサによって実行可能であり得る。
【００１２】
[0012]上記で説明された方法、装置、および非一時的コンピュータ可読媒体のいくつかの例は、ＴＳＳとＰＢＣＨとを含むＳＳブロックを受信することと、ＴＳＳが、ＳＳブロックに関連するＳＳブロックインデックスに少なくとも部分的に基づき得、ＳＳブロックインデックスがＢＣＨ  ＴＴＩ内のＴＳＳのタイミングを示す、ＳＳブロックインデックスに少なくとも部分的に基づいて、ＢＣＨ  ＴＴＩ内のＳＳブロックのタイミングを決定することとを行うためのプロセス、特徴、手段、または命令をさらに含み得る。いくつかの例では、ＴＳＳとＰＢＣＨとを受信することは、１つまたは複数の周波数サブキャリアの同じセット上でＰＢＣＨと時分割多重化されたＴＳＳを受信することを含み得る。いくつかの例では、ＳＳブロックはＰＳＳとＳＳＳとをさらに含み得、ＴＳＳと、ＳＳＳと、ＰＢＣＨとを受信することは、ＳＳＳの後にＰＢＣＨとＴＳＳとを受信することを含み得る。
【００１３】
[0013]いくつかの例では、ＴＳＳとＰＢＣＨとを受信することは、ＰＢＣＨが受信される１つまたは複数の周波数サブキャリアの第２のセットと重複する１つまたは複数の周波数サブキャリアの第１のセット上でＴＳＳを受信することを含み得、１つまたは複数の周波数サブキャリアの第１のセットは、１つまたは複数の周波数サブキャリアの第２のセットとは異なり得る。いくつかの例では、ＴＳＳとＰＢＣＨとを受信することは、ＰＢＣＨの少なくとも一部分と周波数分割多重化されたＴＳＳを受信することを含み得る。いくつかの例では、ＳＳブロックはＰＳＳとＳＳＳとをさらに含み得、ＳＳＳとＰＢＣＨとを受信することは、ＳＳＳの後にＰＢＣＨの第２の部分を受信することを含み得る。
【００１４】
[0014]いくつかの例では、ＴＳＳとＰＢＣＨとを受信することは、ＰＢＣＨが受信される１つまたは複数の周波数サブキャリアの第２のセットとインターリーブされた１つまたは複数の周波数サブキャリアの第１のセット上でＴＳＳを受信することを含み得る。いくつかの例では、ＳＳブロックはＰＳＳとＳＳＳとをさらに含み得、ＴＳＳと、ＰＳＳと、ＳＳＳと、ＰＢＣＨとを受信することは、インターリーブされたＴＳＳおよびＰＢＣＨと周波数分割多重化されたＰＳＳおよびＳＳＳを受信することを含み得る。
【００１５】
[0015]上記で説明された方法、装置、および非一時的コンピュータ可読媒体のいくつかの例は、ＴＳＳの波形シグネチャにおいて、またはＴＳＳ中の少なくとも１つの変調シンボルにおいて符号化されたＳＳブロックインデックスを受信するためのプロセス、特徴、手段、または命令をさらに含み得る。上記で説明された方法、装置、および非一時的コンピュータ可読媒体のいくつかの例は、ＳＳブロックインデックスに少なくとも部分的に基づいて、ＳＳブロックが送信されるビームを識別するためのプロセス、特徴、手段、または命令をさらに含み得る。いくつかの例では、ＰＢＣＨはＳＳブロックインデックスに少なくとも部分的に基づいて受信され得、本方法、装置、および非一時的コンピュータ可読媒体は、ＳＳブロックインデックスに少なくとも部分的に基づいてＰＢＣＨを復号するためのプロセス、特徴、手段、または命令をさらに含み得る。いくつかの例では、ＳＳブロックはＰＳＳとＳＳＳとをさらに含み得、ＳＳＳは基地局の物理セル識別情報（ＰＣＩ：physical cell identity）に少なくとも部分的に基づく。
【００１６】
[0016]いくつかの例では、ＳＳブロックはＰＳＳとＳＳＳとをさらに含み得、本方法、装置、および非一時的コンピュータ可読媒体は、ＳＳＳに少なくとも部分的に基づいてＰＢＣＨを復調するためのプロセス、特徴、手段、または命令をさらに含み得る。いくつかの例では、ＳＳブロックは、ＢＣＨ  ＴＴＩ内の複数のＳＳブロック中の１つのＳＳブロックであり得る。いくつかの例では、ＴＳＳは、ＳＳブロックインデックスを符号化する少なくとも１つの変調シンボルを含み、上記で説明された方法、装置、および非一時的コンピュータ可読媒体は、少なくとも１つの変調シンボル中で符号化されたＳＳブロックインデックスを復号するためのプロセス、特徴、手段、または命令をさらに含み得る。いくつかの例では、少なくとも１つの変調シンボルは４位相シフトキーイング（ＱＰＳＫ）シンボルを含む。
【００１７】
[0017]一例では、基地局におけるワイヤレス通信のための方法について説明される。本方法は、ＢＣＨ  ＴＴＩ内にＴＳＳとＰＢＣＨとのためにリソースを割り振ることと、ＢＣＨ  ＴＴＩ内のＴＳＳのタイミングに少なくとも部分的に基づいてＴＳＳを決定することと、ＴＳＳとＰＢＣＨとのために割り振られたリソース上で、ＴＳＳとＰＢＣＨとを送信することと、ＴＳＳが、ＴＳＳとＰＢＣＨとを送信するために使用される少なくとも１つのポート上でＰＢＣＨのための復調基準信号（ＤＭＲＳ）として送信される、を含み得る。
【００１８】
[0018]一例では、基地局におけるワイヤレス通信のための装置について説明される。本装置は、プロセッサと、プロセッサと電子通信しているメモリと、メモリに記憶された命令とを含み得る。命令は、ＢＣＨ  ＴＴＩ内にＴＳＳとＰＢＣＨとのためにリソースを割り振ることと、ＢＣＨ  ＴＴＩ内のＴＳＳのタイミングに少なくとも部分的に基づいてＴＳＳを決定することと、ＴＳＳとＰＢＣＨとのために割り振られたリソース上で、ＴＳＳとＰＢＣＨとを送信することと、ＴＳＳが、ＴＳＳとＰＢＣＨとを送信するために使用される少なくとも１つのポート上でＰＢＣＨのためのＤＭＲＳとして送信される、を行うようにプロセッサによって実行可能であり得る。
【００１９】
[0019]一例では、基地局におけるワイヤレス通信のための別の装置について説明される。本装置は、ＢＣＨ  ＴＴＩ内にＴＳＳとＰＢＣＨとのためにリソースを割り振るための手段と、ＢＣＨ  ＴＴＩ内のＴＳＳのタイミングに少なくとも部分的に基づいてＴＳＳを決定するための手段と、ＴＳＳとＰＢＣＨとのために割り振られたリソース上で、ＴＳＳとＰＢＣＨとを送信するための手段と、ＴＳＳが、ＴＳＳとＰＢＣＨとを送信するために使用される少なくとも１つのポート上でＰＢＣＨのためのＤＭＲＳとして送信される、を含み得る。
【００２０】
[0020]一例では、基地局におけるワイヤレス通信のためのコンピュータ実行可能コードを記憶する非一時的コンピュータ可読媒体について説明される。コードは、ＢＣＨ  ＴＴＩ内にＴＳＳとＰＢＣＨとのためにリソースを割り振ることと、ＢＣＨ  ＴＴＩ内のＴＳＳのタイミングに少なくとも部分的に基づいてＴＳＳを決定することと、ＴＳＳとＰＢＣＨとのために割り振られたリソース上で、ＴＳＳとＰＢＣＨとを送信することと、ＴＳＳが、ＴＳＳとＰＢＣＨとを送信するために使用される少なくとも１つのポート上でＰＢＣＨのためのＤＭＲＳとして送信される、を行うようにプロセッサによって実行可能であり得る。
【００２１】
[0021]上記で説明された方法、装置、および非一時的コンピュータ可読媒体のいくつかの例は、ＳＳブロックのためにリソースを割り振るためのプロセス、特徴、手段、または命令をさらに含み得、ＳＳブロックのために割り振られるリソースは、ＴＳＳとＰＢＣＨとのために割り振られたリソースを含み、ＴＳＳのタイミングは、ＳＳブロックに関連するＳＳブロックインデックスに少なくとも部分的に基づき得る。ＳＳブロックインデックスはＢＣＨ  ＴＴＩ内のＴＳＳのタイミングを示し得、ＴＳＳとＰＢＣＨとは、ＳＳブロックを送信することによって送信され得る。いくつかの例では、ＴＳＳとＰＢＣＨとを送信することは、１つまたは複数の周波数サブキャリアの同じセット上でＴＳＳをＰＢＣＨと時分割多重化することを含み得る。いくつかの例では、ＳＳブロックはＰＳＳとＳＳＳとをさらに含み得、ＴＳＳと、ＳＳＳと、ＰＢＣＨとを送信することは、ＳＳＳの後にＰＢＣＨとＴＳＳとを送信することを含み得る。
【００２２】
[0022]いくつかの例では、ＴＳＳとＰＢＣＨとを送信することは、ＰＢＣＨが送信される１つまたは複数の周波数サブキャリアの第２のセットと重複する１つまたは複数の周波数サブキャリアの第１のセット上でＴＳＳを送信することを含み得、１つまたは複数の周波数サブキャリアの第１のセットは、１つまたは複数の周波数サブキャリアの第２のセットとは異なり得る。いくつかの例では、ＴＳＳとＰＢＣＨとを送信することは、ＴＳＳとＰＢＣＨの少なくとも一部分とを周波数分割多重化することを含み得る。いくつかの例では、ＳＳブロックはＰＳＳとＳＳＳとをさらに含み得、ＳＳＳとＰＢＣＨとを送信することは、ＳＳＳの後にＰＢＣＨの第２の部分を送信することを含み得る。
【００２３】
[0023]いくつかの例では、ＴＳＳとＰＢＣＨとを送信することは、ＰＢＣＨが送信される１つまたは複数の周波数サブキャリアの第２のセットとインターリーブされた１つまたは複数の周波数サブキャリアの第１のセット上でＴＳＳを送信することを含み得る。いくつかの例では、ＳＳブロックはＰＳＳとＳＳＳとをさらに含み得、ＴＳＳと、ＰＳＳと、ＳＳＳと、ＰＢＣＨとを送信することは、ＰＳＳおよびＳＳＳを、インターリーブされたＴＳＳおよびＰＢＣＨと周波数分割多重化することを含み得る。本方法、装置、および非一時的コンピュータ可読媒体のいくつかの例は、ＴＳＳの波形シグネチャにおいてＳＳブロックインデックスを符号化するか、またはＴＳＳ中の少なくとも１つの変調シンボル中にＳＳブロックインデックスを含めるためのプロセス、特徴、手段、または命令をさらに含み得る。いくつかの例では、ＳＳブロックインデックスは、ＳＳブロックが送信されるビームをさらに識別し得る。
【００２４】
[0024]いくつかの例では、ＰＢＣＨは、ＳＳブロックインデックスに少なくとも部分的に基づいて送信され得る。いくつかの例では、ＳＳブロックはＰＳＳとＳＳＳとをさらに含み得、ＳＳＳは、基地局のＰＣＩに少なくとも部分的に基づいて決定される。いくつかの例では、ＳＳブロックはＰＳＳとＳＳＳとをさらに含み得、ＳＳＳは、ＳＳＳとＰＢＣＨとを送信するために使用される少なくとも１つのポート上で、ＰＢＣＨのための追加のＤＭＲＳとして送信され得る。いくつかの例では、ＳＳブロックは、ＢＣＨ  ＴＴＩ内に送信される複数のＳＳブロック中の１つのＳＳブロックであり得る。本方法、装置、および非一時的コンピュータ可読媒体のいくつかの例は、少なくとも１つの変調シンボルにおいてＳＳブロックインデックスを符号化することと、ＳＳブロックのために割り振られたリソース上で、ＴＳＳを送信することと、ここにおいて、ＴＳＳが少なくとも１つの変調シンボルを含む、を行うためのプロセス、特徴、手段、または命令をさらに含み得る。ある場合には、少なくとも１つの変調シンボルは４位相シフトキーイング（ＱＰＳＫ）シンボルを含む。
【００２５】
[0025]一例では、ＵＥにおけるワイヤレス通信のための別の方法について説明される。本方法は、ＴＳＳと、ＰＳＳと、ＳＳＳとを含むＳＳブロックを受信することと、ＴＳＳが、ＳＳブロックに関連するＳＳブロックインデックスに少なくとも部分的に基づく、ＳＳブロックインデックスに少なくとも部分的に基づいて、ＢＣＨ  ＴＴＩ内のＳＳブロックのタイミングを決定することと、ＳＳＳに少なくとも部分的に基づいてＴＳＳを復調することとを含み得る。
【００２６】
[0026]一例では、ＵＥにおけるワイヤレス通信のための別の装置について説明される。本装置は、プロセッサと、プロセッサと電子通信しているメモリと、メモリに記憶された命令とを含み得る。命令は、ＴＳＳと、ＰＳＳと、ＳＳＳとを含むＳＳブロックを受信することと、ＴＳＳが、ＳＳブロックに関連するＳＳブロックインデックスに少なくとも部分的に基づく、ＳＳブロックインデックスに少なくとも部分的に基づいて、ＢＣＨ  ＴＴＩ内のＳＳブロックのタイミングを決定することと、ＳＳＳに少なくとも部分的に基づいてＴＳＳを復調することとを行うようにプロセッサによって実行可能であり得る。
【００２７】
[0027]一例では、ＵＥにおけるワイヤレス通信のための別の装置について説明される。本装置は、ＴＳＳと、ＰＳＳと、ＳＳＳとを含むＳＳブロックを受信するための手段と、ＴＳＳが、ＳＳブロックに関連するＳＳブロックインデックスに少なくとも部分的に基づく、ＳＳブロックインデックスに少なくとも部分的に基づいて、ＢＣＨ  ＴＴＩ内のＳＳブロックのタイミングを決定するための手段と、ＳＳＳに少なくとも部分的に基づいてＴＳＳを復調するための手段とを含み得る。
【００２８】
[0028]一例では、ＵＥにおけるワイヤレス通信のためのコンピュータ実行可能コードを記憶する非一時的コンピュータ可読媒体について説明される。コードは、ＴＳＳと、ＰＳＳと、ＳＳＳとを含むＳＳブロックを受信することと、ＴＳＳが、ＳＳブロックに関連するＳＳブロックインデックスに少なくとも部分的に基づく、ＳＳブロックインデックスに少なくとも部分的に基づいて、ＢＣＨ  ＴＴＩ内のＳＳブロックのタイミングを決定することと、ＳＳＳに少なくとも部分的に基づいてＴＳＳを復調することとを行うようにプロセッサによって実行可能であり得る。
【００２９】
[0029]上記で説明された方法、装置、および非一時的コンピュータ可読媒体のいくつかの例では、ＳＳブロックはＰＢＣＨをさらに含み得、ＴＳＳとＰＢＣＨとを受信することは、１つまたは複数の周波数サブキャリアの同じセット上でＰＢＣＨと時分割多重化されたＴＳＳを受信することを含み得る。いくつかの例では、ＴＳＳと、ＳＳＳと、ＰＢＣＨとを受信することは、ＳＳＳの後にＰＢＣＨとＴＳＳとを受信することを含み得る。
【００３０】
[0030]上記で説明された方法、装置、および非一時的コンピュータ可読媒体のいくつかの例は、ＴＳＳの波形シグネチャにおいて、またはＴＳＳ中の少なくとも１つの変調シンボルにおいて符号化されたＳＳブロックインデックスを受信するためのプロセス、特徴、手段、または命令をさらに含み得る。
【００３１】
[0031]上記で説明された方法、装置、および非一時的コンピュータ可読媒体のいくつかの例は、ＳＳブロックインデックスに少なくとも部分的に基づいて、ＳＳブロックが受信されるビームを識別するためのプロセス、特徴、手段、または命令をさらに含み得る。
【００３２】
[0032]上記で説明された方法、装置、および非一時的コンピュータ可読媒体のいくつかの例では、ＳＳブロックはＰＢＣＨをさらに含み得、ＰＢＣＨはＳＳブロックインデックスに少なくとも部分的に基づいて受信され得、本方法、装置、および非一時的コンピュータ可読媒体は、ＳＳブロックインデックスに少なくとも部分的に基づいてＰＢＣＨを復号するためのプロセス、特徴、手段、または命令をさらに含み得る。
【００３３】
[0033]上記で説明された方法、装置、および非一時的コンピュータ可読媒体のいくつかの例では、ＳＳＳは、基地局のＰＣＩに少なくとも部分的に基づいて決定され得る。
【００３４】
[0034]上記で説明された方法、装置、および非一時的コンピュータ可読媒体のいくつかの例では、ＳＳブロックはＰＢＣＨをさらに含み得、本方法、装置、および非一時的コンピュータ可読媒体は、ＳＳＳに少なくとも部分的に基づいてＰＢＣＨを復調するためのプロセス、特徴、手段、または命令をさらに含み得る。
【００３５】
[0035]上記で説明された方法、装置、および非一時的コンピュータ可読媒体のいくつかの例では、ＳＳブロックは、ＢＣＨ  ＴＴＩ内の複数のＳＳブロック中の１つのＳＳブロックであり得る。
【００３６】
[0036]一例では、基地局におけるワイヤレス通信のための別の方法について説明される。本方法は、ＳＳブロックのためにリソースを割り振ることと、ＳＳブロックに関連するＳＳブロックインデックスに少なくとも部分的に基づいてＴＳＳを決定することと、ＳＳブロックインデックスがＢＣＨ  ＴＴＩ内のＳＳブロックのタイミングを示す、ＳＳブロックのために割り振られたリソース上で、ＴＳＳと、ＰＳＳと、ＳＳＳとを送信することと、ＳＳＳが、ＴＳＳとＳＳＳとを送信するために使用される少なくとも１つのポート上でＴＳＳのためのＤＭＲＳとして送信される、を含み得る。
【００３７】
[0037]一例では、基地局におけるワイヤレス通信のための別の装置について説明される。本装置は、プロセッサと、プロセッサと電子通信しているメモリと、メモリに記憶された命令とを含み得る。命令は、ＳＳブロックのためにリソースを割り振ることと、ＳＳブロックに関連するＳＳブロックインデックスに少なくとも部分的に基づいてＴＳＳを決定することと、ＳＳブロックインデックスがＢＣＨ  ＴＴＩ内のＳＳブロックのタイミングを示す、ＳＳブロックのために割り振られたリソース上で、ＴＳＳと、ＰＳＳと、ＳＳＳとを送信することと、ＳＳＳが、ＴＳＳとＳＳＳとを送信するために使用される少なくとも１つのポート上でＴＳＳのためのＤＭＲＳとして送信される、を行うようにプロセッサによって実行可能であり得る。
【００３８】
[0038]一例では、基地局におけるワイヤレス通信のための別の装置について説明される。本装置は、ＳＳブロックのためにリソースを割り振るための手段と、ＳＳブロックに関連するＳＳブロックインデックスに少なくとも部分的に基づいてＴＳＳを決定するための手段と、ＳＳブロックインデックスがＢＣＨ  ＴＴＩ内のＳＳブロックのタイミングを示す、ＳＳブロックのために割り振られたリソース上で、ＴＳＳと、ＰＳＳと、ＳＳＳとを送信するための手段と、ＳＳＳが、ＴＳＳとＳＳＳとを送信するために使用される少なくとも１つのポート上でＴＳＳのためのＤＭＲＳとして送信される、を含み得る。
【００３９】
[0039]一例では、基地局におけるワイヤレス通信のためのコンピュータ実行可能コードを記憶する非一時的コンピュータ可読媒体について説明される。コードは、ＳＳブロックのためにリソースを割り振ることと、ＳＳブロックに関連するＳＳブロックインデックスに少なくとも部分的に基づいてＴＳＳを決定することと、ＳＳブロックインデックスがＢＣＨ  ＴＴＩ内のＳＳブロックのタイミングを示す、ＳＳブロックのために割り振られたリソース上で、ＴＳＳと、ＰＳＳと、ＳＳＳとを送信することと、ＳＳＳが、ＴＳＳとＳＳＳとを送信するために使用される少なくとも１つのポート上でＴＳＳのためのＤＭＲＳとして送信される、を行うようにプロセッサによって実行可能であり得る。
【００４０】
[0040]上記で説明された方法、装置、および非一時的コンピュータ可読媒体のいくつかの例では、ＳＳブロックはＰＢＣＨをさらに含み得、ＴＳＳとＰＢＣＨとを送信することは、１つまたは複数の周波数サブキャリアの同じセット上でＴＳＳをＰＢＣＨと時分割多重化することを含み得る。いくつかの例では、ＴＳＳと、ＳＳＳと、ＰＢＣＨとを送信することは、ＳＳＳの後にＰＢＣＨとＴＳＳとを送信することを含み得る。
【００４１】
[0041]上記で説明された方法、装置、および非一時的コンピュータ可読媒体のいくつかの例は、ＴＳＳの波形シグネチャにおいてＳＳブロックインデックスを符号化するか、またはＴＳＳ中の少なくとも１つの変調シンボル中にＳＳブロックインデックスを含めるためのプロセス、特徴、手段、または命令をさらに含み得る。
【００４２】
[0042]上記で説明された方法、装置、および非一時的コンピュータ可読媒体のいくつかの例では、ＳＳブロックインデックスは、ＳＳブロックが送信されるビームをさらに識別し得る。
【００４３】
[0043]上記で説明された方法、装置、および非一時的コンピュータ可読媒体のいくつかの例では、ＳＳブロックはＰＢＣＨをさらに含み得、ＰＢＣＨは、ＳＳブロックインデックスに少なくとも部分的に基づいて送信され得る。
【００４４】
[0044]上記で説明された方法、装置、および非一時的コンピュータ可読媒体のいくつかの例では、ＳＳＳは、基地局のＰＣＩに少なくとも部分的に基づいて決定され得る。
【００４５】
[0045]上記で説明された方法、装置、および非一時的コンピュータ可読媒体のいくつかの例では、ＳＳブロックはＰＢＣＨをさらに含み得、ＳＳＳは、ＳＳＳとＰＢＣＨとを送信するために使用される少なくとも１つのポート上で、ＰＢＣＨのためのＤＭＲＳとして送信される。
【００４６】
[0046]上記で説明された方法、装置、および非一時的コンピュータ可読媒体のいくつかの例では、ＳＳブロックは、ＢＣＨ  ＴＴＩ内に送信される複数のＳＳブロック中の１つのＳＳブロックであり得る。
【００４７】
[0047]一例では、ＵＥにおけるワイヤレス通信のための別の方法について説明される。本方法、少なくとも１つの変調シンボルを含むＴＳＳを含むＳＳブロックを受信することと、少なくとも１つの変調シンボルにおいて符号化されたＳＳブロックインデックスを復号することと、ＳＳブロックインデックスに少なくとも部分的に基づいて、ＢＣＨ  ＴＴＩ内のＳＳブロックのタイミングを識別することと。
【００４８】
[0048]一例では、ＵＥにおけるワイヤレス通信のための別の装置について説明される。本装置は、プロセッサと、プロセッサと電子通信しているメモリと、メモリに記憶された命令とを含み得る。命令は、少なくとも１つの変調シンボルを含むＴＳＳを含むＳＳブロックを受信することと、少なくとも１つの変調シンボルにおいて符号化されたＳＳブロックインデックスを復号することと、ＳＳブロックインデックスに少なくとも部分的に基づいて、ＢＣＨ  ＴＴＩ内のＳＳブロックのタイミングを識別することとを行うようにプロセッサによって実行可能であり得る。
【００４９】
[0049]一例では、ＵＥにおけるワイヤレス通信のための別の装置について説明される。本装置は、少なくとも１つの変調シンボルを含むＴＳＳを含むＳＳブロックを受信するための手段と、少なくとも１つの変調シンボルにおいて符号化されたＳＳブロックインデックスを復号するための手段と、ＳＳブロックインデックスに少なくとも部分的に基づいて、ＢＣＨ  ＴＴＩ内のＳＳブロックのタイミングを識別するための手段とを含み得る。
【００５０】
[0050]一例では、ＵＥにおけるワイヤレス通信のためのコンピュータ実行可能コードを記憶する非一時的コンピュータ可読媒体について説明される。コードは、少なくとも１つの変調シンボルを含むＴＳＳを含むＳＳブロックを受信することと、少なくとも１つの変調シンボルにおいて符号化されたＳＳブロックインデックスを復号することと、ＳＳブロックインデックスに少なくとも部分的に基づいて、ＢＣＨ  ＴＴＩ内のＳＳブロックのタイミングを識別することとを行うようにプロセッサによって実行可能であり得る。
【００５１】
[0051]上記で説明された方法、装置、および非一時的コンピュータ可読媒体のいくつかの例では、少なくとも１つの変調シンボルは、４位相シフトキーイング（ＱＰＳＫ）シンボルまたは２位相シフトキーイング（ＢＰＳＫ）シンボルを含み得る。
【００５２】
[0052]上記で説明された方法、装置、および非一時的コンピュータ可読媒体のいくつかの例は、ＢＣＨ  ＴＴＩ内に、上記ＳＳブロックを含む、複数のＳＳブロックを受信するために使用されるビーム掃引構成の少なくとも１つのパラメータを少なくとも１つの変調シンボルから復号するためのプロセス、特徴、手段、または命令をさらに含み得る。いくつかの例では、ビーム掃引構成の少なくとも１つのパラメータは、ＳＳブロックバーストセット中のビームの数、またはＳＳブロックバーストセットの周期性、あるいはそれらの組合せを含み得る。
【００５３】
[0053]上記で説明された方法、装置、および非一時的コンピュータ可読媒体のいくつかの例では、ＳＳブロックインデックスは、ポーラーコード、またはリードミュラーコード、またはゴレイコード、またはテールバイティング畳み込みコード（ＴＢＣＣ）を使用して少なくとも１つの変調シンボルにおいて符号化され得る。
【００５４】
[0054]上記で説明された方法、装置、および非一時的コンピュータ可読媒体のいくつかの例は、少なくとも１つの変調シンボルにおいて符号化されたＳＳブロックインデックスについてサイクリック冗長検査（ＣＲＣ）を復号することと、ＣＲＣに少なくとも部分的に基づいてＳＳブロックインデックスを検証することとを行うためのプロセス、特徴、手段、または命令をさらに含み得る。
【００５５】
[0055]上記で説明された方法、装置、および非一時的コンピュータ可読媒体のいくつかの例では、ＳＳブロックは、ＰＳＳと、ＳＳＳと、ＰＢＣＨとをさらに含み得る。
【００５６】
[0056]一例では、基地局におけるワイヤレス通信のための別の方法について説明される。本方法、ＳＳブロックのためにリソースを割り振ることと、少なくとも１つの変調シンボルにおいてＳＳブロックインデックスを符号化することと、ＳＳブロックインデックスがＢＣＨ  ＴＴＩ内のＳＳブロックのタイミングを示す、ＳＳブロックのために割り振られたリソース上で、少なくとも１つの変調シンボルを含むＴＳＳを送信することと。
【００５７】
[0057]一例では、基地局におけるワイヤレス通信のための別の装置について説明される。本装置は、プロセッサと、プロセッサと電子通信しているメモリと、メモリに記憶された命令とを含み得る。命令は、ＳＳブロックのためにリソースを割り振ることと、少なくとも１つの変調シンボルにおいてＳＳブロックインデックスを符号化することと、ＳＳブロックインデックスがＢＣＨ  ＴＴＩ内のＳＳブロックのタイミングを示す、ＳＳブロックのために割り振られたリソース上で、少なくとも１つの変調シンボルを含むＴＳＳを送信することとを行うようにプロセッサによって実行可能であり得る。
【００５８】
[0058]一例では、基地局におけるワイヤレス通信のための別の装置について説明される。本装置は、ＳＳブロックのためにリソースを割り振るための手段と、少なくとも１つの変調シンボルにおいてＳＳブロックインデックスを符号化するための手段と、ＳＳブロックインデックスがＢＣＨ  ＴＴＩ内のＳＳブロックのタイミングを示す、ＳＳブロックのために割り振られたリソース上で、少なくとも１つの変調シンボルを含むＴＳＳを送信するための手段とを含み得る。
【００５９】
[0059]一例では、基地局におけるワイヤレス通信のためのコンピュータ実行可能コードを記憶する非一時的コンピュータ可読媒体について説明される。コードは、ＳＳブロックのためにリソースを割り振ることと、少なくとも１つの変調シンボルにおいてＳＳブロックインデックスを符号化することと、ＳＳブロックインデックスがＢＣＨ  ＴＴＩ内のＳＳブロックのタイミングを示す、ＳＳブロックのために割り振られたリソース上で、少なくとも１つの変調シンボルを含むＴＳＳを送信することとを行うようにプロセッサによって実行可能であり得る。
【００６０】
[0060]上記で説明された方法、装置、および非一時的コンピュータ可読媒体のいくつかの例では、少なくとも１つの変調シンボルは、ＱＰＳＫシンボルまたはＢＰＳＫシンボルを含み得る。
【００６１】
[0061]上記で説明された方法、装置、および非一時的コンピュータ可読媒体のいくつかの例は、ＢＣＨ  ＴＴＩ内に、上記ＳＳブロックを含む、複数のＳＳブロックを送信するために使用されるビーム掃引構成の少なくとも１つのパラメータを少なくとも１つの変調シンボルにおいて符号化するためのプロセス、特徴、手段、または命令をさらに含み得る。
【００６２】
[0062]上記で説明された方法、装置、および非一時的コンピュータ可読媒体のいくつかの例では、ビーム掃引構成の少なくとも１つのパラメータは、ＳＳブロックバーストセット中のビームの数、またはＳＳブロックバーストセットの周期性、あるいはそれらの組合せを含み得る。
【００６３】
[0063]上記で説明された方法、装置、および非一時的コンピュータ可読媒体のいくつかの例では、ＳＳブロックインデックスは、ポーラーコード、またはリードミュラーコード、またはゴレイコード、またはＴＢＣＣを使用して少なくとも１つの変調シンボルにおいて符号化され得る。
【００６４】
[0064]上記で説明された方法、装置、および非一時的コンピュータ可読媒体のいくつかの例は、ＳＳブロックインデックスのＣＲＣを生成することと、ＳＳブロックインデックスとともに、少なくとも１つの変調シンボルにおいてＣＲＣを符号化することとを行うためのプロセス、特徴、手段、または命令をさらに含み得る。
【００６５】
[0065]上記で説明された方法、装置、および非一時的コンピュータ可読媒体のいくつかの例では、ＳＳブロックは、ＰＳＳと、ＳＳＳと、ＰＢＣＨとをさらに含み得る。
【００６６】
[0066]一例では、ＵＥにおけるワイヤレス通信のための別の方法について説明される。本方法、ＴＳＳとＰＢＣＨとを含むＳＳブロックを受信することと、ＴＳＳが、ＳＳブロックに関連するＳＳブロックインデックスに少なくとも部分的に基づく、ＤＭＲＳに少なくとも部分的に基づいてＴＳＳとＰＢＣＨとを復調することと、ＳＳブロックインデックスに少なくとも部分的に基づいて、ＢＣＨ  ＴＴＩ内のＳＳブロックのタイミングを識別することと。
【００６７】
[0067]一例では、ＵＥにおけるワイヤレス通信のための別の装置について説明される。本装置は、プロセッサと、プロセッサと電子通信しているメモリと、メモリに記憶された命令とを含み得る。命令は、ＴＳＳとＰＢＣＨとを含むＳＳブロックを受信することと、ＴＳＳが、ＳＳブロックに関連するＳＳブロックインデックスに少なくとも部分的に基づく、ＤＭＲＳに少なくとも部分的に基づいてＴＳＳとＰＢＣＨとを復調することと、ＳＳブロックインデックスに少なくとも部分的に基づいて、ＢＣＨ  ＴＴＩ内のＳＳブロックのタイミングを識別することとを行うようにプロセッサによって実行可能であり得る。
【００６８】
[0068]一例では、ＵＥにおけるワイヤレス通信のための別の装置について説明される。本装置は、ＴＳＳとＰＢＣＨとを含むＳＳブロックを受信するための手段と、ＴＳＳが、ＳＳブロックに関連するＳＳブロックインデックスに少なくとも部分的に基づく、ＤＭＲＳに少なくとも部分的に基づいてＴＳＳとＰＢＣＨとを復調するための手段と、ＳＳブロックインデックスに少なくとも部分的に基づいて、ＢＣＨ  ＴＴＩ内のＳＳブロックのタイミングを識別するための手段とを含み得る。
【００６９】
[0069]一例では、ＵＥにおけるワイヤレス通信のためのコンピュータ実行可能コードを記憶する非一時的コンピュータ可読媒体について説明される。コードは、ＴＳＳとＰＢＣＨとを含むＳＳブロックを受信することと、ＴＳＳが、ＳＳブロックに関連するＳＳブロックインデックスに少なくとも部分的に基づく、ＤＭＲＳに少なくとも部分的に基づいてＴＳＳとＰＢＣＨとを復調することと、ＳＳブロックインデックスに少なくとも部分的に基づいて、ＢＣＨ  ＴＴＩ内のＳＳブロックのタイミングを識別することとを行うようにプロセッサによって実行可能であり得る。
【００７０】
[0070]上記で説明された方法、装置、および非一時的コンピュータ可読媒体のいくつかの例では、ＳＳブロックはＰＳＳとＳＳＳとをさらに含み得、ＤＭＲＳはＳＳＳを含み得る。
【００７１】
[0071]一例では、基地局におけるワイヤレス通信のための別の方法について説明される。本方法、ＳＳブロックのためにリソースを割り振ることと、ＳＳブロックに関連するＳＳブロックインデックスに少なくとも部分的に基づいてＴＳＳを決定することと、ＳＳブロックインデックスがＢＣＨ  ＴＴＩ内のＳＳブロックのタイミングを示す、ＳＳブロックのために割り振られたリソース上で、ＴＳＳとＰＢＣＨとを送信することと、ＳＳブロックが、ＤＭＲＳと、ＴＳＳと、ＰＢＣＨとを送信するために使用される少なくとも１つのポート上でＴＳＳとＰＢＣＨとについて同じＤＭＲＳを含む。
【００７２】
[0072]一例では、基地局におけるワイヤレス通信のための別の装置について説明される。本装置は、プロセッサと、プロセッサと電子通信しているメモリと、メモリに記憶された命令とを含み得る。命令は、ＳＳブロックのためにリソースを割り振ることと、ＳＳブロックに関連するＳＳブロックインデックスに少なくとも部分的に基づいてＴＳＳを決定することと、ＳＳブロックインデックスがＢＣＨ  ＴＴＩ内のＳＳブロックのタイミングを示す、ＳＳブロックのために割り振られたリソース上で、ＴＳＳとＰＢＣＨとを送信することと、ＳＳブロックが、ＤＭＲＳと、ＴＳＳと、ＰＢＣＨとを送信するために使用される少なくとも１つのポート上でＴＳＳとＰＢＣＨとについて同じＤＭＲＳを含む、を行うようにプロセッサによって実行可能であり得る。
【００７３】
[0073]一例では、基地局におけるワイヤレス通信のための別の装置について説明される。本装置は、ＳＳブロックのためにリソースを割り振るための手段と、ＳＳブロックに関連するＳＳブロックインデックスに少なくとも部分的に基づいてＴＳＳを決定するための手段と、ＳＳブロックインデックスがＢＣＨ  ＴＴＩ内のＳＳブロックのタイミングを示す、ＳＳブロックのために割り振られたリソース上で、ＴＳＳとＰＢＣＨとを送信するための手段と、ＳＳブロックが、ＤＭＲＳと、ＴＳＳと、ＰＢＣＨとを送信するために使用される少なくとも１つのポート上でＴＳＳとＰＢＣＨとについて同じＤＭＲＳを含む、を含み得る。
【００７４】
[0074]一例では、基地局におけるワイヤレス通信のためのコンピュータ実行可能コードを記憶する非一時的コンピュータ可読媒体について説明される。コードは、ＳＳブロックのためにリソースを割り振ることと、ＳＳブロックに関連するＳＳブロックインデックスに少なくとも部分的に基づいてＴＳＳを決定することと、ＳＳブロックインデックスがＢＣＨ  ＴＴＩ内のＳＳブロックのタイミングを示す、ＳＳブロックのために割り振られたリソース上で、ＴＳＳとＰＢＣＨとを送信することと、ＳＳブロックが、ＤＭＲＳと、ＴＳＳと、ＰＢＣＨとを送信するために使用される少なくとも１つのポート上でＴＳＳとＰＢＣＨとについて同じＤＭＲＳを含む、を行うようにプロセッサによって実行可能であり得る。
【００７５】
[0075]上記で説明された方法、装置、および非一時的コンピュータ可読媒体のいくつかの例では、ＳＳブロックはＰＳＳとＳＳＳとをさらに含み得、ＤＭＲＳはＳＳＳを含み得る。
【００７６】
[0076]上記は、以下の発明を実施するための形態がより良く理解され得るように、本開示による例の特徴および技術的利点についてかなり広く概説した。追加の特徴および利点について以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して検討すると以下の説明からより良く理解されよう。図の各々は、例示および説明の目的でのみ与えられるものであり、特許請求の範囲の制限の定義として与えられるものではない。
【図面の簡単な説明】
【００７７】
[0077]本発明の本質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。本明細書において第１の参照ラベルのみが使用される場合、説明は、第２の参照ラベルにかかわらず、同じ第１の参照ラベルを有する同様の構成要素のどの１つにも適用可能である。
【図１】本開示の様々な態様による、ワイヤレス通信システムの一例を示す図。
【図２】本開示の様々な態様による、周期的ＢＣＨ  ＴＴＩ内のＳＳブロックの例示的なタイムラインを示す図。
【図３】本開示の様々な態様による、ｍｍＷワイヤレス通信システムの一例を示す図。
【図４】本開示の様々な態様による、ＳＳブロックの例示的な時間周波数プロット。
【図５】本開示の様々な態様による、ＳＳブロックの例示的な時間周波数プロット。
【図６】本開示の様々な態様による、ＳＳブロックの例示的な時間周波数プロット。
【図７】本開示の様々な態様による、ＳＳブロックの例示的な時間周波数プロット。
【図８】本開示の様々な態様による、ワイヤレス通信において使用するための装置のブロック図。
【図９】本開示の様々な態様による、様々なＵＥワイヤレス通信マネージャを含む、ワイヤレス通信において使用するための装置のブロック図。
【図１０】本開示の様々な態様による、様々なＵＥワイヤレス通信マネージャを含む、ワイヤレス通信において使用するための装置のブロック図。
【図１１】本開示の様々な態様による、様々なＵＥワイヤレス通信マネージャを含む、ワイヤレス通信において使用するための装置のブロック図。
【図１２】本開示の様々な態様による、様々なＵＥワイヤレス通信マネージャを含む、ワイヤレス通信において使用するための装置のブロック図。
【図１３】本開示の様々な態様による、ワイヤレス通信において使用するための装置のブロック図。
【図１４】本開示の様々な態様による、様々な基地局ワイヤレス通信マネージャを含む、ワイヤレス通信において使用するための装置のブロック図。
【図１５】本開示の様々な態様による、様々な基地局ワイヤレス通信マネージャを含む、ワイヤレス通信において使用するための装置のブロック図。
【図１６】本開示の様々な態様による、様々な基地局ワイヤレス通信マネージャを含む、ワイヤレス通信において使用するための装置のブロック図。
【図１７】本開示の様々な態様による、様々な基地局ワイヤレス通信マネージャを含む、ワイヤレス通信において使用するための装置のブロック図。
【図１８】本開示の様々な態様による、ワイヤレス通信において使用するためのＵＥのブロック図。
【図１９】本開示の様々な態様による、ワイヤレス通信において使用するための基地局のブロック図。
【図２０】本開示の様々な態様による、ＵＥにおけるワイヤレス通信のための方法の一例を示すフローチャート。
【図２１】本開示の様々な態様による、ＵＥにおけるワイヤレス通信のための方法の一例を示すフローチャート。
【図２２】本開示の様々な態様による、基地局におけるワイヤレス通信のための方法の一例を示すフローチャート。
【図２３】本開示の様々な態様による、基地局におけるワイヤレス通信のための方法の一例を示すフローチャート。
【図２４】本開示の様々な態様による、ＵＥにおけるワイヤレス通信のための方法の一例を示すフローチャート。
【図２５】本開示の様々な態様による、基地局におけるワイヤレス通信のための方法の一例を示すフローチャート。
【図２６】本開示の様々な態様による、ＵＥにおけるワイヤレス通信のための方法の一例を示すフローチャート。
【図２７】本開示の様々な態様による、基地局におけるワイヤレス通信のための方法の一例を示すフローチャート。
【図２８】本開示の様々な態様による、ＵＥにおけるワイヤレス通信のための方法の一例を示すフローチャート。
【図２９】本開示の様々な態様による、基地局におけるワイヤレス通信のための方法の一例を示すフローチャート。
【発明を実施するための形態】
【００７８】
[0098]説明される技法は、タイミング同期信号（ＴＳＳ）中で同期信号（ＳＳ）ブロックインデックスを通信することをサポートする、改善された方法、システム、およびデバイス、または装置に関する。概して、説明される技法は、ＳＳブロックインデックスを含むＴＳＳをそれぞれ搬送するＳＳブロックのセットを送信する基地局に関し、ユーザ機器（ＵＥ）は、ブロードキャストチャネル送信時間間隔（ＢＣＨ  ＴＴＩ）に関してＴＳＳのタイミングを決定するためにＳＳブロックインデックスを識別し使用し得る。有益には、ＵＥは、基地局を捕捉し基地局と同期するために必要とされる時間量を低減するためにＴＴＩのタイミングを使用し得る。
【００７９】
[0099]ワイヤレス通信システム（たとえば、ｍｍＷシステム）は、通信のために指向性のまたはビームフォーミングされた送信（たとえば、ビーム）を利用し得る。たとえば、基地局は、異なる方向に関連付けられた複数のビーム上で信号を送信し得る。ある場合には、基地局は、基地局のカバレージエリア全体にわたって配信されるＵＥに宛てられたメッセージまたは信号を送信するために、可能なビームの一部分（またはすべて）にわたってビーム掃引に関与することがある。ある場合には、基地局は、周期的ＢＣＨ  ＴＴＩ中に、異なるビーム上で、ＳＳブロックの複数のインスタンスを送信することがある。他の場合には、基地局は、同じビーム上で、または全指向性方式でＳＳブロックの複数のインスタンスを送信することがある。ＳＳブロックのうちの１つを受信するＵＥは、基地局に関連するネットワークを捕捉し得る。しかしながら、ネットワークを捕捉する前にまたは捕捉している間に、ＵＥは、それが受信する１つまたは複数のＳＳブロックのタイミングを決定し得る。ある場合には、ＳＳブロックのタイミングは、ＳＳブロックのシーケンス内の上記ＳＳブロックのタイミングを搬送するＳＳブロックインデックスに少なくとも部分的に基づいて決定されることがある。
【００８０】
[0100]本開示で説明される技法は、ＳＳブロックインデックスを搬送するためにＴＳＳを使用する。ＴＳＳは、それがプライマリおよびセカンダリ同期信号（ＰＳＳおよびＳＳＳ）を増補するので、３次同期信号または拡張同期信号と呼ばれることがあり、ＵＥと基地局との間のより効率的な同期を可能にし得る。ＴＳＳは、異なるグラニュラリティで時間同期（たとえば、ＯＦＤＭシンボルタイミング、だが必ずしもＯＦＤＭシンボルインデックスまたはＳＳブロックインデックスとは限らない）を搬送する、ＰＳＳおよびＳＳＳなどの他の同期信号と一緒に送信され得る。たとえば、基地局は、４０個のＳＳブロックを周期的に送信し得る。これらのＳＳブロックのすべてまたは多くは、ＰＳＳ／ＳＳＳおよびＰＢＣＨなど、同等に送信される信号を含んでいることがある。したがって、これらのブロックは区別可能でないことがある。対照的に、ＴＳＳは、あらゆるＳＳブロック中で送信されることも可能であるが、ＳＳブロックインデックスを搬送するためにブロックからブロックへと変化し得る。
【００８１】
[0101]一例では、ＳＳブロックは、（ＰＳＳ、ＳＳＳ、および／またはＴＳＳなどの）１つまたは複数の同期信号を搬送し得る。基地局が（たとえば、同じアンテナポートから）コヒーレントにＳＳブロック内のすべての信号を送信した場合、ＵＥは、同期信号が擬似コロケートされ、したがって、遅延拡散、ドップラー拡散、ドップラーシフトなど、一貫した信号特性を有し得ると仮定することができる。この仮定に基づいて、ＵＥは、たとえば、ＴＳＳのための基準としてＳＳＳを使用することによって基地局とより迅速に同期することが可能であり得、それは、今度は、ＰＢＣＨのための基準として働く。ＵＥは、次いで、ＰＢＣＨを復調するためにＴＳＳとＳＳＳとを一緒に使用し得る。たとえば、ＵＥは、ワイヤレスチャネルを介して送信される、ＴＳＳ、ＳＳＳ、または両方の信号対雑音比（ＳＮＲ）および／または信号対雑音プラス干渉比（ＳＩＮＲ）を決定し、ＰＢＣＨを復調するために決定されたＳＮＲおよび／またはＳＩＮＲを使用する。別の例では、ＵＥは、ＴＳＳ、ＳＳＳ、または両方を使用して、チャネル推定値（たとえば、ワイヤレスチャネルを介した送信によって、ＴＳＳ、ＳＳＳ、または両方に対して引き起こされる位相シフトの推定値）を生成し、そのチャネル推定値を使用してＰＢＣＨを復調し得る。ＰＢＣＨがブロックからブロックへと変化することも可能であるが、ＰＢＣＨの変化を介してＳＳブロックインデックスを決定することは計算量的に複雑であり得るので、ＳＳブロックインデックスを搬送するために代わりにＴＳＳが使用され得る。この場合、ＰＢＣＨの変化は、ＴＳＳを使用して決定されたＳＳブロックインデックスを検証するために使用され得る。
【００８２】
[0102]以下の説明は、例を与えるものであり、特許請求の範囲に記載された範囲、適用可能性、または例を限定するものではない。本開示の範囲から逸脱することなく、論じられる要素の機能および構成に変更が行われ得る。様々な例は、適宜に、様々な手順または構成要素を省略、置換、または追加し得る。たとえば、説明される方法は、説明される順序とは異なる順序で実施され得、様々な動作が追加、省略、または組み合わされ得る。また、いくつかの例に関して説明される特徴は、いくつかの他の例において組み合わされ得る。
【００８３】
[0103]図１は、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）、ＬＴＥアドバンスト（ＬＴＥ−Ａ）ネットワーク、または新無線（ＮＲ）ネットワークであり得る。ある場合には、ワイヤレス通信システム１００は、拡張ブロードバンド通信、超高信頼（すなわち、ミッションクリティカル）通信、低レイテンシ通信、ならびに低コストおよび低複雑度デバイスを用いた通信をサポートし得る。
【００８４】
[0104]基地局１０５は、１つまたは複数の基地局アンテナを介してＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。様々な技法に従ってアップリンクチャネルまたはダウンリンク上で制御情報およびデータが多重化され得る。制御情報およびデータは、たとえば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルのＴＴＩ中に送信される制御情報は、カスケード方式で異なる制御領域間で（たとえば、共通制御領域と１つまたは複数のＵＥ固有制御領域との間で）配信され得る。
【００８５】
[0105]ＵＥ１１５は、ワイヤレス通信システム１００全体にわたって分散されてよく、各ＵＥ１１５は固定型または移動型であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５はまた、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ（ＷＬＬ）局、モノのインターネット（ＩｏＴ：Internet of things）デバイス、あらゆるモノのインターネット（ＩｏＥ：Internet of Everything）デバイス、マシンタイプ通信（ＭＴＣ）デバイス、アプライアンス、自動車などであり得る。
【００８６】
[0106]ある場合には、ＵＥ１１５は、（たとえば、ピアツーピア（Ｐ２Ｐ）またはデバイス間（Ｄ２Ｄ）プロトコルを使用して）他のＵＥと直接通信することも可能であり得る。Ｄ２Ｄ通信を利用しているＵＥ１１５のグループのうちの１つまたは複数が、セルの地理的カバレージエリア１１０内にあり得る。そのようなグループ中の他のＵＥ１１５は、セルの地理的カバレージエリア１１０外にあるか、またはさもなければ、基地局１０５からの送信を受信することができないことがある。ある場合には、Ｄ２Ｄ通信を介して通信しているＵＥ１１５のグループは、各ＵＥ１１５がグループ中のあらゆる他のＵＥ１１５に送信する１対多（１：Ｍ）システムを利用し得る。ある場合には、基地局１０５が、Ｄ２Ｄ通信のためのリソースのスケジューリングを容易にする。他の場合には、Ｄ２Ｄ通信は基地局１０５とは無関係に行われる。
【００８７】
[0107]ＭＴＣまたはＩｏＴデバイスなど、いくつかのＵＥ１１５は、低コストまたは低複雑度デバイスであり得、マシン間の自動通信、すなわち、マシンツーマシン（Ｍ２Ｍ）通信を提供し得る。Ｍ２ＭまたはＭＴＣは、デバイスが人間の介入なしに互いにまたは基地局と通信することを可能にするデータ通信技術を指すことがある。たとえば、Ｍ２ＭまたはＭＴＣは、センサーまたはメーターを組み込んで情報を測定またはキャプチャし、情報を利用することができる中央サーバまたはアプリケーションプログラムにその情報を中継するか、またはプログラムもしくはアプリケーションと対話している人間に情報を提示するデバイスからの通信を指すことがある。いくつかのＵＥ１１５は、情報を収集するか、またはマシンの自動化された挙動を可能にするように設計され得る。ＭＴＣデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネス課金を含む。
【００８８】
[0108]ある場合には、ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。ある場合には、ＭＴＣまたはＩｏＴデバイスは、ミッションクリティカル機能をサポートするように設計され得、ワイヤレス通信システムは、これらの機能に超高信頼通信を提供するように構成され得る。
【００８９】
[0109]基地局１０５は、コアネットワーク１３０とおよび互いに通信し得る。たとえば、基地局１０５は、バックホールリンク１３２（たとえば、Ｓ１など）を通してコアネットワーク１３０とインターフェースし得る。基地局１０５は、直接的または間接的のいずれかで（たとえば、コアネットワーク１３０を通して）、バックホールリンク１３４（たとえば、Ｘ２など）を介して互いに通信し得る。基地局１０５は、ＵＥ１１５との通信のための無線構成およびスケジューリングを実施し得るか、または基地局コントローラ（図示されず）の制御下で動作し得る。いくつかの例では、基地局１０５は、マクロセル、スモールセル、ホットスポットなどであり得る。基地局１０５はｅノードＢ（ｅＮＢ）またはｇノードＢ（ｇＮＢ）と呼ばれることもある。
【００９０】
[0110]基地局１０５は、Ｓ１インターフェースによってコアネットワーク１３０に接続され得る。コアネットワークは、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る、発展型パケットコア（ＥＰＣ）であり得る。ＭＭＥは、ＵＥ１１５とＥＰＣとの間のシグナリングを処理する制御ノードであり得る。すべてのユーザインターネットプロトコル（ＩＰ）パケットはＳ−ＧＷを通して転送され得、Ｓ−ＧＷ自体はＰ−ＧＷに接続され得る。Ｐ−ＧＷは、ＩＰアドレス割振りならびに他の機能を提供し得る。Ｐ−ＧＷはネットワーク事業者ＩＰサービスに接続され得る。事業者ＩＰサービスは、インターネット、イントラネット、ＩＰマルチメディアサブシステム（ＩＭＳ）、およびパケット交換（ＰＳ）を含み得る。
【００９１】
[0111]コアネットワーク１３０は、ユーザ認証と、アクセス許可と、トラッキングと、ＩＰ接続性と、他のアクセス、ルーティング、またはモビリティ機能とを提供し得る。基地局１０５など、ネットワークデバイスのうちの少なくともいくつかは、アクセスノードコントローラ（ＡＮＣ）の一例であり得る、アクセスネットワークエンティティなどの副構成要素を含み得る。各アクセスネットワークエンティティは、それらの各々がスマート無線ヘッド、または送信／受信ポイント（ＴＲＰ）の一例であり得る、いくつかの他のアクセスネットワーク送信エンティティを通していくつかのＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）に統合され得る。
【００９２】
[0112]時々、ＵＥ１１５は、基地局１０５とともに初期アクセス（捕捉）手順を実施するか、基地局１０５と同期するか、または基地局１０５によって送信された信号を測定し得る。初期アクセス手順を実施する（か、または同期するか、または測定を実施する）とき、ＵＥ１１５は、基地局１０５によって送信されるＳＳブロックについてワイヤレススペクトルを探索し得る。ＳＳブロックは、ＵＥ１１５が基地局１０５と（または基地局１０５がそれへのアクセスを提供するネットワークを介して）通信し得るように、ＵＥ１１５を基地局１０５と同期させるためにＵＥ１１５によって使用可能な情報を含み得る。基地局１０５と同期した後に、ＵＥ１１５は、基地局１０５にランダムアクセスプリアンブルを送信することによって基地局１０５とともにランダムアクセス手順を開始し得る。
【００９３】
[0113]図２は、本開示の様々な態様による、周期的ＢＣＨ  ＴＴＩ内のＳＳブロック２０５の例示的なタイムライン２００を示す。ＳＳブロック２０５は基地局によって送信され得、この基地局は、図１を参照しながら説明された基地局１０５のうちの１つまたは複数の態様の一例であり得る。ＵＥは、ＳＳブロック２０５のうちの１つまたは複数を受信し得る。ＵＥは、図１を参照しながら説明されたＵＥ１１５のうちの１つまたは複数の態様の一例であり得る。
【００９４】
[0114]ＳＳブロック２０５は、ＳＳブロックバースト２１０中に連続して送信される複数のＳＳブロック２０５を含み得る。ＳＳブロックバースト２１０はＬ個のＳＳブロック２０５を含み得る。いくつかの例では、ＳＳブロックバースト２１０内のＳＳブロック２０５は、ビーム掃引を使用して異なるビーム上で送信され得る。他の例では、ＳＳブロックバースト２１０内のＳＳブロック２０５は、同じビーム上で、または全指向性方式で送信され得る。いくつかの例では、ＳＳブロック２０５は、ＴＳＳと、ＰＳＳ、ＳＳＳ、またはＰＢＣＨのうちの１つまたは複数とを含み得る。いくつかの例では、ＰＢＣＨは、マスタ情報ブロック（ＭＩＢ）とＴＳＳとを搬送し得る。ＴＳＳは、ＳＳブロックインデックスまたは他のタイミング情報を搬送し得る。一例では、ＴＳＳは、変調シンボルを使用して送られるべきコード化ビットのセットであり得、ここで、コード化ビットは少なくともＳＳブロックインデックスを符号化する。いくつかの例では、コード化ビットは、基地局１０５のビーム掃引構成の１つまたは複数の他のパラメータを含み得る。１つまたは複数のパラメータは、バーストセットの周期性、バーストセット中のビームの数などを含み得る。いくつかの例では、バーストセットは、基地局１０５のカバレージエリアにおいてＳＳブロック２０５を搬送し、周期的に送信されるビームのセットとして定義され得、基地局１０５についてである。
【００９５】
[0115]ＳＳブロックインデックスは、ＳＳブロック２０５のシーケンス内のＴＳＳ（またはＳＳブロック２０５）のタイミング（たとえば、ＳＳブロックバースト２１０内のＴＳＳ（またはＳＳブロック２０５）のタイミング）を示し得る。ＳＳブロックインデックスは、したがって、ＳＳブロックバーストセット２１５内のおよびＢＣＨ  ＴＴＩ２２０内のＳＳブロック２０５のタイミングをも示し得る（とはいえ、ある場合には、ＳＳブロックバーストセット２１５またはＢＣＨ  ＴＴＩ２２０内のＳＳブロック２０５のタイミングを完全に決定するために、ＳＳブロックインデックスによって示されるタイミングと他のタイミング情報が組み合わされる必要があり得る）。いくつかの例では、ＳＳブロックインデックスは、ＳＳブロック２０５が送信されるビームをも示し得る。いくつかの例では、ＳＳブロックインデックスは、ＴＳＳの波形シグネチャにおいて符号化され得る（たとえば、ＳＳブロックインデックスはシーケンスベースであり得る）か、またはＴＳＳ中の少なくとも１つの変調シンボル中に含められ得る（たとえば、ＳＳブロックインデックスはメッセージベースであり得る）。いくつかの例では、ＳＳブロック２０５のＳＳＳは、ＳＳブロック２０５を送信した基地局の物理セル識別情報（ＰＣＩ）に少なくとも部分的に基づき得る。
【００９６】
[0116]ＳＳブロックバーストセット２１５内で複数のＳＳブロックバースト２１０が送信され得る。いくつかの例では、ＳＳブロックバーストセット２１５中のＳＳブロックバースト２１０は、異なるＰＢＣＨ冗長バージョン（ＲＶ）に関連付けられ得る。ある場合には、ＳＳブロックバーストセット２１５はｎ個のＳＳブロックバースト２１０を含み得る。ＳＳブロックバーストセット２１５内のＳＳブロックバースト２１０は時間的に分離していることがある。
【００９７】
[0117]ＢＣＨ  ＴＴＩ２２０内に複数のＳＳブロックバーストセット２１５が送信され得る。本開示では、ＢＣＨ  ＴＴＩは、ＳＳブロックがＳＳブロックバースト２１０に割り振られるかＳＳブロックバーストセット２１５に割り振られるかにかかわらず、同じシステム情報とともに複数のＳＳブロックが送信される何らかの時間間隔を含むように定義される。いくつかの例では、ＢＣＨ  ＴＴＩ２２０中のＳＳブロックバーストセット２１５は異なるＳＳＳに関連付けられ得る。ある場合には、ＢＣＨ  ＴＴＩ２２０はｍ個のＳＳブロックバーストセット２１５を含み得る。
【００９８】
[0118]ｍ＝２、ｎ＝４、およびＬ＝１４のとき、ＢＣＨ  ＴＴＩ２２０内に送信されるＳＳブロック２０５の数は１１２であり得る（たとえば、ｍ・ｎ・Ｌ＝１１２）。他の例では、ｍ、ｎ、およびＬの値は、より高くなるかまたはより低くなり得る。とにかく、ＳＳブロック２０５のうちの１つを受信するＵＥは、ＳＳブロックバースト２１０、ＳＳブロックバーストセット２１５、および／またはＢＣＨ  ＴＴＩ２２０内のＳＳブロック２０５のタイミングを決定する必要があり得る。
【００９９】
[0119]図３は、本開示の様々な態様による、ｍｍＷワイヤレス通信システム３００の一例を示す。ｍｍＷワイヤレス通信システム３００は、図１を参照しながら説明された基地局１０５またはＵＥ１１５のうちの１つまたは複数の態様の例であり得る、基地局３０５とＵＥ３１５とを含み得る。
【０１００】
[0120]ｍｍＷ周波数における信号減衰および経路損失を克服するために、基地局３０５とＵＥ３１５は、１つまたは複数のビーム（すなわち、指向性ビーム）上で互いに通信し得る。図示のように、基地局３０５は、複数のビーム３２０上で（たとえば、第１のビーム３２０−ａと、第２のビーム３２０−ｂと、第３のビーム３２０−ｃと、第４のビーム３２０−ｄと、第５のビーム３２０−ｅと、第６のビーム３２０−ｆとをたとえば含む、異なる指向性ビーム３２０上で）信号を送信し得る。他の例では、基地局３０５は、より多いまたはより少ないビーム３２０上で送信し得る。
【０１０１】
[0121]いくつかの例では、基地局３０５は、ビーム３２０の各々上でＳＳブロックを送信し得、ＵＥ３１５は、ビーム３２０のうちの１つ上でＳＳブロックを受信し得る。ＵＥ３１５は、基地局３０５がそれへのアクセスを提供するネットワークを捕捉するために、ＳＳブロックのタイミングと、ＳＳブロックが受信されるビーム３２０とを決定し得る。いくつかの例では、ＵＥ３１５は、ＳＳブロック中に含まれるＴＳＳによって搬送されるＳＳブロックインデックスに少なくとも部分的に基づいてＳＳブロックのタイミングを決定しおよび／またはＳＳブロックが受信されるビーム３２０を識別し得る。
【０１０２】
[0122]図４〜図７は、様々な構成を有するＳＳブロックの時間周波数プロットの例を示す。
【０１０３】
[0123]図４は、本開示の様々な態様による、ＳＳブロック４０５の例示的な時間周波数プロット４００を示す。ＳＳブロック４０５は、図４に示されている順序で１つまたは複数の周波数サブキャリアの同じセット上で時分割多重化され送信される、ＰＳＳ４１０と、ＳＳＳ４１５と、ＰＢＣＨの第１の部分４２０−ａと、ＴＳＳ４２５と、ＰＢＣＨの第２の部分４２０−ｂとを含む。
【０１０４】
[0124]図５は、本開示の様々な態様による、ＳＳブロック５０５の例示的な時間周波数プロット５００を示す。ＳＳブロック５０５は、図５に示されている順序で１つまたは複数の周波数サブキャリアの同じセット上で時分割多重化され送信される、ＰＳＳ５２０と、ＳＳＳ５２５と、ＰＢＣＨの第２の部分５１０−ｂとを含む。ＳＳブロック５０５はまた、ＰＳＳ５２０の前に周波数分割多重化され送信される、ＰＢＣＨの第１の部分５１０−ａとＴＳＳ５１５とを含み得る。ＴＳＳ５１５は、したがって、ＰＳＳ５２０と、ＳＳＳ５２５と、ＰＢＣＨ５１０とが送信される周波数サブキャリアの第２のセットと重複する１つまたは複数の周波数サブキャリアの第１のセット上で送信される。
【０１０５】
[0125]図６は、本開示の様々な態様による、ＳＳブロック６０５の例示的な時間周波数プロット６００を示す。ＳＳブロック６０５は、図６に示されている順序で時分割多重化され送信される、ＰＳＳ６１０と、ＰＢＣＨの第１の部分６１５−ａと、ＳＳＳ６２０と、ＴＳＳ６２５と、ＰＢＣＨの第２の部分６１５−ｂとを含む。
【０１０６】
[0126]図７は、本開示の様々な態様による、ＳＳブロック７０５の例示的な時間周波数プロット７００を示す。ＳＳブロック７０５は、図７に示されている順序で時分割多重化され周波数サブキャリア（またはリソースブロック）の範囲にわたって送信される、ＰＳＳ７１０とＳＳＳ７１５とを含む。ＳＳブロック７０５はまた、ＰＢＣＨが送信される周波数サブキャリアの第２のセットとインターリーブされた周波数サブキャリアの第１のセット上で送信されるＴＳＳを含み得る。ＴＳＳとＰＢＣＨとがその上で送信される、インターリーブされた周波数サブキャリア７２０−ａおよび７２０−ｂは、ＰＳＳ７１０およびＳＳＳ７１５と周波数分割多重化され得、ある場合には、ＴＳＳとＰＢＣＨとがその上で送信される、インターリーブされた周波数サブキャリア７２０−ａおよび７２０−ｂは、ＰＳＳ７１０とＳＳＳ７１５とが送信される周波数サブキャリアの範囲の両端上の周波数サブキャリアを含み得る。
【０１０７】
[0127]いくつかの例では、図２および図４〜図７のいずれかを参照しながら説明されたＴＳＳは、ＢＣＨ  ＴＴＩ内のＴＳＳのタイミングに少なくとも部分的に基づき、および／またはＴＳＳが送信されるＳＳブロックに関連するＳＳブロックインデックスに少なくとも部分的に基づき得る。ＳＳブロックインデックスはＢＣＨ  ＴＴＩ内のＴＳＳのタイミングを示し得る（たとえば、ＳＳブロックインデックスは、ＢＣＨ  ＴＴＩ内のＴＳＳのタイミングを部分的にまたは完全に示し得る）。ＴＳＳは、ＴＳＳとＰＢＣＨとを送信するために使用される少なくとも１つのポート上で、ＰＢＣＨのためのＤＭＲＳとして送信され（使用され）得る。たとえば、ＴＳＳは、ＰＢＣＨを介した送信を送信するために使用されるのと同じポートからコヒーレントに送信され得る。図４〜図６に示されている例では、ＳＳＳも、ＳＳＳとＰＢＣＨとを送信するために使用される少なくとも１つのポート上で、ＰＢＣＨのためのＤＭＲＳとして送信され（使用され）得る。たとえば、ＳＳＳは、ＰＢＣＨを介した送信を送信するために使用されるのと同じポートからコヒーレントに送信され得る。いくつかの例では、ＴＳＳとＰＢＣＨは同じＳＳブロック内で送信され得る。他の例では、ＴＳＳとＰＢＣＨは同じＳＳブロック中で送信されないことがある。
【０１０８】
[0128]いくつかの例では、図２、図４、および図６のいずれかを参照しながら説明されたＳＳＳは、ＳＳＳとＴＳＳとを送信するために使用される少なくとも１つのポート上で、ＴＳＳのためのＤＭＲＳとして送信され（使用され）得る。等価的に、ＴＳＳは、ＳＳＳとともにコヒーレントに送信／検出され得る。ＴＳＳは、ＢＣＨ  ＴＴＩ内のＴＳＳのタイミングに少なくとも部分的に基づき、および／またはＴＳＳが送信されるＳＳブロックに関連するＳＳブロックインデックスに少なくとも部分的に基づき得る。ＳＳＳも、ＳＳＳとＰＢＣＨとを送信するために使用される少なくとも１つのポート上で、ＰＢＣＨのためのＤＭＲＳとして送信され（使用され）得る。いくつかの例では、ＴＳＳとＰＢＣＨは同じＳＳブロック内で送信され得る。他の例では、ＴＳＳとＰＢＣＨはＳＳブロック中で送信されないことがある。
【０１０９】
[0129]いくつかの例では、図２、図４、図６、および図７のいずれかを参照しながら説明されたＳＳブロック中で送信されるＤＭＲＳは、ＳＳブロック中で送信されるＴＳＳとＰＢＣＨの両方のためのＤＭＲＳとして送信され（使用され）得る。図４および図６を参照しながら説明された例では、ＤＭＲＳはＳＳＳを含み得る。
【０１１０】
[0130]いくつかの例では、ＴＳＳは、メッセージベースであり、ＳＳブロックインデックスがその中で符号化された少なくとも１つの変調シンボルを含み得る。少なくとも１つの変調シンボルは、たとえば、ＱＰＳＫシンボルまたはＢＰＳＫシンボルを含み得る。いくつかの例では、ＳＳブロックインデックスは、ポーラーコード、またはリードミュラーコード、またはゴレイコード、またはＴＢＣＣを使用して少なくとも１つの変調シンボルにおいて符号化され得る。いくつかの例では、ＳＳブロックインデックスについてのサイクリック冗長検査（ＣＲＣ）が、少なくとも１つの変調シンボル中で符号化され得、ＳＳブロックインデックスを検証するためにＵＥによって使用され得る。一例では、ポーラーコード、またはリードマラーコード、またはゴレイコード、またはＴＢＣＣなどを使用して、ＳＳブロックインデックスを示すＴＳＳの情報ビットが符号化され得、情報ビットに対してＣＲＣアルゴリズムが実施されて、ＳＳブロックインデックスのＣＲＣが生成され得る。ＣＲＣの１つまたは複数のビットは、符号化（たとえば、ポーラー符号化など）のためのビットシーケンスを形成するために、情報ビットにアタッチされ得る。少なくとも１つの変調シンボル中で、ＳＳブロックインデックスとともにＣＲＣが符号化され得る。ＵＥ３１５は、ＳＳブロックインデックスの復号が成功しているかどうかを検証するためにＣＲＣを使用し得る。いくつかの例では、情報ビットは、たとえば、ＳＳブロックバーストセット中のビームの数、またはＳＳブロックバーストセットの周期性など、あるいはそれらの組合せなど、複数のＳＳブロックを送信／受信するために使用されるビーム掃引構成の少なくとも１つのパラメータを示し得る。
【０１１１】
[0131]図８は、本開示の様々な態様による、ワイヤレス通信における使用のための装置８０５のブロック図８００を示す。装置８０５は、図１および図３を参照しながら説明されたＵＥのうちの１つまたは複数の態様の一例であり得る。装置８０５は、受信機８１０と、ＵＥワイヤレス通信マネージャ８１５と、送信機８２０とを含み得る。装置８０５はプロセッサをも含み得る。これらの構成要素の各々は、（たとえば、１つまたは複数のバスを介して）互いに通信していることがある。
【０１１２】
[0132]受信機８１０は、データまたは制御信号または情報（すなわち、送信）を受信し得、それらの一部または全部は様々な情報チャネル（たとえば、データチャネル、制御チャネルなど）に関連し得る。受信された信号または情報、あるいはそれらに対して実施された測定値は、装置８０５の他の構成要素に受け渡され得る。受信機８１０は１つまたは複数のアンテナを含み得る。
【０１１３】
[0133]送信機８２０は、装置８０５の他の構成要素によって生成されたデータまたは制御信号または情報（すなわち、送信）を送信し得、それらの一部または全部は様々な情報チャネル（たとえば、データチャネル、制御チャネルなど）に関連し得る。いくつかの例では、送信機８２０は、トランシーバにおいて受信機８１０とコロケートされ得る。たとえば、送信機８２０と受信機８１０とは、図１８を参照しながら説明されるトランシーバ１８３０の態様の一例であり得る。送信機８２０は、受信機８１０によって使用される１つまたは複数のアンテナとは別個であり得る（またはそれらと共有され得る）、１つまたは複数のアンテナを含み得る。
【０１１４】
[0134]ＵＥワイヤレス通信マネージャ８１５および／またはそれの様々な副構成要素のうちの少なくともいくつかは、ハードウェア、プロセッサによって実行されるソフトウェア、ファームウェア、またはそれらの任意の組合せにおいて実装され得る。プロセッサによって実行されるソフトウェアにおいて実装される場合、ＵＥワイヤレス通信マネージャ８１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明される機能を実施するように設計されたそれらの任意の組合せによって実行され得る。
【０１１５】
[0135]ＵＥワイヤレス通信マネージャ８１５および／またはそれの様々な副構成要素のうちの少なくともいくつかは、１つまたは複数の物理デバイスによって機能の部分が異なる物理的ロケーションにおいて実装されるように分散されることを含めて、様々な位置に物理的に配置され得る。いくつかの例では、ＵＥワイヤレス通信マネージャ８１５および／またはそれの様々な副構成要素のうちの少なくともいくつかは、本開示の様々な態様による別個で個別の構成要素であり得る。他の例では、ＵＥワイヤレス通信マネージャ８１５および／またはそれの様々な副構成要素のうちの少なくともいくつかは、限定はされないが、本開示の様々な態様による、Ｉ／Ｏ構成要素、トランシーバ、別のコンピューティングデバイス、本開示で説明される１つまたは複数の他の構成要素、あるいはそれらの組合せを含む、１つまたは複数の他のハードウェア構成要素と組み合わされ得る。ＵＥワイヤレス通信マネージャ８１５は、図２および図４〜図７を参照しながら説明されたＳＳブロックのうちの１つまたは複数を受信するために、ならびにＳＳブロック中に含まれるＴＳＳからのＳＳブロックのタイミングを決定するために使用され得る。ＴＳＳは、ＳＳブロックに関連するＳＳブロックインデックスに少なくとも部分的に基づき得る。いくつかの例では、ＵＥワイヤレス通信マネージャ８１５は、ＳＳブロックの外部にあり、ＢＣＨ  ＴＴＩ内のＴＳＳのタイミングに少なくとも部分的に基づくＴＳＳを受信するために使用され得る。
【０１１６】
[0136]図９は、本開示の態様による、タイミング同期信号におけるＳＳブロックインデックスの通信をサポートするワイヤレスデバイス９０５のブロック図９００を示す。ワイヤレスデバイス９０５は、図８を参照しながら説明されたワイヤレスデバイス８０５またはＵＥの態様の一例であり得る。ワイヤレスデバイス９０５は、受信機９１０と、ＵＥワイヤレス通信マネージャ９１５と、送信機９２０とを含み得る。ワイヤレスデバイス９０５はプロセッサをも含み得る。これらの構成要素の各々は、（たとえば、１つまたは複数のバスを介して）互いに通信していることがある。
【０１１７】
[0137]受信機９１０は、パケット、ユーザデータ、または様々な情報チャネルに関連する制御情報（たとえば、制御チャネル、データチャネル、およびたとえばタイミング同期に関係する情報などの情報を受信し得る。情報はデバイスの他の構成要素に受け渡され得る。受信機９１０は、図１８を参照しながら説明されるトランシーバ１８３０の態様の一例であり得る。受信機９１０は、単一のアンテナまたはアンテナのセットを利用し得る。
【０１１８】
[0138]送信機９２０は、デバイスの他の構成要素によって生成された信号を送信し得る。いくつかの例では、送信機９２０は、トランシーバモジュール中で受信機９１０とコロケートされ得る。たとえば、送信機９２０は、図１８を参照しながら説明されるトランシーバ１８３５の態様の一例であり得る。送信機９２０は、単一のアンテナまたはアンテナのセットを利用し得る。
【０１１９】
[0139]ＵＥワイヤレス通信マネージャ９１５は、図８を参照しながら説明されたＵＥワイヤレス通信マネージャの態様の一例であり得る。ＵＥワイヤレス通信マネージャ９１５は、ＢＣＨ  ＴＴＩ受信マネージャ９２５と、同期マネージャ９３０と、ＰＢＣＨ復調器９３５、オプションのＳＳブロック受信マネージャ９４０と、オプションのビーム識別器９４５とを含み得る。これらの構成要素の各々は、直接または間接的に、（たとえば、１つまたは複数のバスを介して）互いに通信し得る。
【０１２０】
[0140]ＵＥワイヤレス通信マネージャ９１５の第１の例では、ＢＣＨ  ＴＴＩ受信マネージャ９２５は、たとえば図２〜図７を参照しながら説明されたように、ＴＳＳとＰＢＣＨとを受信するために使用され得る。ＴＳＳは、ＢＣＨ  ＴＴＩ内のＴＳＳのタイミングに少なくとも部分的に基づき得る。同期マネージャ９３０は、たとえば図２〜図７を参照しながら説明されたように、ＢＣＨ  ＴＴＩ内のＴＳＳのタイミングを決定するために使用され得る。ＰＢＣＨ復調器９３５は、本明細書で、たとえば図２〜図７を参照しながら説明されたように、ＴＳＳに少なくとも部分的に基づいてＰＢＣＨを復調するために使用され得る。
【０１２１】
[0141]ＵＥワイヤレス通信マネージャ９１５の第２の例では、ＢＣＨ  ＴＴＩ受信マネージャ９２５またはＳＳブロック受信マネージャ９４０は、たとえば図２〜図７を参照しながら説明されたように、ＴＳＳとＰＢＣＨとを含むＳＳブロックを受信するために使用され得る。ＴＳＳは、ＳＳブロックに関連するＳＳブロックインデックスに少なくとも部分的に基づき得る。いくつかの例では、ＳＳブロックインデックスがＴＳＳの波形シグネチャにおいて符号化されるので、またはＳＳブロックインデックスがＴＳＳ中の少なくとも１つの変調シンボル中に含められるので、ＴＳＳはＳＳブロックインデックスに少なくとも部分的に基づき得る。ＳＳブロックインデックスは、ＢＣＨ  ＴＴＩ内のＴＳＳのタイミングを示し得、したがって、ＢＣＨ  ＴＴＩ内のＳＳブロックのタイミングを示し得る。いくつかの例では、ＳＳブロックはＰＳＳとＳＳＳとをさらに含み得る。ＳＳＳは、基地局のＰＣＩに少なくとも部分的に基づき得る。いくつかの例では、ＳＳブロックは、ＢＣＨ  ＴＴＩ内の複数のＳＳブロック中の１つのＳＳブロックであり得る。いくつかの例では、ＴＳＳは少なくとも１つの変調シンボルを含み得る。いくつかの例では、少なくとも１つの変調シンボルは、ＱＰＳＫシンボルまたはＢＰＳＫシンボルを含み得る。
【０１２２】
[0142]またＵＥワイヤレス通信マネージャ９１５の第２の例では、同期マネージャ９３０は、たとえば図２〜図７を参照しながら説明されたように、ＳＳブロックインデックスに少なくとも部分的に基づいて、ＢＣＨ  ＴＴＩ内で、ＳＳブロックのタイミング、したがってＴＳＳのタイミングを決定するために使用され得る。ＰＢＣＨ復調器９３５は、本明細書で、たとえば図２〜図７を参照しながら説明されたように、ＴＳＳに少なくとも部分的に基づいてＰＢＣＨを復調するために使用され得る。たとえば、ＴＳＳは、ＰＢＣＨのためのＤＭＲＳとして送信され得る。ＰＢＣＨ復調器９３５は、ワイヤレスチャネルを介して送信されるＴＳＳの信号対雑音比（ＳＮＲ）および／または信号対雑音プラス干渉比（ＳＩＮＲ）を決定し、決定されたＳＮＲおよび／またはＳＩＮＲを使用してＰＢＣＨを復調する。別の例では、ＰＢＣＨ復調器９３５は、ＴＳＳを使用してチャネル推定値（たとえば、ワイヤレスチャネルを介した送信によってＴＳＳに対して引き起こされる位相シフトの推定値）を生成し、そのチャネル推定値を使用してＰＢＣＨを復調し得る。ＳＳブロックがＰＳＳとＳＳＳとを含むとき、ＰＢＣＨは、さらに、ＳＳＳに少なくとも部分的に基づいて復調され得る。ビーム識別器９４５は、場合によっては、たとえば図２〜図７を参照しながら説明されたように、ＳＳブロックインデックスに少なくとも部分的に基づいて、ＳＳブロックが送信されるビームを識別するために使用され得る。ＴＳＳペイロードデコーダ９５０は、たとえば図２〜図７を参照しながら説明されたように、少なくとも１つの変調シンボルにおいて符号化されたＳＳブロックインデックスを復号するために使用され得る。
【０１２３】
[0143]いくつかの例では、ＴＳＳとＰＢＣＨとを受信することは、１つまたは複数の周波数サブキャリアの同じセット上でＰＢＣＨと時分割多重化されたＴＳＳを受信することを含み得る。これらの例のうちのいくつかでは、ＳＳブロックはＰＳＳとＳＳＳとをさらに含み得、ＴＳＳと、ＳＳＳと、ＰＢＣＨとを受信することは、ＳＳＳの後にＰＢＣＨとＴＳＳとを受信することを含み得る。
【０１２４】
[0144]いくつかの例では、ＴＳＳとＰＢＣＨとを受信することは、ＰＢＣＨが受信される１つまたは複数の周波数サブキャリアの第２のセットと重複する１つまたは複数の周波数サブキャリアの第１のセット上でＴＳＳを受信することを含み得る。１つまたは複数の周波数サブキャリアの第１のセットは、１つまたは複数の周波数サブキャリアの第２のセットとは異なり得る。いくつかの例では、ＴＳＳとＰＢＣＨとを受信することは、ＰＢＣＨの少なくとも一部分と周波数分割多重化されたＴＳＳを受信することをさらに含み得る。いくつかの例では、ＳＳブロックはＰＳＳとＳＳＳとをさらに含み得、ＳＳＳとＰＢＣＨとを受信することは、ＳＳＳの後にＰＢＣＨの第２の部分を受信することを含み得る。
【０１２５】
[0145]いくつかの例では、ＴＳＳとＰＢＣＨとを受信することは、ＰＢＣＨが受信される１つまたは複数の周波数サブキャリアの第２のセットとインターリーブされた１つまたは複数の周波数サブキャリアの第１のセット上でＴＳＳを受信することを含み得る。これらの例のうちのいくつかでは、ＳＳブロックはＰＳＳとＳＳＳとをさらに含み得、ＴＳＳと、ＰＳＳと、ＳＳＳと、ＰＢＣＨとを受信することは、インターリーブされたＴＳＳおよびＰＢＣＨと周波数分割多重化されたＰＳＳおよびＳＳＳを受信することを含み得る。
【０１２６】
[0146]いくつかの例では、ＰＢＣＨはＳＳブロックインデックスに少なくとも部分的に基づいて受信され得、ＵＥワイヤレス通信マネージャ９１５は、ＳＳブロックインデックスに少なくとも部分的に基づいてＰＢＣＨを復号し得る。
【０１２７】
[0147]図１０は、本開示の態様による、タイミング同期信号におけるＳＳブロックインデックスの通信をサポートするワイヤレスデバイス１００５のブロック図１０００を示す。ワイヤレスデバイス１００５は、図８を参照しながら説明されたワイヤレスデバイス８０５またはＵＥの態様の一例であり得る。ワイヤレスデバイス１００５は、受信機１０１０と、ＵＥワイヤレス通信マネージャ１０１５と、送信機１０２０とを含み得る。ワイヤレスデバイス１００５はプロセッサをも含み得る。これらの構成要素の各々は、（たとえば、１つまたは複数のバスを介して）互いに通信していることがある。
【０１２８】
[0148]受信機１０１０は、パケット、ユーザデータ、または様々な情報チャネルに関連する制御情報（たとえば、制御チャネル、データチャネル、およびたとえばタイミング同期に関係する情報などの情報を受信し得る。情報はデバイスの他の構成要素に受け渡され得る。受信機１０１０は、図１８を参照しながら説明されるトランシーバ１８３０の態様の一例であり得る。受信機１０１０は、単一のアンテナまたはアンテナのセットを利用し得る。
【０１２９】
[0149]送信機１０２０は、デバイスの他の構成要素によって生成された信号を送信し得る。いくつかの例では、送信機１０２０は、トランシーバモジュール中で受信機９１０とコロケートされ得る。たとえば、送信機１０２０は、図１８を参照しながら説明されるトランシーバ１８３５の態様の一例であり得る。送信機１０２０は、単一のアンテナまたはアンテナのセットを利用し得る。
【０１３０】
[0150]ＵＥワイヤレス通信マネージャ１０１５は、図８を参照しながら説明されたＵＥワイヤレス通信マネージャの態様の一例であり得る。ＵＥワイヤレス通信マネージャ１０１５は、ＢＣＨ  ＴＴＩ受信マネージャ１０２５と、オプションのＳＳブロック受信マネージャ１０３０と、同期マネージャ１０３５と、ＴＳＳ復調器１０４０と、オプションのビーム識別器１０４５と、オプションのＰＢＣＨ復調器１０５０とを含み得る。これらの構成要素の各々は、直接または間接的に、（たとえば、１つまたは複数のバスを介して）互いに通信し得る。
【０１３１】
[0151]ＢＣＨ  ＴＴＩ受信マネージャ１０２５またはＳＳブロック受信マネージャ１０３０は、たとえば図２〜図４および図６を参照しながら説明されたように、ＴＳＳと、ＰＳＳと、ＳＳＳとを含むＳＳブロックを受信するために使用され得る。ＴＳＳは、ＳＳブロックに関連するＳＳブロックインデックスに少なくとも部分的に基づき得る。いくつかの例では、ＳＳブロックインデックスがＴＳＳの波形シグネチャにおいて符号化されるので、またはＳＳブロックインデックスがＴＳＳ中の少なくとも１つの変調シンボル中に含められるので、ＴＳＳはＳＳブロックインデックスに少なくとも部分的に基づき得る。ＳＳブロックインデックスは、ＢＣＨ  ＴＴＩ内のＴＳＳのタイミングを示し得、したがって、ＢＣＨ  ＴＴＩ内のＳＳブロックのタイミングを示し得る。いくつかの例では、ＳＳＳは、基地局のＰＣＩに少なくとも部分的に基づき得る。いくつかの例では、ＳＳブロックは、ＢＣＨ  ＴＴＩ内の複数のＳＳブロック中の１つのＳＳブロックであり得る。
【０１３２】
[0152]同期マネージャ１０３５は、たとえば図２〜図４および図６を参照しながら説明されたように、ＳＳブロックインデックスに少なくとも部分的に基づいて、ＢＣＨ  ＴＴＩ内のＳＳブロックのタイミングを決定するために使用され得る。
【０１３３】
[0153]ＴＳＳ復調器１０４０は、本明細書で、たとえば図２〜図４および図６を参照しながら説明されたように、ＳＳＳに少なくとも部分的に基づいてＴＳＳを復調するために使用され得る。たとえば、ＳＳＳは、ＴＳＳのためのＤＭＲＳとして送信され得る。ＴＳＳ復調器１０４０は、ワイヤレスチャネルを介して送信されるＳＳＳの信号対雑音比（ＳＮＲ）および／または信号対雑音プラス干渉比（ＳＩＮＲ）を決定し、決定されたＳＮＲおよび／またはＳＩＮＲを使用してＴＳＳを復調し得る。別の例では、ＴＳＳ復調器１０４０は、ＳＳＳを使用してチャネル推定値（たとえば、ワイヤレスチャネルを介した送信によってＳＳＳに対して引き起こされる位相シフトの推定値）を生成し、そのチャネル推定値を使用してＴＳＳを復調し得る。
【０１３４】
[0154]ビーム識別器１０４５は、たとえば図２〜図４および図６を参照しながら説明されたように、ＳＳブロックインデックスに少なくとも部分的に基づいて、ＳＳブロックが送信されるビームを識別するために使用され得る。
【０１３５】
[0155]ＰＢＣＨ復調器１０５０は、本明細書で、たとえば図２〜図４および図６を参照しながら説明されたように、ＳＳブロックがＰＢＣＨを含むとき、ＳＳＳに少なくとも部分的に基づいてＰＢＣＨを復調するために使用され得る。
【０１３６】
[0156]ＳＳブロックがＰＢＣＨを含むとき、いくつかの例では、ＢＣＨ  ＴＴＩ受信マネージャ１０２５またはＳＳブロック受信マネージャ１０３０は、ＳＳブロックインデックスに少なくとも部分的に基づいてＰＢＣＨを受信するために使用され得、ＵＥワイヤレス通信マネージャ１０１５は、ＳＳブロックインデックスに少なくとも部分的に基づいて、ＰＢＣＨを復号し得る。
【０１３７】
[0157]図１１は、本開示の態様による、タイミング同期信号におけるＳＳブロックインデックスの通信をサポートするワイヤレスデバイス１１０５のブロック図１１００を示す。ワイヤレスデバイス１１０５は、図８を参照しながら説明されたワイヤレスデバイス８０５またはＵＥの態様の一例であり得る。ワイヤレスデバイス１１０５は、受信機１１１０と、ＵＥワイヤレス通信マネージャ１１１５と、送信機１１２０とを含み得る。ワイヤレスデバイス１１０５はプロセッサをも含み得る。これらの構成要素の各々は、（たとえば、１つまたは複数のバスを介して）互いに通信していることがある。
【０１３８】
[0158]受信機１１１０は、パケット、ユーザデータ、または様々な情報チャネルに関連する制御情報（たとえば、制御チャネル、データチャネル、およびたとえばタイミング同期に関係する情報などの情報を受信し得る。情報はデバイスの他の構成要素に受け渡され得る。受信機１１１０は、図１８を参照しながら説明されるトランシーバ１８３０の態様の一例であり得る。受信機１１１０は、単一のアンテナまたはアンテナのセットを利用し得る。
【０１３９】
[0159]送信機１１２０は、デバイスの他の構成要素によって生成された信号を送信し得る。いくつかの例では、送信機１１２０は、トランシーバモジュール中で受信機１１１０とコロケートされ得る。たとえば、送信機１１２０は、図１８を参照しながら説明されるトランシーバ１８３５の態様の一例であり得る。送信機１１２０は、単一のアンテナまたはアンテナのセットを利用し得る。
【０１４０】
[0160]ＵＥワイヤレス通信マネージャ１１１５は、図８を参照しながら説明されたＵＥワイヤレス通信マネージャの態様の一例であり得る。ＵＥワイヤレス通信マネージャ１１１５は、ＳＳブロック受信マネージャ１１２５と、ＴＳＳペイロードデコーダ１１３０と、同期マネージャ１１３５とを含み得る。これらの構成要素の各々は、直接または間接的に、（たとえば、１つまたは複数のバスを介して）互いに通信し得る。
【０１４１】
[0161]ＳＳブロック受信マネージャ１１２５は、たとえば図２〜図７を参照しながら説明されたように、ＴＳＳを含むＳＳブロックを受信するために使用され得る。ＴＳＳは少なくとも１つの変調シンボルを含み得る。いくつかの例では、少なくとも１つの変調シンボルは、ＱＰＳＫシンボルまたはＢＰＳＫシンボルを含み得る。いくつかの例では、ＳＳブロックは、ＰＳＳ、ＳＳＳ、および／またはＰＢＣＨをも含み得る。いくつかの例では、ＳＳＳは、基地局のＰＣＩに少なくとも部分的に基づき得る。いくつかの例では、ＳＳブロックは、ＢＣＨ  ＴＴＩ内の複数のＳＳブロック中の１つのＳＳブロックであり得る。
【０１４２】
[0162]ＴＳＳペイロードデコーダ１１３０は、たとえば図２〜図７を参照しながら説明されたように、少なくとも１つの変調シンボルにおいて符号化されたＳＳブロックインデックスを復号するために使用され得る。ＳＳブロックインデックスは、ＢＣＨ  ＴＴＩ内のＴＳＳのタイミングを示し得、したがって、ＢＣＨ  ＴＴＩ内のＳＳブロックのタイミングを示し得る。いくつかの例では、ＳＳブロックインデックスは、ポーラーコード、またはリードミュラーコード、またはゴレイコード、またはＴＢＣＣを使用して少なくとも１つの変調シンボルにおいて符号化され得る。ＴＳＳペイロードデコーダ１１３０はまた、たとえば図２〜図７を参照しながら説明されたように、ＢＣＨ  ＴＴＩ内に、上記ＳＳブロックを含む、複数のＳＳブロックを受信するために使用されるビーム掃引構成の少なくとも１つのパラメータを少なくとも１つの変調シンボルから復号するために使用され得る。いくつかの例では、ビーム掃引構成の少なくとも１つのパラメータは、ＳＳブロックバーストセット中のビームの数、またはＳＳブロックバーストセットの周期性、あるいはそれらの組合せを含み得る。
【０１４３】
[0163]同期マネージャ１１３５は、たとえば図２〜図７を参照しながら説明されたように、ＳＳブロックインデックスに少なくとも部分的に基づいて、ＢＣＨ  ＴＴＩ内のＳＳブロックのタイミングを識別するために使用され得る。
【０１４４】
[0164]図１２は、本開示の態様による、タイミング同期信号におけるＳＳブロックインデックスの通信をサポートするワイヤレスデバイス１２０５のブロック図１２００を示す。ワイヤレスデバイス１２０５は、図８を参照しながら説明されたワイヤレスデバイス８０５またはＵＥの態様の一例であり得る。ワイヤレスデバイス１２０５は、受信機１２１０と、ＵＥワイヤレス通信マネージャ１２１５と、送信機１２２０とを含み得る。ワイヤレスデバイス１２０５はプロセッサをも含み得る。これらの構成要素の各々は、（たとえば、１つまたは複数のバスを介して）互いに通信していることがある。
【０１４５】
[0165]受信機１２１０は、パケット、ユーザデータ、または様々な情報チャネルに関連する制御情報（たとえば、制御チャネル、データチャネル、およびたとえばタイミング同期に関係する情報などの情報を受信し得る。情報はデバイスの他の構成要素に受け渡され得る。受信機１２１０は、図１８を参照しながら説明されるトランシーバ１８３０の態様の一例であり得る。受信機１２１０は、単一のアンテナまたはアンテナのセットを利用し得る。
【０１４６】
[0166]送信機１２２０は、デバイスの他の構成要素によって生成された信号を送信し得る。いくつかの例では、送信機１２２０は、トランシーバモジュール中で受信機１２１０とコロケートされ得る。たとえば、送信機１２２０は、図１８を参照しながら説明されるトランシーバ１８３５の態様の一例であり得る。送信機１２２０は、単一のアンテナまたはアンテナのセットを利用し得る。
【０１４７】
[0167]ＵＥワイヤレス通信マネージャ１２１５は、図８を参照しながら説明されたＵＥワイヤレス通信マネージャの態様の一例であり得る。ＵＥワイヤレス通信マネージャ１２１５は、ＢＣＨ  ＴＴＩ受信マネージャ１２２５と、オプションのＳＳブロック受信マネージャ１２３０と、復調器１２３５と、同期マネージャ１２４０とを含み得る。これらの構成要素の各々は、直接または間接的に、（たとえば、１つまたは複数のバスを介して）互いに通信し得る。
【０１４８】
[0168]ＢＣＨ  ＴＴＩ受信マネージャ１２２５またはＳＳブロック受信マネージャ１２３０は、たとえば図２〜図４および図６を参照しながら説明されたように、ＴＳＳとＰＢＣＨとを含むＳＳブロックを受信するために使用され得る。ＴＳＳは、ＳＳブロックに関連するＳＳブロックインデックスに少なくとも部分的に基づき得る。いくつかの例では、ＳＳブロックインデックスがＴＳＳの波形シグネチャにおいて符号化されるので、またはＳＳブロックインデックスがＴＳＳ中の少なくとも１つの変調シンボル中に含められるので、ＴＳＳはＳＳブロックインデックスに少なくとも部分的に基づき得る。ＳＳブロックインデックスは、ＢＣＨ  ＴＴＩ内のＴＳＳのタイミングを示し得、したがって、ＢＣＨ  ＴＴＩ内のＳＳブロックのタイミングを示し得る。いくつかの例では、ＳＳブロックはＰＳＳとＳＳＳとをさらに含み得る。いくつかの例では、ＳＳＳは、基地局のＰＣＩに少なくとも部分的に基づき得る。いくつかの例では、ＳＳブロックは、ＢＣＨ  ＴＴＩ内の複数のＳＳブロック中の１つのＳＳブロックであり得る。
【０１４９】
[0169]復調器１２３５は、本明細書で、たとえば図２〜図４および図６を参照しながら説明されたように、同じＤＭＲＳに少なくとも部分的に基づいてＴＳＳとＰＢＣＨとを復調するために使用され得る。いくつかの例では、ＤＭＲＳは、ＳＳブロック中に含まれるＳＳＳであり得る。
【０１５０】
[0170]同期マネージャ１２４０は、たとえば図２〜図４および図６を参照しながら説明されたように、ＳＳブロックインデックスに少なくとも部分的に基づいて、ＢＣＨ  ＴＴＩ内のＳＳブロックのタイミングを識別するために使用され得る。
【０１５１】
[0171]図１３は、本開示の態様による、タイミング同期信号におけるＳＳブロックインデックスの通信をサポートする装置１３０５のブロック図１３００を示す。装置１３０５は、図１および図３を参照しながら説明された基地局のうちの１つまたは複数の態様の一例であり得る。装置１３０５は、受信機１３１０と、基地局ワイヤレス通信マネージャ１３１５と、送信機１３２０とを含み得る。装置１３０５はプロセッサをも含み得る。これらの構成要素の各々は、（たとえば、１つまたは複数のバスを介して）互いに通信していることがある。
【０１５２】
[0172]受信機１３１０は、データまたは制御信号または情報（すなわち、送信）を受信し得、それらの一部または全部は様々な情報チャネル（たとえば、データチャネル、制御チャネルなど）に関連し得る。受信された信号または情報、あるいはそれらに対して実施された測定は、装置１３０５の他の構成要素に受け渡され得る。受信機１３１０は１つまたは複数のアンテナを含み得る。
【０１５３】
[0173]送信機１３２０は、装置１３０５の他の構成要素によって生成されたデータまたは制御信号または情報（すなわち、送信）を送信し得、それらの一部または全部は様々な情報チャネル（たとえば、データチャネル、制御チャネルなど）に関連し得る。いくつかの例では、送信機１３２０は、トランシーバにおいて受信機１３１０とコロケートされ得る。たとえば、送信機１３２０と受信機１３１０とは、図１９を参照しながら説明されるトランシーバ１９５０の態様の一例であり得る。送信機１３２０は、受信機１３１０によって使用される１つまたは複数のアンテナとは別個であり得る（またはそれらと共有され得る）、１つまたは複数のアンテナを含み得る。
【０１５４】
[0174]基地局ワイヤレス通信マネージャ１３１５および／またはそれの様々な副構成要素のうちの少なくともいくつかは、ハードウェア、プロセッサによって実行されるソフトウェア、ファームウェア、またはそれらの任意の組合せにおいて実装され得る。プロセッサによって実行されるソフトウェアにおいて実装される場合、基地局ワイヤレス通信マネージャ１３１５および／またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を実施するように設計されたそれらの任意の組合せによって実行され得る。
【０１５５】
[0175]基地局ワイヤレス通信マネージャ１３１５および／またはそれの様々な副構成要素のうちの少なくともいくつかは、１つまたは複数の物理デバイスによって機能の部分が異なる物理的ロケーションにおいて実装されるように分散されることを含めて、様々な位置に物理的に配置され得る。いくつかの例では、基地局ワイヤレス通信マネージャ１３１５および／またはそれの様々な副構成要素のうちの少なくともいくつかは、本開示の様々な態様による別個で個別の構成要素であり得る。他の例では、基地局ワイヤレス通信マネージャ１３１５および／またはそれの様々な副構成要素のうちの少なくともいくつかは、限定はされないが、本開示の様々な態様による、Ｉ／Ｏ構成要素、トランシーバ、別のコンピューティングデバイス、本開示で説明される１つまたは複数の他の構成要素、あるいはそれらの組合せを含む、１つまたは複数の他のハードウェア構成要素と組み合わされ得る。基地局ワイヤレス通信マネージャ１３１５は、図２および図４〜図７を参照しながら説明されたＳＳブロックのうちの１つまたは複数を送信するために使用され得る。ＳＳブロックは、ＳＳブロックに関連するＳＳブロックインデックスに少なくとも部分的に基づくＴＳＳを含み得る。いくつかの例では、基地局ワイヤレス通信マネージャ１３１５は、ＳＳブロックの外部にあり、ＢＣＨ  ＴＴＩ内のＴＳＳのタイミングに少なくとも部分的に基づくＴＳＳを送信するために使用され得る。
【０１５６】
[0176]図１４は、本開示の態様による、タイミング同期信号におけるＳＳブロックインデックスの通信をサポートする装置１４０５のブロック図１４００を示す。装置１３０５は、図１および図３を参照しながら説明された基地局のうちの１つまたは複数の態様の一例であり得る。装置１４０５は、受信機１４１０と、基地局ワイヤレス通信マネージャ１４１５と、送信機１４２０とを含み得る。装置１４０５はプロセッサをも含み得る。これらの構成要素の各々は、（たとえば、１つまたは複数のバスを介して）互いに通信していることがある。
【０１５７】
[0177]受信機１４１０は、データまたは制御信号または情報（すなわち、送信）を受信し得、それらの一部または全部は様々な情報チャネル（たとえば、データチャネル、制御チャネルなど）に関連し得る。受信された信号または情報、あるいはそれらに対して実施された測定は、装置１４０５の他の構成要素に受け渡され得る。受信機１４１０は１つまたは複数のアンテナを含み得る。
【０１５８】
[0178]送信機１４２０は、装置１４０５の他の構成要素によって生成されたデータまたは制御信号または情報（すなわち、送信）を送信し得、それらの一部または全部は様々な情報チャネル（たとえば、データチャネル、制御チャネルなど）に関連し得る。いくつかの例では、送信機１４２０は、トランシーバにおいて受信機１４１０とコロケートされ得る。たとえば、送信機１４２０と受信機１４１０とは、図１９を参照しながら説明されるトランシーバ１９５０の態様の一例であり得る。送信機１４２０は、受信機１４１０によって使用される１つまたは複数のアンテナとは別個であり得る（またはそれらと共有され得る）、１つまたは複数のアンテナを含み得る。
【０１５９】
[0179]基地局ワイヤレス通信マネージャ１４１５は、図１３を参照しながら説明された基地局ワイヤレス通信マネージャの態様の一例であり得る。基地局ワイヤレス通信マネージャ１４１５は、ＢＣＨ  ＴＴＩリソースアロケータ１４２５と、ＴＳＳ決定器１４３０と、ＢＣＨ  ＴＴＩ送信マネージャ１４３５と、オプションのＳＳブロック送信マネージャ１４４０とを含み得る。これらの構成要素の各々は、直接または間接的に、（たとえば、１つまたは複数のバスを介して）互いに通信し得る。
【０１６０】
[0180]基地局ワイヤレス通信マネージャ１４１５の第１の例では、ＢＣＨ  ＴＴＩリソースアロケータ１４２５は、たとえば図２〜図７を参照しながら説明されたように、ＢＣＨ  ＴＴＩ内にＴＳＳとＰＢＣＨとのためにリソースを割り振るために使用され得る。ＴＳＳ決定器１４３０は、たとえば図２〜図７を参照しながら説明されたように、ＢＣＨ  ＴＴＩ内のＴＳＳのタイミングに少なくとも部分的に基づいてＴＳＳを決定するために使用され得る。ＢＣＨ  ＴＴＩ送信マネージャ１４３５は、たとえば図２〜図７を参照しながら説明されたように、ＴＳＳとＰＢＣＨとのために割り振られたリソース上で、ＴＳＳとＰＢＣＨとを送信するために使用され得る。ＴＳＳは、ＴＳＳとＰＢＣＨとを送信するために使用される少なくとも１つのポート上でＰＢＣＨのためのＤＭＲＳとして送信され得る。
【０１６１】
[0181]基地局ワイヤレス通信マネージャ１４１５の第２の例では、ＢＣＨ  ＴＴＩリソースアロケータ１４２５は、たとえば図２〜図７を参照しながら説明されたように、ＢＣＨ  ＴＴＩ内にＳＳブロックのためにリソースを割り振るために使用され得る。ＳＳブロックはＴＳＳとＰＢＣＨとを含み得、したがって、リソースは、ＳＳブロック中のＴＳＳとＰＢＣＨとのために割り振られ得る。いくつかの例では、ＳＳブロックはＰＳＳとＳＳＳとをも含み得、リソースは、ＳＳブロック中のＰＳＳとＳＳＳとのために割り振られ得る。ＳＳＳは、基地局のＰＣＩに少なくとも部分的に基づいて決定され得る。いくつかの例では、ＳＳブロックは、ＢＣＨ  ＴＴＩ内に（たとえば、基地局によって）送信される複数のＳＳブロック中の１つのＳＳブロックであり得る。
【０１６２】
[0182]また基地局ワイヤレス通信マネージャ１４１５の第２の例では、ＴＳＳ決定器１４３０は、たとえば図２〜図７を参照しながら説明されたように、ＢＣＨ  ＴＴＩ内のＴＳＳのタイミングに少なくとも部分的に基づいてＴＳＳを決定するために使用され得る。ＴＳＳのタイミングは、ＳＳブロックに関連するＳＳブロックインデックスに少なくとも部分的に基づき得る。ＳＳブロックインデックスはＢＣＨ  ＴＴＩ内のＴＳＳのタイミングを示し得、したがって、ＴＳＳは、ＳＳブロックインデックスに少なくとも部分的に基づいて決定され得る。いくつかの例では、ＴＳＳは、ＴＳＳの波形シグネチャにおいてＳＳブロックインデックスを符号化することによって、またはＴＳＳ中の少なくとも１つの変調シンボル中にＳＳブロックインデックスを含めることによって、ＳＳブロックインデックスに少なくとも部分的に基づいて決定され得る。いくつかの例では、ＳＳブロックインデックスは、ＳＳブロックが送信されるビームをさらに識別し得る。
【０１６３】
[0183]いくつかの例では、ＴＳＳペイロードエンコーダ１４４５は、たとえば図２〜図７を参照しながら説明されたように、少なくとも１つの変調シンボルにおいてＳＳブロックインデックスを符号化するために使用され得る。いくつかの例では、少なくとも１つの変調シンボルは、ＱＰＳＫシンボルまたはＢＰＳＫシンボルを含み得る。
【０１６４】
[0184]また基地局ワイヤレス通信マネージャ１４１５の第２の例では、ＢＣＨ  ＴＴＩ送信マネージャ１４３５またはＳＳブロック送信マネージャ１４４０は、たとえば図２〜図７を参照しながら説明されたように、ＳＳブロックのために割り振られたリソース上で、ＴＳＳとＰＢＣＨとを送信するために使用され得る。ＴＳＳは、ＴＳＳとＰＢＣＨとを送信するために使用される少なくとも１つのポート上でＰＢＣＨのためのＤＭＲＳとして送信され得る。いくつかの例では、ＳＳＳは、ＳＳＳとＰＢＣＨとを送信するために使用される少なくとも１つのポート上で、ＰＢＣＨのための追加のＤＭＲＳとして送信され得る。いくつかの例では、ＰＢＣＨは、ＳＳブロックのＳＳブロックインデックスに少なくとも部分的に基づいて送信され得る。
【０１６５】
[0185]いくつかの例では、ＴＳＳとＰＢＣＨとを送信することは、１つまたは複数の周波数サブキャリアの同じセット上でＰＢＣＨと時分割多重化されたＴＳＳを送信することを含み得る。これらの例のうちのいくつかでは、ＳＳブロックはＰＳＳとＳＳＳとをさらに含み得、ＴＳＳと、ＳＳＳと、ＰＢＣＨとを送信することは、ＳＳＳの後にＰＢＣＨとＴＳＳとを送信することを含み得る。
【０１６６】
[0186]いくつかの例では、ＴＳＳとＰＢＣＨとを送信することは、ＰＢＣＨが送信される１つまたは複数の周波数サブキャリアの第２のセットと重複する１つまたは複数の周波数サブキャリアの第１のセット上でＴＳＳを送信することを含み得る。１つまたは複数の周波数サブキャリアの第１のセットは、１つまたは複数の周波数サブキャリアの第２のセットとは異なり得る。いくつかの例では、ＴＳＳとＰＢＣＨとを送信することは、ＰＢＣＨの少なくとも一部分と周波数分割多重化されたＴＳＳを送信することをさらに含み得る。いくつかの例では、ＳＳブロックはＰＳＳとＳＳＳとをさらに含み得、ＳＳＳとＰＢＣＨとを送信することは、ＳＳＳの後にＰＢＣＨの第２の部分を送信することを含み得る。
【０１６７】
[0187]いくつかの例では、ＴＳＳとＰＢＣＨとを送信することは、ＰＢＣＨが送信される１つまたは複数の周波数サブキャリアの第２のセットとインターリーブされた１つまたは複数の周波数サブキャリアの第１のセット上でＴＳＳを送信することを含み得る。これらの例のうちのいくつかでは、ＳＳブロックはＰＳＳとＳＳＳとをさらに含み得、ＴＳＳと、ＰＳＳと、ＳＳＳと、ＰＢＣＨとを送信することは、インターリーブされたＴＳＳおよびＰＢＣＨと周波数分割多重化されたＰＳＳおよびＳＳＳを送信することを含み得る。
【０１６８】
[0188]図１５は、本開示の態様による、タイミング同期信号におけるＳＳブロックインデックスの通信をサポートする装置１５０５のブロック図１５００を示す。装置１５０５は、図１および図３を参照しながら説明された基地局のうちの１つまたは複数の態様の一例であり得る。装置１５０５は、受信機１５１０と、基地局ワイヤレス通信マネージャ１５１５と、送信機１５２０とを含み得る。装置１５０５はプロセッサをも含み得る。これらの構成要素の各々は、（たとえば、１つまたは複数のバスを介して）互いに通信していることがある。
【０１６９】
[0189]受信機１５１０は、データまたは制御信号または情報（すなわち、送信）を受信し得、それらの一部または全部は様々な情報チャネル（たとえば、データチャネル、制御チャネルなど）に関連し得る。受信された信号または情報、あるいはそれらに対して実施された測定は、装置１５０５の他の構成要素に受け渡され得る。受信機１５１０は１つまたは複数のアンテナを含み得る。
【０１７０】
[0190]送信機１５２０は、装置１５０５の他の構成要素によって生成されたデータまたは制御信号または情報（すなわち、送信）を送信し得、それらの一部または全部は様々な情報チャネル（たとえば、データチャネル、制御チャネルなど）に関連し得る。いくつかの例では、送信機１５２０は、トランシーバにおいて受信機１５１０とコロケートされ得る。たとえば、送信機１５２０と受信機１５１０とは、図１９を参照しながら説明されるトランシーバ１９５０の態様の一例であり得る。送信機１５２０は、受信機１５１０によって使用される１つまたは複数のアンテナとは別個であり得る（またはそれらと共有され得る）、１つまたは複数のアンテナを含み得る。
【０１７１】
[0191]基地局ワイヤレス通信マネージャ１５１５は、図１３を参照しながら説明された基地局ワイヤレス通信マネージャの態様の一例であり得る。基地局ワイヤレス通信マネージャ１５１５は、ＳＳブロックリソースアロケータ１５２５と、ＴＳＳ決定器１５３０と、ＢＣＨ  ＴＴＩ送信マネージャ１５３５と、オプションのＳＳブロック送信マネージャ１５４０とを含み得る。これらの構成要素の各々は、直接または間接的に、（たとえば、１つまたは複数のバスを介して）互いに通信し得る。
【０１７２】
[0192]ＳＳブロックリソースアロケータ１５２５は、たとえば図２〜図４および図６を参照しながら説明されたように、ＳＳブロックのためにリソースを割り振るために使用され得る。ＳＳブロックは、ＴＳＳと、ＰＳＳと、ＳＳＳとを含み得、したがって、リソースは、ＳＳブロック中のＴＳＳと、ＰＳＳと、ＳＳＳとのために割り振られ得る。ＳＳＳは、基地局のＰＣＩに少なくとも部分的に基づいて決定され得る。いくつかの例では、ＳＳブロックはＰＢＣＨをも含み得、リソースは、ＳＳブロック中のＰＢＣＨのために割り振られ得る。いくつかの例では、ＳＳブロックは、ＢＣＨ  ＴＴＩ内に（たとえば、基地局によって）送信される複数のＳＳブロック中の１つのＳＳブロックであり得る。
【０１７３】
[0193]ＴＳＳ決定器１５３０は、たとえば図２〜図４および図６を参照しながら説明されたように、ＢＣＨ  ＴＴＩ内のＴＳＳのタイミングに少なくとも部分的に基づいてＴＳＳを決定するために使用され得る。ＴＳＳのタイミングは、ＳＳブロックに関連するＳＳブロックインデックスに少なくとも部分的に基づき得る。ＳＳブロックインデックスはＢＣＨ  ＴＴＩ内のＴＳＳのタイミングを示し得、したがって、ＴＳＳは、ＳＳブロックインデックスに少なくとも部分的に基づいて決定され得る。いくつかの例では、ＴＳＳは、ＴＳＳの波形シグネチャにおいてＳＳブロックインデックスを符号化することによって、またはＴＳＳ中の少なくとも１つの変調シンボル中にＳＳブロックインデックスを含めることによって、ＳＳブロックインデックスに少なくとも部分的に基づいて決定され得る。いくつかの例では、ＳＳブロックインデックスは、ＳＳブロックが送信されるビームをさらに識別し得る。
【０１７４】
[0194]ＢＣＨ  ＴＴＩ送信マネージャ１５３５またはＳＳブロック送信マネージャ１５４０は、たとえば図２〜図４および図６を参照しながら説明されたように、ＳＳブロックのために割り振られたリソース上で、ＴＳＳ  ＰＳＳ、およびＳＳＳを送信するために使用され得る。ＳＳＳは、ＴＳＳとＳＳＳとを送信するために使用される少なくとも１つのポート上でＴＳＳのためのＤＭＲＳとして送信され得る。ＳＳブロックがＰＢＣＨを含むとき、ＳＳＳも、ＳＳＳとＰＢＣＨとを送信するために使用される少なくとも１つのポート上で、ＰＢＣＨのためのＤＭＲＳとして送信され得る。いくつかの例では、ＰＢＣＨは、ＳＳブロックのＳＳブロックインデックスに少なくとも部分的に基づいて送信され得る。
【０１７５】
[0195]ＳＳブロックがＰＢＣＨを含むとき、いくつかの例では、ＢＣＨ  ＴＴＩ送信マネージャ１５３５またはＳＳブロック送信マネージャ１５４０は、１つまたは複数の周波数サブキャリアの同じセット上でＰＢＣＨと時分割多重化されたＴＳＳを送信するために使用され得る。これらの例のうちのいくつかでは、ＴＳＳと、ＳＳＳと、ＰＢＣＨとを送信することは、ＳＳＳの後にＰＢＣＨとＴＳＳとを送信することを含み得る。
【０１７６】
[0196]図１６は、本開示の態様による、タイミング同期信号におけるＳＳブロックインデックスの通信をサポートする装置１６０５のブロック図１６００を示す。装置１６０５は、図１および図３を参照しながら説明された基地局のうちの１つまたは複数の態様の一例であり得る。装置１６０５は、受信機１６１０と、基地局ワイヤレス通信マネージャ１６１５と、送信機１６２０とを含み得る。装置１６０５はプロセッサをも含み得る。これらの構成要素の各々は、（たとえば、１つまたは複数のバスを介して）互いに通信していることがある。
【０１７７】
[0197]受信機１６１０は、データまたは制御信号または情報（すなわち、送信）を受信し得、それらの一部または全部は様々な情報チャネル（たとえば、データチャネル、制御チャネルなど）に関連し得る。受信された信号または情報、あるいはそれらに対して実施された測定は、装置１６０５の他の構成要素に受け渡され得る。受信機１６１０は１つまたは複数のアンテナを含み得る。
【０１７８】
[0198]送信機１６２０は、装置１６０５の他の構成要素によって生成されたデータまたは制御信号または情報（すなわち、送信）を送信し得、それらの一部または全部は様々な情報チャネル（たとえば、データチャネル、制御チャネルなど）に関連し得る。いくつかの例では、送信機１６２０は、トランシーバにおいて受信機１６１０とコロケートされ得る。たとえば、送信機１６２０と受信機１６１０とは、図１９を参照しながら説明されるトランシーバ１９５０の態様の一例であり得る。送信機１６２０は、受信機１６１０によって使用される１つまたは複数のアンテナとは別個であり得る（またはそれらと共有され得る）、１つまたは複数のアンテナを含み得る。
【０１７９】
[0199]基地局ワイヤレス通信マネージャ１６１５は、図１３を参照しながら説明された基地局ワイヤレス通信マネージャの態様の一例であり得る。基地局ワイヤレス通信マネージャ１６１５は、ＳＳブロックリソースアロケータ１６２５、ＴＳＳペイロードエンコーダ１６３０、ＳＳブロック送信マネージャ１６３５、またはオプションのＴＳＳ送信マネージャ１６４０を含み得る。これらの構成要素の各々は、直接または間接的に、（たとえば、１つまたは複数のバスを介して）互いに通信し得る。
【０１８０】
[0200]ＳＳブロックリソースアロケータ１６２５は、たとえば図２〜図７を参照しながら説明されたように、ＳＳブロックのためにリソースを割り振るために使用され得る。ＳＳブロックは、ＴＳＳ、ＰＳＳ、ＳＳＳ、および／またはＰＢＣＨを含み得、したがって、リソースは、ＳＳブロック中のＴＳＳ、ＰＳＳ、ＳＳＳ、および／またはＰＢＣＨのために割り振られ得る。ＳＳＳは、基地局のＰＣＩに少なくとも部分的に基づいて決定され得る。いくつかの例では、ＳＳブロックは、ＢＣＨ  ＴＴＩ内に（たとえば、基地局によって）送信される複数のＳＳブロック中の１つのＳＳブロックであり得る。
【０１８１】
[0201]ＴＳＳペイロードエンコーダ１６３０は、たとえば図２〜図７を参照しながら説明されたように、少なくとも１つの変調シンボルにおいてＳＳブロックインデックスを符号化するために使用され得る。いくつかの例では、少なくとも１つの変調シンボルは、ＱＰＳＫシンボルまたはＢＰＳＫシンボルを含み得る。ＳＳブロックインデックスは、ＢＣＨ  ＴＴＩ内のＴＳＳのタイミングを示し得、したがって、ＢＣＨ  ＴＴＩ内のＳＳブロックのタイミングを示し得る。いくつかの例では、ＳＳブロックインデックスは、ポーラーコード、またはリードミュラーコード、またはゴレイコード、またはＴＢＣＣを使用して少なくとも１つの変調シンボルにおいて符号化され得る。ＴＳＳペイロードエンコーダ１６３０はまた、たとえば図２〜図７を参照しながら説明されたように、ＢＣＨ  ＴＴＩ内に、上記ＳＳブロックを含む、複数のＳＳブロックを送信するために使用されるビーム掃引構成の少なくとも１つのパラメータを少なくとも１つの変調シンボルにおいて符号化するために使用され得る。いくつかの例では、ビーム掃引構成の少なくとも１つのパラメータは、ＳＳブロックバーストセット中のビームの数、またはＳＳブロックバーストセットの周期性、あるいはそれらの組合せを含み得る。
【０１８２】
[0202]ＳＳブロック送信マネージャ１６３５またはＴＳＳ送信マネージャ１６４０は、たとえば図２〜図７を参照しながら説明されたように、ＳＳブロックのために割り振られたリソース上で、少なくとも１つの変調シンボルを含むＴＳＳを送信するために使用され得る。
【０１８３】
[0203]いくつかの例では、基地局ワイヤレス通信マネージャ１６１５は、ＳＳブロックインデックスのＣＲＣを生成し、ＳＳブロックインデックスとともに、少なくとも１つの変調シンボル中でＣＲＣを符号化するために使用され得る。
【０１８４】
[0204]図１７は、本開示の態様による、タイミング同期信号におけるＳＳブロックインデックスの通信をサポートする装置１７０５のブロック図１７００を示す。装置１７０５は、図１および図３を参照しながら説明された基地局のうちの１つまたは複数の態様の一例であり得る。装置１７０５は、受信機１７１０と、基地局ワイヤレス通信マネージャ１７１５と、送信機１７２０とを含み得る。装置１７０５はプロセッサをも含み得る。これらの構成要素の各々は、（たとえば、１つまたは複数のバスを介して）互いに通信していることがある。
【０１８５】
[0205]受信機１７１０は、データまたは制御信号または情報（すなわち、送信）を受信し得、それらの一部または全部は様々な情報チャネル（たとえば、データチャネル、制御チャネルなど）に関連し得る。受信された信号または情報、あるいはそれらに対して実施された測定は、装置１７０５の他の構成要素に受け渡され得る。受信機１７１０は１つまたは複数のアンテナを含み得る。
【０１８６】
[0206]送信機１７２０は、装置１７０５の他の構成要素によって生成されたデータまたは制御信号または情報（すなわち、送信）を送信し得、それらの一部または全部は様々な情報チャネル（たとえば、データチャネル、制御チャネルなど）に関連し得る。いくつかの例では、送信機１７２０は、トランシーバにおいて受信機１７１０とコロケートされ得る。たとえば、送信機１７２０と受信機１７１０とは、図１９を参照しながら説明されるトランシーバ１９５０の態様の一例であり得る。送信機１７２０は、受信機１７１０によって使用される１つまたは複数のアンテナとは別個であり得る（またはそれらと共有され得る）、１つまたは複数のアンテナを含み得る。
【０１８７】
[0207]基地局ワイヤレス通信マネージャ１７１５は、図１３を参照しながら説明された基地局ワイヤレス通信マネージャの態様の一例であり得る。基地局ワイヤレス通信マネージャ１７１５は、ＳＳブロックリソースアロケータ１７２５と、ＴＳＳ決定器１７３０と、ＢＣＨ  ＴＴＩ送信マネージャ１７３５とを含み得る。これらの構成要素の各々は、直接または間接的に、（たとえば、１つまたは複数のバスを介して）互いに通信し得る。
【０１８８】
[0208]ＳＳブロックリソースアロケータ１７２５は、たとえば図２〜図４および図６を参照しながら説明されたように、ＳＳブロックのためにリソースを割り振るために使用され得る。ＳＳブロックはＴＳＳとＰＢＣＨとを含み得、したがって、リソースは、ＳＳブロック中のＴＳＳとＰＢＣＨとのために割り振られ得る。ＳＳブロックはＰＳＳとＳＳＳとをも含み得、ＳＳブロック中のリソースはＰＳＳとＳＳＳとのために割り振られ得る。ＳＳＳは、基地局のＰＣＩに少なくとも部分的に基づいて決定され得る。いくつかの例では、ＳＳブロックは、ＢＣＨ  ＴＴＩ内に（たとえば、基地局によって）送信される複数のＳＳブロック中の１つのＳＳブロックであり得る。
【０１８９】
[0209]ＴＳＳ決定器１７３０は、たとえば図２〜図４および図６を参照しながら説明されたように、ＳＳブロックに関連するＳＳブロックインデックスに少なくとも部分的に基づいてＴＳＳを決定するために使用され得る。ＳＳブロックインデックスは、ＢＣＨ  ＴＴＩ内のＳＳブロックのタイミングを示し得る。
【０１９０】
[0210]ＢＣＨ  ＴＴＩ送信マネージャ１７３５は、たとえば図２〜図４および図６を参照しながら説明されたように、ＳＳブロックのために割り振られたリソース上で、ＴＳＳとＰＢＣＨとを送信するために使用され得る。送信されるＳＳブロックは、ＤＭＲＳと、ＴＳＳと、ＰＢＣＨとを送信するために使用される少なくとも１つのポート上でＴＳＳとＰＢＣＨとについて同じＤＭＲＳを含み得る。いくつかの例では、ＤＭＲＳはＳＳブロック中にＳＳＳを含み得る。
【０１９１】
[0211]図１８は、本開示の様々な態様による、ワイヤレス通信において使用するためのＵＥ１８１５のブロック図１８００を示す。ＵＥ１８１５は、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット器具、ゲーミングコンソール、電子リーダー、車両、家庭用器具、照明またはアラーム制御システムなどに含まれるかまたはそれらの一部であり得る。ＵＥ１８１５は、いくつかの例では、モバイル動作を容易にするために、小型バッテリーなどの内部電源（図示されず）を有し得る。いくつかの例では、ＵＥ１８１５は、図１および図３を参照しながら説明されたＵＥのうちの１つまたは複数の態様、あるいは図８を参照しながら説明された装置の態様の一例であり得る。ＵＥ１８１５は、図１〜図１２を参照しながら説明されたＵＥまたは装置技法または機能のうちの少なくともいくつかを実装するように構成され得る。
【０１９２】
[0212]ＵＥ１８１５は、プロセッサ１８１０、メモリ１８２０、（トランシーバ１８３０によって表される）少なくとも１つのトランシーバ、アンテナ１８４０（たとえば、アンテナアレイ）、またはＵＥワイヤレス通信マネージャ１８５０を含み得る。これらの構成要素の各々は、１つまたは複数のバス１８３５を介して、直接または間接的に、互いに通信していることがある。
【０１９３】
[0213]メモリ１８２０は、ランダムアクセスメモリ（ＲＡＭ）または読取り専用メモリ（ＲＯＭ）を含み得る。メモリ１８２０は、実行されたとき、たとえば、ＴＳＳおよび／またはＳＳブロックを受信することを含む、ワイヤレス通信に関係する本明細書で説明される様々な機能をプロセッサ１８１０に実施させるように構成された命令を含んでいるコンピュータ可読、コンピュータ実行可能コード１８２５を記憶し得る。代替的に、コンピュータ実行可能コード１８２５は、プロセッサ１８１０によって直接的に実行可能ではないが、（たとえば、コンパイルされ、実行されたとき）本明細書で説明される様々な機能をＵＥ１８１５に実施させるように構成され得る。
【０１９４】
[0214]プロセッサ１８１０は、インテリジェントハードウェアデバイス、たとえば、中央処理ユニット（ＣＰＵ）、マイクロコントローラ、ＡＳＩＣなどを含み得る。プロセッサ１８１０は、トランシーバ１８３０を通して受信された情報、またはアンテナ１８４０を通した送信のためにトランシーバ１８３０に送られるべき情報を処理し得る。プロセッサ１８１０は、単独でまたはＵＥワイヤレス通信マネージャ１８５０とともに、１つまたは複数の無線周波数スペクトル帯域にわたって通信すること（またはそれにわたる通信を管理すること）の１つまたは複数の態様を扱い得る。
【０１９５】
[0215]トランシーバ１８３０は、パケットを変調し、変調されたパケットを送信のためにアンテナ１８４０に提供し、アンテナ１８４０から受信されたパケットを復調するように構成されたモデムを含み得る。トランシーバ１８３０は、いくつかの例では、１つまたは複数の送信機および１つまたは複数の別個の受信機として実装され得る。トランシーバ１８３０は、１つまたは複数の無線周波数スペクトル帯域における通信をサポートし得る。トランシーバ１８３０は、図１、図３、または図１３を参照しながら説明された基地局のうちの１つまたは複数など、１つまたは複数の基地局または装置と双方向にアンテナ１８４０を介して通信するように構成され得る。
【０１９６】
[0216]ＵＥワイヤレス通信マネージャ１８５０は、図１〜図１２を参照しながら説明されたＵＥまたは装置技法または機能の一部または全部を実施または制御するように構成され得る。ＵＥワイヤレス通信マネージャ１８５０、またはそれの部分はプロセッサを含み得、あるいはＵＥワイヤレス通信マネージャ１８５０の機能の一部または全部は、プロセッサ１８１０によって実施されるか、またはプロセッサ１８１０とともに実施され得る。いくつかの例では、ＵＥワイヤレス通信マネージャ１８５０は、図８〜図１２を参照しながら説明されたＵＥワイヤレス通信マネージャのうちの１つまたは複数の態様の一例であり得る。
【０１９７】
[0217]図１９は、本開示の様々な態様による、ワイヤレス通信において使用するための基地局１９０５のブロック図１９００を示す。いくつかの例では、基地局１９０５は、図１および図３を参照しながら説明された基地局のうちの１つまたは複数の態様、あるいは図１３を参照しながら説明された装置の態様の一例であり得る。基地局１９０５は、図１〜図７および図１３〜図１７を参照しながら説明された基地局または装置技法または機能のうちの少なくともいくつかを実装または容易にするように構成され得る。
【０１９８】
[0218]基地局１９０５は、プロセッサ１９１０、メモリ１９２０、（トランシーバ１９５０によって表される）少なくとも１つのトランシーバ、少なくとも１つのアンテナ１９５５（たとえば、アンテナアレイ）、または基地局ワイヤレス通信マネージャ１９６０を含み得る。基地局１９０５はまた、基地局コミュニケータ１９３０またはネットワークコミュニケータ１９４０のうちの１つまたは複数を含み得る。これらの構成要素の各々は、１つまたは複数のバス１９３５を介して、直接または間接的に互いに通信していることがある。
【０１９９】
[0219]メモリ１９２０はＲＡＭまたはＲＯＭを含み得る。メモリ１９２０は、実行されたとき、たとえば、ＳＳブロックのためにリソースを割り振ることおよびＳＳブロック中でＴＳＳを送信することを含む、ワイヤレス通信に関係する本明細書で説明される様々な機能をプロセッサ１９１０に実施させるように構成された命令を含んでいるコンピュータ可読、コンピュータ実行可能コード１９２５を記憶し得る。代替的に、コンピュータ実行可能コード１９２５は、プロセッサ１９１０によって直接的に実行可能ではないが、（たとえば、コンパイルされ、実行されたとき）本明細書で説明される様々な機能を基地局１９０５に実施させるように構成され得る。
【０２００】
[0220]プロセッサ１９１０は、インテリジェントハードウェアデバイス、たとえば、ＣＰＵ、マイクロコントローラ、ＡＳＩＣなどを含み得る。プロセッサ１９１０は、トランシーバ１９５０、基地局コミュニケータ１９３０、またはネットワークコミュニケータ１９４０を通して受信された情報を処理し得る。プロセッサ１９１０はまた、アンテナ１９５５を通した送信のためにトランシーバ１９５０に送られるべき情報、あるいは１つまたは複数の他の基地局（たとえば、基地局１９０５−ａおよび基地局１９０５−ｂ）への送信のために基地局コミュニケータ１９３０に送られるべき情報、あるいは図１を参照しながら説明されたコアネットワーク１３０の１つまたは複数の態様の一例であり得る、コアネットワーク１９４５への送信のためにネットワークコミュニケータ１９４０に送られるべき情報を処理し得る。プロセッサ１９１０は、単独でまたは基地局ワイヤレス通信マネージャ１９６０とともに、１つまたは複数の無線周波数スペクトル帯域にわたって通信すること（またはそれにわたる通信を管理すること）の１つまたは複数の態様を扱い得る。
【０２０１】
[0221]トランシーバ１９５０は、パケットを変調し、変調されたパケットを送信のためにアンテナ１９５５に提供し、アンテナ１９５５から受信されたパケットを復調するように構成されたモデムを含み得る。トランシーバ１９５０は、いくつかの例では、１つまたは複数の送信機および１つまたは複数の別個の受信機として実装され得る。トランシーバ１９５０は、１つまたは複数の無線周波数スペクトル帯域における通信をサポートし得る。トランシーバ１９５０は、図１、図３、図８、または図１８を参照しながら説明されたＵＥまたは装置のうちの１つまたは複数など、１つまたは複数のＵＥまたは装置と双方向にアンテナ１９５５を介して通信するように構成され得る。基地局１９０５は、ネットワークコミュニケータ１９４０を通してコアネットワーク１９４５と通信し得る。基地局１９０５はまた、基地局コミュニケータ１９３０を使用して、基地局１９０５−ａおよび基地局１９０５−ｂなど、他の基地局と通信し得る。
【０２０２】
[0222]基地局ワイヤレス通信マネージャ１９６０は、図１〜図７および図１３〜図１７を参照しながら説明された基地局または装置技法または機能の一部または全部を実施または制御するように構成され得る。基地局ワイヤレス通信マネージャ１９６０、またはそれの部分はプロセッサを含み得、あるいは基地局ワイヤレス通信マネージャ１９６０の機能の一部または全部は、プロセッサ１９１０によって実施されるか、またはプロセッサ１９１０とともに実施され得る。いくつかの例では、基地局ワイヤレス通信マネージャ１９６０は、図１３〜図１７を参照しながら説明された基地局ワイヤレス通信マネージャのうちの１つまたは複数の態様の一例であり得る。
【０２０３】
[0223]図２０は、本開示の様々な態様による、ＵＥにおけるワイヤレス通信のための方法２０００の一例を示すフローチャートである。明快のために、方法２０００について、図１、図３、および図１８を参照しながら説明されたＵＥのうちの１つまたは複数の態様、図８を参照しながら説明された装置の態様、あるいは図８〜図１２および図１８を参照しながら説明されたＵＥワイヤレス通信マネージャのうちの１つまたは複数の態様に関して以下で説明される。いくつかの例では、ＵＥは、以下で説明される機能を実施するようにＵＥの機能要素を制御するためのコードの１つまたは複数のセットを実行し得る。追加または代替として、ＵＥは、専用ハードウェアを使用して、以下で説明される機能のうちの１つまたは複数を実施し得る。
【０２０４】
[0224]ブロック２００５において、方法２０００は、たとえば図２〜図７を参照しながら説明されたように、ＴＳＳとＰＢＣＨとを受信することを含み得る。ＴＳＳは、ＢＣＨ  ＴＴＩ内のＴＳＳのタイミングに少なくとも部分的に基づき得る。いくつかの例では、ブロック２００５における動作は、図９を参照しながら説明されたＢＣＨ  ＴＴＩ受信マネージャ９２５を使用して実施され得る。
【０２０５】
[0225]ブロック２０１０において、方法２２００は、たとえば図２〜図７を参照しながら説明されたように、ＢＣＨ  ＴＴＩ内のＴＳＳのタイミングを決定することを含み得る。いくつかの例では、ブロック２０１０における動作は、図９を参照しながら説明された同期マネージャ９３０を使用して実施され得る。
【０２０６】
[0226]ブロック２０１５において、方法２０００は、たとえば図２〜図７を参照しながら説明されたように、ＴＳＳに少なくとも部分的に基づいてＰＢＣＨを復調することを含み得る。いくつかの例では、ブロック２０１５における動作は、図９を参照しながら説明されたＰＢＣＨ復調器９３５を使用して実施され得る。
【０２０７】
[0227]図２１は、本開示の様々な態様による、ＵＥにおけるワイヤレス通信のための方法２１００の一例を示すフローチャートである。明快のために、方法２１００について、図１、図３、および図１８を参照しながら説明されたＵＥのうちの１つまたは複数の態様、図８を参照しながら説明された装置の態様、あるいは図８〜図１２および図１８を参照しながら説明されたＵＥワイヤレス通信マネージャのうちの１つまたは複数の態様に関して以下で説明される。いくつかの例では、ＵＥは、以下で説明される機能を実施するようにＵＥの機能要素を制御するためのコードの１つまたは複数のセットを実行し得る。追加または代替として、ＵＥは、専用ハードウェアを使用して、以下で説明される機能のうちの１つまたは複数を実施し得る。
【０２０８】
[0228]ブロック２１０５において、方法２１００は、たとえば図２〜図７を参照しながら説明されたように、ＴＳＳとＰＢＣＨとを含むＳＳブロックを受信することを含み得る。ＴＳＳは、ＳＳブロックに関連するＳＳブロックインデックスに少なくとも部分的に基づき得る。いくつかの例では、ＳＳブロックインデックスがＴＳＳの波形シグネチャにおいて符号化されるので、またはＳＳブロックインデックスがＴＳＳ中の少なくとも１つの変調シンボル中に含められるので、ＴＳＳはＳＳブロックインデックスに少なくとも部分的に基づき得る。ＳＳブロックインデックスは、ＢＣＨ  ＴＴＩ内のＴＳＳのタイミングを示し得、したがって、ＢＣＨ  ＴＴＩ内のＳＳブロックのタイミングを示し得る。いくつかの例では、ＳＳブロックはＰＳＳとＳＳＳとをさらに含み得る。ＳＳＳは、基地局のＰＣＩに少なくとも部分的に基づき得る。いくつかの例では、ＳＳブロックは、ＢＣＨ  ＴＴＩ内の複数のＳＳブロック中の１つのＳＳブロックであり得る。いくつかの例では、ブロック２１０５における動作は、図９を参照しながら説明されたＢＣＨ  ＴＴＩ受信マネージャ９２５またはＳＳブロック受信マネージャ９４０を使用して実施され得る。
【０２０９】
[0229]ブロック２１１０において、方法２１００は、たとえば図２〜図７を参照しながら説明されたように、ＳＳブロックインデックスに少なくとも部分的に基づいて、ＢＣＨ  ＴＴＩ内で、ＳＳブロックのタイミング、したがってＴＳＳのタイミングを決定することを含み得る。いくつかの例では、ブロック２１１０における動作は、図９を参照しながら説明された同期マネージャ９３０を使用して実施され得る。
【０２１０】
[0230]ブロック２１１５において、方法２１００は、たとえば図２〜図７を参照しながら説明されたように、ＴＳＳに少なくとも部分的に基づいてＰＢＣＨを復調することを含み得る。ＳＳブロックがＰＳＳとＳＳＳとを含むとき、ＰＢＣＨは、さらに、ＳＳＳに少なくとも部分的に基づいて復調され得る。いくつかの例では、ブロック２１１５における動作は、図９を参照しながら説明されたＰＢＣＨ復調器９３５を使用して実施され得る。
【０２１１】
[0231]ブロック２１２０において、方法２１００は、たとえば図２〜図７を参照しながら説明されたように、ＳＳブロックインデックスに少なくとも部分的に基づいて、ＳＳブロックが送信されるビームを識別することを場合によっては含み得る。いくつかの例では、ブロック２１２０における動作は、図９を参照しながら説明されたビーム識別器９４５を使用して実施され得る。
【０２１２】
[0232]方法２１００のいくつかの例では、ＴＳＳとＰＢＣＨとを受信することは、１つまたは複数の周波数サブキャリアの同じセット上でＰＢＣＨと時分割多重化されたＴＳＳを受信することを含み得る。これらの例のうちのいくつかでは、ＳＳブロックはＰＳＳとＳＳＳとをさらに含み得、ＴＳＳと、ＳＳＳと、ＰＢＣＨとを受信することは、ＳＳＳの後にＰＢＣＨとＴＳＳとを受信することを含み得る。
【０２１３】
[0233]方法２１００のいくつかの例では、ＴＳＳとＰＢＣＨとを受信することは、ＰＢＣＨが受信される１つまたは複数の周波数サブキャリアの第２のセットと重複する１つまたは複数の周波数サブキャリアの第１のセット上でＴＳＳを受信することを含み得る。１つまたは複数の周波数サブキャリアの第１のセットは、１つまたは複数の周波数サブキャリアの第２のセットとは異なり得る。いくつかの例では、ＴＳＳとＰＢＣＨとを受信することは、ＰＢＣＨの少なくとも一部分と周波数分割多重化されたＴＳＳを受信することをさらに含み得る。いくつかの例では、ＳＳブロックはＰＳＳとＳＳＳとをさらに含み得、ＳＳＳとＰＢＣＨとを受信することは、ＳＳＳの後にＰＢＣＨの第２の部分を受信することを含み得る。
【０２１４】
[0234]方法２１００のいくつかの例では、ＴＳＳとＰＢＣＨとを受信することは、ＰＢＣＨが受信される１つまたは複数の周波数サブキャリアの第２のセットとインターリーブされた１つまたは複数の周波数サブキャリアの第１のセット上でＴＳＳを受信することを含み得る。これらの例のうちのいくつかでは、ＳＳブロックはＰＳＳとＳＳＳとをさらに含み得、ＴＳＳと、ＰＳＳと、ＳＳＳと、ＰＢＣＨとを受信することは、インターリーブされたＴＳＳおよびＰＢＣＨと周波数分割多重化されたＰＳＳおよびＳＳＳを受信することを含み得る。
【０２１５】
[0235]方法２１００のいくつかの例では、ＰＢＣＨはＳＳブロックインデックスに少なくとも部分的に基づいて受信され得、方法２１００は、ＳＳブロックインデックスに少なくとも部分的に基づいて、ＰＢＣＨを復号することを含み得る。
【０２１６】
[0236]図２２は、本開示の様々な態様による、基地局におけるワイヤレス通信のための方法２２００の一例を示すフローチャートである。明快のために、方法２２００について、図１、図３、および図１９を参照しながら説明された基地局のうちの１つまたは複数の態様、図１３を参照しながら説明された装置の態様、あるいは図１３〜図１７および図１９を参照しながら説明された基地局ワイヤレス通信マネージャのうちの１つまたは複数の態様に関して以下で説明される。いくつかの例では、基地局は、以下で説明される機能を実施するように基地局の機能要素を制御するためのコードの１つまたは複数のセットを実行し得る。追加または代替として、基地局は、専用ハードウェアを使用して、以下で説明される機能のうちの１つまたは複数を実施し得る。
【０２１７】
[0237]ブロック２２０５において、方法２２００は、たとえば図２〜図７を参照しながら説明されたように、ＢＣＨ  ＴＴＩ内にＴＳＳとＰＢＣＨとのためにリソースを割り振ることを含み得る。いくつかの例では、ブロック２２０５における動作は、図１４を参照しながら説明されたＢＣＨ  ＴＴＩリソースアロケータ１４２５を使用して実施され得る。
【０２１８】
[0238]ブロック２２１０において、方法２２００は、たとえば図２〜図７を参照しながら説明されたように、ＢＣＨ  ＴＴＩ内のＴＳＳのタイミングに少なくとも部分的に基づいてＴＳＳを決定することを含み得る。いくつかの例では、ブロック２２０５における動作は、図１４を参照しながら説明されたＴＳＳ決定器１４３０を使用して実施され得る。
【０２１９】
[0239]ブロック２２１５において、方法２２００は、たとえば図２〜図７を参照しながら説明されたように、ＴＳＳとＰＢＣＨとのために割り振られたリソース上で、ＴＳＳとＰＢＣＨとを送信することを含み得る。ＴＳＳは、ＴＳＳとＰＢＣＨとを送信するために使用される少なくとも１つのポート上でＰＢＣＨのためのＤＭＲＳとして送信され得る。いくつかの例では、ブロック２２１５における動作は、図１４を参照しながら説明されたＢＣＨ  ＴＴＩ送信マネージャ１４３５を使用して実施され得る。
【０２２０】
[0240]図２３は、本開示の様々な態様による、基地局におけるワイヤレス通信のための方法２３００の一例を示すフローチャートである。明快のために、方法２３００について、図１、図３、および図１９を参照しながら説明された基地局のうちの１つまたは複数の態様、図１３を参照しながら説明された装置の態様、あるいは図１３〜図１７および図１９を参照しながら説明された基地局ワイヤレス通信マネージャのうちの１つまたは複数の態様に関して以下で説明される。いくつかの例では、基地局は、以下で説明される機能を実施するように基地局の機能要素を制御するためのコードの１つまたは複数のセットを実行し得る。追加または代替として、基地局は、専用ハードウェアを使用して、以下で説明される機能のうちの１つまたは複数を実施し得る。
【０２２１】
[0241]ブロック２３０５において、方法２３００は、たとえば図２〜図７を参照しながら説明されたように、ＢＣＨ  ＴＴＩ内にＳＳブロックのためにリソースを割り振ることを含み得る。ＳＳブロックはＴＳＳとＰＢＣＨとを含み得、したがって、リソースは、ＳＳブロック中のＴＳＳとＰＢＣＨとのために割り振られ得る。いくつかの例では、ＳＳブロックはＰＳＳとＳＳＳとをも含み得、リソースは、ＳＳブロック中のＰＳＳとＳＳＳとのために割り振られ得る。ＳＳＳは、基地局のＰＣＩに少なくとも部分的に基づいて決定され得る。いくつかの例では、ＳＳブロックは、ＢＣＨ  ＴＴＩ内に（たとえば、基地局によって）送信される複数のＳＳブロック中の１つのＳＳブロックであり得る。いくつかの例では、ブロック２３０５における動作は、図１４を参照しながら説明されたＢＣＨ  ＴＴＩリソースアロケータ１４２５を使用して実施され得る。
【０２２２】
[0242]ブロック２３１０において、方法２３００は、たとえば図２〜図７を参照しながら説明されたように、ＢＣＨ  ＴＴＩ内のＴＳＳのタイミングに少なくとも部分的に基づいてＴＳＳを決定することを含み得る。ＴＳＳのタイミングは、ＳＳブロックに関連するＳＳブロックインデックスに少なくとも部分的に基づき得る。ＳＳブロックインデックスはＢＣＨ  ＴＴＩ内のＴＳＳのタイミングを示し得、したがって、ＴＳＳは、ＳＳブロックインデックスに少なくとも部分的に基づいて決定され得る。いくつかの例では、ＴＳＳは、ＴＳＳの波形シグネチャにおいてＳＳブロックインデックスを符号化することによって、またはＴＳＳ中の少なくとも１つの変調シンボル中にＳＳブロックインデックスを含めることによって、ＳＳブロックインデックスに少なくとも部分的に基づいて決定され得る。いくつかの例では、ＳＳブロックインデックスは、ＳＳブロックが送信されるビームをさらに識別し得る。いくつかの例では、ブロック２３０５における動作は、図１４を参照しながら説明されたＴＳＳ決定器１４３０を使用して実施され得る。
【０２２３】
[0243]ブロック２３１５において、方法２３００は、たとえば図２〜図７を参照しながら説明されたように、ＳＳブロックのために割り振られたリソース上で、ＴＳＳとＰＢＣＨとを送信することを含み得る。ＴＳＳは、ＴＳＳとＰＢＣＨとを送信するために使用される少なくとも１つのポート上でＰＢＣＨのためのＤＭＲＳとして送信され得る。いくつかの例では、ＳＳＳは、ＳＳＳとＰＢＣＨとを送信するために使用される少なくとも１つのポート上で、ＰＢＣＨのための追加のＤＭＲＳとして送信され得る。いくつかの例では、ＰＢＣＨは、ＳＳブロックのＳＳブロックインデックスに少なくとも部分的に基づいて送信され得る。いくつかの例では、ブロック２３１５における動作は、ＢＣＨ  ＴＴＩ送信マネージャ１４３５を使用して実施されるか、または図１４を参照しながら説明され得る。
【０２２４】
[0244]方法２３００のいくつかの例では、ＴＳＳとＰＢＣＨとを送信することは、１つまたは複数の周波数サブキャリアの同じセット上でＰＢＣＨと時分割多重化されたＴＳＳを送信することを含み得る。これらの例のうちのいくつかでは、ＳＳブロックはＰＳＳとＳＳＳとをさらに含み得、ＴＳＳと、ＳＳＳと、ＰＢＣＨとを送信することは、ＳＳＳの後にＰＢＣＨとＴＳＳとを送信することを含み得る。
【０２２５】
[0245]方法２３００のいくつかの例では、ＴＳＳとＰＢＣＨとを送信することは、ＰＢＣＨが送信される１つまたは複数の周波数サブキャリアの第２のセットと重複する１つまたは複数の周波数サブキャリアの第１のセット上でＴＳＳを送信することを含み得る。１つまたは複数の周波数サブキャリアの第１のセットは、１つまたは複数の周波数サブキャリアの第２のセットとは異なり得る。いくつかの例では、ＴＳＳとＰＢＣＨとを送信することは、ＰＢＣＨの少なくとも一部分と周波数分割多重化されたＴＳＳを送信することをさらに含み得る。いくつかの例では、ＳＳブロックはＰＳＳとＳＳＳとをさらに含み得、ＳＳＳとＰＢＣＨとを送信することは、ＳＳＳの後にＰＢＣＨの第２の部分を送信することを含み得る。
【０２２６】
[0246]方法２３００のいくつかの例では、ＴＳＳとＰＢＣＨとを送信することは、ＰＢＣＨが送信される１つまたは複数の周波数サブキャリアの第２のセットとインターリーブされた１つまたは複数の周波数サブキャリアの第１のセット上でＴＳＳを送信することを含み得る。これらの例のうちのいくつかでは、ＳＳブロックはＰＳＳとＳＳＳとをさらに含み得、ＴＳＳと、ＰＳＳと、ＳＳＳと、ＰＢＣＨとを送信することは、インターリーブされたＴＳＳおよびＰＢＣＨと周波数分割多重化されたＰＳＳおよびＳＳＳを送信することを含み得る。
【０２２７】
[0247]図２４は、本開示の様々な態様による、ＵＥにおけるワイヤレス通信のための方法２４００の一例を示すフローチャートである。明快のために、方法２４００について、図１、図３、および図１８を参照しながら説明されたＵＥのうちの１つまたは複数の態様、図８を参照しながら説明された装置の態様、あるいは図８〜図１２および図１８を参照しながら説明されたＵＥワイヤレス通信マネージャのうちの１つまたは複数の態様に関して以下で説明される。いくつかの例では、ＵＥは、以下で説明される機能を実施するようにＵＥの機能要素を制御するためのコードの１つまたは複数のセットを実行し得る。追加または代替として、ＵＥは、専用ハードウェアを使用して、以下で説明される機能のうちの１つまたは複数を実施し得る。
【０２２８】
[0248]ブロック２４０５において、方法２４００は、たとえば図２〜図４および図６を参照しながら説明されたように、ＴＳＳと、ＰＳＳと、ＳＳＳとを含むＳＳブロックを受信することを含み得る。ＴＳＳは、ＳＳブロックに関連するＳＳブロックインデックスに少なくとも部分的に基づき得る。いくつかの例では、ＳＳブロックインデックスがＴＳＳの波形シグネチャにおいて符号化されるので、またはＳＳブロックインデックスがＴＳＳ中の少なくとも１つの変調シンボル中に含められるので、ＴＳＳはＳＳブロックインデックスに少なくとも部分的に基づき得る。ＳＳブロックインデックスは、ＢＣＨ  ＴＴＩ内のＴＳＳのタイミングを示し得、したがって、ＢＣＨ  ＴＴＩ内のＳＳブロックのタイミングを示し得る。いくつかの例では、ＳＳＳは、基地局のＰＣＩに少なくとも部分的に基づき得る。いくつかの例では、ＳＳブロックは、ＢＣＨ  ＴＴＩ内の複数のＳＳブロック中の１つのＳＳブロックであり得る。いくつかの例では、ブロック２４０５における動作は、図１０を参照しながら説明されたＢＣＨ  ＴＴＩ受信マネージャ１０２５またはＳＳブロック受信マネージャ１０３０を使用して実施され得る。
【０２２９】
[0249]ブロック２４１０において、方法２４００は、たとえば図２〜図４および図６を参照しながら説明されたように、ＳＳブロックインデックスに少なくとも部分的に基づいて、ＢＣＨ  ＴＴＩ内のＳＳブロックのタイミングを決定することを含み得る。いくつかの例では、ブロック２４１０における動作は、図１０を参照しながら説明された同期マネージャ１０３５を使用して実施され得る。
【０２３０】
[0250]ブロック２４１５において、方法２４００は、本明細書で、たとえば図２〜図４および図６を参照しながら説明されたように、ＳＳＳに少なくとも部分的に基づいてＴＳＳを復調することを含み得る。いくつかの例では、ブロック２４１５における動作は、図１０を参照しながら説明されたＴＳＳ復調器１０４０を使用して実施され得る。
【０２３１】
[0251]ブロック２４２０において、方法２４００は、たとえば図２〜図４および図６を参照しながら説明されたように、ＳＳブロックインデックスに少なくとも部分的に基づいて、ＳＳブロックが送信されるビームを識別することを場合によっては含み得る。いくつかの例では、ブロック２４２０における動作は、図１０を参照しながら説明されたビーム識別器１０４５を使用して実施され得る。
【０２３２】
[0252]ブロック２４２５において、ＳＳブロックがＰＢＣＨを含むとき、方法２４００は、本明細書で、たとえば図２〜図４および図６を参照しながら説明されたように、ＳＳＳに少なくとも部分的に基づいてＰＢＣＨを復調することを場合によっては含み得る。いくつかの例では、ブロック２４２５における動作は、図１０を参照しながら説明されたＰＢＣＨ復調器１０５０を使用して実施され得る。
【０２３３】
[0253]方法２４００のいくつかの例では、ＳＳブロックはＰＢＣＨを含み得、ＴＳＳとＰＢＣＨとを受信することは、１つまたは複数の周波数サブキャリアの同じセット上でＰＢＣＨと時分割多重化されたＴＳＳを受信することを含み得る。これらの例のいくつかでは、ＴＳＳと、ＳＳＳと、ＰＢＣＨとを受信することは、ＳＳＳの後にＰＢＣＨとＴＳＳとを受信することを含み得る。
【０２３４】
[0254]ＳＳブロックがＰＢＣＨを含むとき、方法２４００のいくつかの例では、ＰＢＣＨはＳＳブロックインデックスに少なくとも部分的に基づいて受信され得、方法２１００は、ＳＳブロックインデックスに少なくとも部分的に基づいて、ＰＢＣＨを復号することを含み得る。
【０２３５】
[0255]図２５は、本開示の様々な態様による、基地局におけるワイヤレス通信のための方法２５００の一例を示すフローチャートである。明快のために、方法２５００について、図１、図３、および図１９を参照しながら説明された基地局のうちの１つまたは複数の態様、図１３を参照しながら説明された装置の態様、あるいは図１３〜図１７および図１９を参照しながら説明された基地局ワイヤレス通信マネージャのうちの１つまたは複数の態様に関して以下で説明される。いくつかの例では、基地局は、以下で説明される機能を実施するように基地局の機能要素を制御するためのコードの１つまたは複数のセットを実行し得る。追加または代替として、基地局は、専用ハードウェアを使用して、以下で説明される機能のうちの１つまたは複数を実施し得る。
【０２３６】
[0256]ブロック２５０５において、方法２５００は、たとえば図２〜図４および図６を参照しながら説明されたように、ＳＳブロックのためにリソースを割り振ることを含み得る。ＳＳブロックは、ＴＳＳと、ＰＳＳと、ＳＳＳとを含み得、したがって、リソースは、ＳＳブロック中のＴＳＳと、ＰＳＳと、ＳＳＳとのために割り振られ得る。ＳＳＳは、基地局のＰＣＩに少なくとも部分的に基づいて決定され得る。いくつかの例では、ＳＳブロックはＰＢＣＨをも含み得、リソースは、ＳＳブロック中のＰＢＣＨのために割り振られ得る。いくつかの例では、ＳＳブロックは、ＢＣＨ  ＴＴＩ内に（たとえば、基地局によって）送信される複数のＳＳブロック中の１つのＳＳブロックであり得る。いくつかの例では、ブロック２５０５における動作は、図１５を参照しながら説明されたＳＳブロックリソースアロケータ１５２５を使用して実施され得る。
【０２３７】
[0257]ブロック２５１０において、方法２５００は、たとえば図２〜図４および図６を参照しながら説明されたように、ＢＣＨ  ＴＴＩ内のＴＳＳのタイミングに少なくとも部分的に基づいてＴＳＳを決定することを含み得る。ＴＳＳのタイミングは、ＳＳブロックに関連するＳＳブロックインデックスに少なくとも部分的に基づき得る。ＳＳブロックインデックスはＢＣＨ  ＴＴＩ内のＴＳＳのタイミングを示し得、したがって、ＴＳＳは、ＳＳブロックインデックスに少なくとも部分的に基づいて決定され得る。いくつかの例では、ＴＳＳは、ＴＳＳの波形シグネチャにおいてＳＳブロックインデックスを符号化することによって、またはＴＳＳ中の少なくとも１つの変調シンボル中にＳＳブロックインデックスを含めることによって、ＳＳブロックインデックスに少なくとも部分的に基づいて決定され得る。いくつかの例では、ＳＳブロックインデックスは、ＳＳブロックが送信されるビームをさらに識別し得る。いくつかの例では、ブロック２５０５における動作は、図１５を参照しながら説明されたＴＳＳ決定器１５３０を使用して実施され得る。
【０２３８】
[0258]ブロック２５１５において、方法２５００は、たとえば図２〜図４および図６を参照しながら説明されたように、ＳＳブロックのために割り振られたリソース上で、ＴＳＳ  ＰＳＳ、およびＳＳＳを送信することを含み得る。ＳＳＳは、ＴＳＳとＳＳＳとを送信するために使用される少なくとも１つのポート上でＴＳＳのためのＤＭＲＳとして送信され得る。ＳＳブロックがＰＢＣＨを含むとき、ＳＳＳも、ＳＳＳとＰＢＣＨとを送信するために使用される少なくとも１つのポート上で、ＰＢＣＨのためのＤＭＲＳとして送信され得る。いくつかの例では、ＰＢＣＨは、ＳＳブロックのＳＳブロックインデックスに少なくとも部分的に基づいて送信され得る。いくつかの例では、ブロック２５１５における動作は、図１５を参照しながら説明されたＢＣＨ  ＴＴＩ送信マネージャ１５３５またはＳＳブロック送信マネージャ１５４０を使用して実施され得る。
【０２３９】
[0259]ＳＳブロックがＰＢＣＨを含むとき、方法２５００のいくつかの例では、ＴＳＳとＰＢＣＨとを送信することは、１つまたは複数の周波数サブキャリアの同じセット上でＰＢＣＨと時分割多重化されたＴＳＳを送信することを含み得る。これらの例のうちのいくつかでは、ＴＳＳと、ＳＳＳと、ＰＢＣＨとを送信することは、ＳＳＳの後にＰＢＣＨとＴＳＳとを送信することを含み得る。
【０２４０】
[0260]図２６は、本開示の様々な態様による、ＵＥにおけるワイヤレス通信のための方法２６００の一例を示すフローチャートである。明快のために、方法２６００について、図１、図３、および図１８を参照しながら説明されたＵＥのうちの１つまたは複数の態様、図８を参照しながら説明された装置の態様、あるいは図８〜図１２および図１８を参照しながら説明されたＵＥワイヤレス通信マネージャのうちの１つまたは複数の態様に関して以下で説明される。いくつかの例では、ＵＥは、以下で説明される機能を実施するようにＵＥの機能要素を制御するためのコードの１つまたは複数のセットを実行し得る。追加または代替として、ＵＥは、専用ハードウェアを使用して、以下で説明される機能のうちの１つまたは複数を実施し得る。
【０２４１】
[0261]ブロック２６０５において、方法２６００は、たとえば図２〜図７を参照しながら説明されたように、ＴＳＳを含むＳＳブロックを受信することを含み得る。ＴＳＳは少なくとも１つの変調シンボルを含み得る。いくつかの例では、少なくとも１つの変調シンボルは、ＱＰＳＫシンボルまたはＢＰＳＫシンボルを含み得る。いくつかの例では、ＳＳブロックは、ＰＳＳ、ＳＳＳ、および／またはＰＢＣＨをも含み得る。いくつかの例では、ＳＳＳは、基地局のＰＣＩに少なくとも部分的に基づき得る。いくつかの例では、ＳＳブロックは、ＢＣＨ  ＴＴＩ内の複数のＳＳブロック中の１つのＳＳブロックであり得る。いくつかの例では、ブロック２６０５における動作は、図１１を参照しながら説明されたＳＳブロック受信マネージャ１１２５を使用して実施され得る。
【０２４２】
[0262]ブロック２６１０において、方法２６００は、たとえば図２〜図７を参照しながら説明されたように、少なくとも１つの変調シンボルにおいて符号化されたＳＳブロックインデックスを復号することを含み得る。ＳＳブロックインデックスは、ＢＣＨ  ＴＴＩ内のＴＳＳのタイミングを示し得、したがって、ＢＣＨ  ＴＴＩ内のＳＳブロックのタイミングを示し得る。いくつかの例では、ＳＳブロックインデックスは、ポーラーコード、またはリードミュラーコード、またはゴレイコード、またはＴＢＣＣを使用して少なくとも１つの変調シンボルにおいて符号化され得る。いくつかの例では、ブロック２６１０における動作は、図１１を参照しながら説明されたＴＳＳペイロードデコーダ１１３０を使用して実施され得る。
【０２４３】
[0263]ブロック２６１５において、方法２６００は、たとえば図２〜図７を参照しながら説明されたように、ＢＣＨ  ＴＴＩ内に、上記ＳＳブロックを含む、複数のＳＳブロックを受信するために使用されるビーム掃引構成の少なくとも１つのパラメータを少なくとも１つの変調シンボルから復号することを場合によっては含み得る。いくつかの例では、ビーム掃引構成の少なくとも１つのパラメータは、ＳＳブロックバーストセット中のビームの数、またはＳＳブロックバーストセットの周期性、あるいはそれらの組合せを含み得る。いくつかの例では、ブロック２６１５における動作は、図１１を参照しながら説明されたＴＳＳペイロードデコーダ１１３０を使用して実施され得る。
【０２４４】
[0264]ブロック２６２０において、方法２６００は、たとえば図２〜図７を参照しながら説明されたように、ＳＳブロックインデックスに少なくとも部分的に基づいて、ＢＣＨ  ＴＴＩ内のＳＳブロックのタイミングを識別することを含み得る。いくつかの例では、ブロック２６２０における動作は、図１１を参照しながら説明された同期マネージャ１１３５を使用して実施され得る。
【０２４５】
[0265]いくつかの例では、方法２６００は、少なくとも１つの変調シンボルにおいて符号化されたＳＳブロックインデックスのＣＲＣを復号することと、そのＣＲＣに少なくとも部分的に基づいてＳＳブロックインデックスを検証することとを場合によっては含み得る。
【０２４６】
[0266]図２７は、本開示の様々な態様による、基地局におけるワイヤレス通信のための方法２７００の一例を示すフローチャートである。明快のために、方法２７００について、図１、図３、および図１９を参照しながら説明された基地局のうちの１つまたは複数の態様、図１３を参照しながら説明された装置の態様、あるいは図１３〜図１７および図１９を参照しながら説明された基地局ワイヤレス通信マネージャのうちの１つまたは複数の態様に関して以下で説明される。いくつかの例では、基地局は、以下で説明される機能を実施するように基地局の機能要素を制御するためのコードの１つまたは複数のセットを実行し得る。追加または代替として、基地局は、専用ハードウェアを使用して、以下で説明される機能のうちの１つまたは複数を実施し得る。
【０２４７】
[0267]ブロック２７０５において、方法２７００は、たとえば図２〜図７を参照しながら説明されたように、ＳＳブロックのためにリソースを割り振ることを含み得る。ＳＳブロックは、ＴＳＳ、ＰＳＳ、ＳＳＳ、および／またはＰＢＣＨを含み得、したがって、リソースは、ＳＳブロック中のＴＳＳ、ＰＳＳ、ＳＳＳ、および／またはＰＢＣＨのために割り振られ得る。ＳＳＳは、基地局のＰＣＩに少なくとも部分的に基づいて決定され得る。いくつかの例では、ＳＳブロックは、ＢＣＨ  ＴＴＩ内に（たとえば、基地局によって）送信される複数のＳＳブロック中の１つのＳＳブロックであり得る。いくつかの例では、ブロック２７０５における動作は、図１６を参照しながら説明されたＳＳブロックリソースアロケータ１６２５を使用して実施され得る。
【０２４８】
[0268]ブロック２７１０において、方法２７００は、たとえば図２〜図７を参照しながら説明されたように、少なくとも１つの変調シンボルにおいてＳＳブロックインデックスを符号化することを含み得る。いくつかの例では、少なくとも１つの変調シンボルは、ＱＰＳＫシンボルまたはＢＰＳＫシンボルを含み得る。ＳＳブロックインデックスは、ＢＣＨ  ＴＴＩ内のＴＳＳのタイミングを示し得、したがって、ＢＣＨ  ＴＴＩ内のＳＳブロックのタイミングを示し得る。いくつかの例では、ＳＳブロックインデックスは、ポーラーコード、またはリードミュラーコード、またはゴレイコード、またはＴＢＣＣを使用して少なくとも１つの変調シンボルにおいて符号化され得る。いくつかの例では、ブロック２７１０における動作は、図１６を参照しながら説明されたＴＳＳペイロードエンコーダ１６３０を使用して実施され得る。
【０２４９】
[0269]ブロック２７１５において、方法２７００は、たとえば図２〜図７を参照しながら説明されたように、ＢＣＨ  ＴＴＩ内に、上記ＳＳブロックを含む、複数のＳＳブロックを送信するために使用されるビーム掃引構成の少なくとも１つのパラメータを少なくとも１つの変調シンボルにおいて符号化することを場合によっては含み得る。いくつかの例では、ビーム掃引構成の少なくとも１つのパラメータは、ＳＳブロックバーストセット中のビームの数、またはＳＳブロックバーストセットの周期性、あるいはそれらの組合せを含み得る。いくつかの例では、ブロック２７１５における動作は、図１６を参照しながら説明されたＴＳＳペイロードエンコーダ１６３０を使用して実施され得る。
【０２５０】
[0270]ブロック２７２０において、方法２７００は、たとえば図２〜図７を参照しながら説明されたように、ＳＳブロックのために割り振られたリソース上で、少なくとも１つの変調シンボルを含むＴＳＳを送信することを含み得る。いくつかの例では、ブロック２７２０における動作は、図１６を参照しながら説明されたＳＳブロック送信マネージャ１６３５またはＴＳＳ送信マネージャ１６４０を使用して実施され得る。
【０２５１】
[0271]いくつかの例では、方法２７００は、ＳＳブロックインデックスのＣＲＣを生成することと、ＳＳブロックインデックスとともに、少なくとも１つの変調シンボル中でＣＲＣを符号化することとを場合によっては含み得る。
【０２５２】
[0272]図２８は、本開示の様々な態様による、ＵＥにおけるワイヤレス通信のための方法２８００の一例を示すフローチャートである。明快のために、方法２８００について、図１、図３、および図１８を参照しながら説明されたＵＥのうちの１つまたは複数の態様、図８を参照しながら説明された装置の態様、あるいは図８〜図１２および図１８を参照しながら説明されたＵＥワイヤレス通信マネージャのうちの１つまたは複数の態様に関して以下で説明される。いくつかの例では、ＵＥは、以下で説明される機能を実施するようにＵＥの機能要素を制御するためのコードの１つまたは複数のセットを実行し得る。追加または代替として、ＵＥは、専用ハードウェアを使用して、以下で説明される機能のうちの１つまたは複数を実施し得る。
【０２５３】
[0273]ブロック２８０５において、方法２８００は、たとえば図２〜図４および図６を参照しながら説明されたように、ＴＳＳとＰＢＣＨとを含むＳＳブロックを受信することを含み得る。ＴＳＳは、ＳＳブロックに関連するＳＳブロックインデックスに少なくとも部分的に基づき得る。いくつかの例では、ＳＳブロックインデックスがＴＳＳの波形シグネチャにおいて符号化されるので、またはＳＳブロックインデックスがＴＳＳ中の少なくとも１つの変調シンボル中に含められるので、ＴＳＳはＳＳブロックインデックスに少なくとも部分的に基づき得る。ＳＳブロックインデックスは、ＢＣＨ  ＴＴＩ内のＴＳＳのタイミングを示し得、したがって、ＢＣＨ  ＴＴＩ内のＳＳブロックのタイミングを示し得る。いくつかの例では、ＳＳブロックはＰＳＳとＳＳＳとをさらに含み得る。いくつかの例では、ＳＳＳは、基地局のＰＣＩに少なくとも部分的に基づき得る。いくつかの例では、ＳＳブロックは、ＢＣＨ  ＴＴＩ内の複数のＳＳブロック中の１つのＳＳブロックであり得る。いくつかの例では、ブロック２８０５における動作は、図１２を参照しながら説明されたＢＣＨ  ＴＴＩ受信マネージャ１２２５またはＳＳブロック受信マネージャ１２３０を使用して実施され得る。
【０２５４】
[0274]ブロック２８１０において、方法２８００は、本明細書で、たとえば図２〜図４および図６を参照しながら説明されたように、同じＤＭＲＳに少なくとも部分的に基づいてＴＳＳとＰＢＣＨとを復調することを含み得る。いくつかの例では、ＤＭＲＳはＳＳブロック中にＳＳＳを含み得る。いくつかの例では、ブロック２８１０における動作は、図１２を参照しながら説明された復調器１２３５を使用して実施され得る。
【０２５５】
[0275]ブロック２８１５において、方法２８００は、たとえば図２〜図４および図６を参照しながら説明されたように、ＳＳブロックインデックスに少なくとも部分的に基づいて、ＢＣＨ  ＴＴＩ内のＳＳブロックのタイミングを識別することを含み得る。いくつかの例では、ブロック２８１５における動作は、図１２を参照しながら説明された同期マネージャ１２４０を使用して実施され得る。
【０２５６】
[0276]図２９は、本開示の様々な態様による、基地局におけるワイヤレス通信のための方法２９００の一例を示すフローチャートである。明快のために、方法２９００について、図１、図３、および図１９を参照しながら説明された基地局のうちの１つまたは複数の態様、図１３を参照しながら説明された装置の態様、あるいは図１３〜図１７および図１９を参照しながら説明された基地局ワイヤレス通信マネージャのうちの１つまたは複数の態様に関して以下で説明される。いくつかの例では、基地局は、以下で説明される機能を実施するように基地局の機能要素を制御するためのコードの１つまたは複数のセットを実行し得る。追加または代替として、基地局は、専用ハードウェアを使用して、以下で説明される機能のうちの１つまたは複数を実施し得る。
【０２５７】
[0277]ブロック２９０５において、方法２９００は、たとえば図２〜図４および図６を参照しながら説明されたように、ＳＳブロックのためにリソースを割り振ることを含み得る。ＳＳブロックはＴＳＳとＰＢＣＨとを含み得、したがって、リソースは、ＳＳブロック中のＴＳＳとＰＢＣＨとのために割り振られ得る。ＳＳブロックはＰＳＳとＳＳＳとをも含み得、ＳＳブロック中のリソースはＰＳＳとＳＳＳとのために割り振られ得る。ＳＳＳは、基地局のＰＣＩに少なくとも部分的に基づいて決定され得る。いくつかの例では、ＳＳブロックは、ＢＣＨ  ＴＴＩ内に（たとえば、基地局によって）送信される複数のＳＳブロック中の１つのＳＳブロックであり得る。いくつかの例では、ブロック２９０５における動作は、図１７を参照しながら説明されたＳＳブロックリソースアロケータ１７２５を使用して実施され得る。
【０２５８】
[0278]ブロック２９１０において、方法２９００は、たとえば図２〜図４および図６を参照しながら説明されたように、ＳＳブロックに関連するＳＳブロックインデックスに少なくとも部分的に基づいてＴＳＳを決定することを含み得る。ＳＳブロックインデックスは、ＢＣＨ  ＴＴＩ内のＳＳブロックのタイミングを示し得る。いくつかの例では、ブロック２９１０における動作は、図１７を参照しながら説明されたＴＳＳ決定器１７３０を使用して実施され得る。
【０２５９】
[0279]ブロック２９１５において、方法２９００は、たとえば図２〜図４および図６を参照しながら説明されたように、ＳＳブロックのために割り振られたリソース上で、ＴＳＳとＰＢＣＨとを送信することを含み得る。送信されるＳＳブロックは、ＤＭＲＳと、ＴＳＳと、ＰＢＣＨとを送信するために使用される少なくとも１つのポート上でＴＳＳとＰＢＣＨとについて同じＤＭＲＳを含み得る。いくつかの例では、ＤＭＲＳはＳＳブロック中にＳＳＳを含み得る。いくつかの例では、ブロック２９１５における動作は、図１７を参照しながら説明されたＢＣＨ  ＴＴＩ送信マネージャ１７３５を使用して実施され得る。
【０２６０】
[0280]図２０〜図２９を参照しながら説明された方法２０００、２１００、２２００、２３００、２４００、２５００、２６００、２７００、２８００、および２９００は、ワイヤレス通信を提供し得る。本方法は、本開示で説明された技法のうちのいくつかの例示的な実装形態であり、本方法の動作は、他の実装形態が可能となるように、並べ替えられるか、同じまたは異なる方法の他の動作と組み合わされるか、あるいは他の方法で変更され得ることに留意されたい。いくつかの例では、方法２０００、２１００、２４００、２６００、または２８００の動作が組み合わされ得る。いくつかの例では、方法２２００、２３００、２５００、２７００、または２９００の動作が組み合わされ得る。いくつかの例では、本方法に動作が追加され得る。
【０２６１】
[0281]本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、ＣＤＭＡ２０００  １Ｘ、１Ｘなどと呼ばれることがある。ＩＳ−８５６（ＴＩＡ−８５６）は、ＣＤＭＡ２０００  １ｘＥＶ−ＤＯ、高速パケットデータ（ＨＲＰＤ）などと呼ばれることがある。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）のＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、３ＧＰＰと称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明された技法は、無認可または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０２６２】
[0282]添付の図面に関して上記に記載された詳細な説明は、例について説明しており、実装され得るかまたは特許請求の範囲内に入る例のすべてを表すとは限らない。「例」および「例示的」という用語は、本明細書で使用されるとき、「例、事例、または例示として働くこと」を意味し、「好ましい」または「他の例よりも有利な」を意味しない。詳細な説明は、説明された技法の理解を与えるための具体的な詳細を含む。ただし、これらの技法は、これらの具体的な詳細なしに実践され得る。いくつかの事例では、説明される例の概念を不明瞭にすることを回避するために、よく知られている構造および装置はブロック図の形態で示されている。
【０２６３】
[0283]情報および信号は、種々の異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２６４】
[0284]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０２６５】
[0285]本明細書で説明された機能は、ハードウェア、プロセッサによって実行されるソフトウェア、ファームウェア、またはそれらの任意の組合せにおいて実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示および添付の特許請求の範囲の範囲および趣旨内に入る。たとえば、ソフトウェアの性質により、上記で説明された機能は、プロセッサによって実行されるソフトウェア、ハードウェア、ファームウェア、ハードワイヤリング、またはこれらのいずれかの組合せを使用して実装されることが可能である。機能を実装する構成要素はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「または」という用語は、列挙された項目のうちのいずれか１つが単独で採用されることが可能であること、または列挙された項目のうちの２つ以上の任意の組合せが採用されることが可能であることを意味する。たとえば、組成が構成要素Ａ、Ｂ、またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２６６】
[0286]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされることが可能である任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態で所望のプログラムコード手段を搬送または記憶するために使用されることが可能であり、汎用もしくは専用コンピュータ、または汎用もしくは専用プロセッサによってアクセスされることが可能である、任意の他の媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。上記の組合せもコンピュータ可読媒体の範囲内に含まれる。
【０２６７】
[0287]本開示についての以上の説明は、当業者が本開示を作成または使用することができるように与えられる。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示される原理および新規の技法に合致する最も広い範囲を与えられるべきである。
【図１】
2020515165.tif 000003
【図２】
2020515165.tif 000004
【図３】
2020515165.tif 000005
【図４】
2020515165.tif 000006
【図５】
2020515165.tif 000007
【図６】
2020515165.tif 000008
【図７】
2020515165.tif 000009
【図８】
2020515165.tif 000010
【図９】
2020515165.tif 000011
【図１０】
2020515165.tif 000012
【図１１】
2020515165.tif 000013
【図１２】
2020515165.tif 000014
【図１３】
2020515165.tif 000015
【図１４】
2020515165.tif 000016
【図１５】
2020515165.tif 000017
【図１６】
2020515165.tif 000018
【図１７】
2020515165.tif 000019
【図１８】
2020515165.tif 000020
【図１９】
2020515165.tif 000021
【図２０】
2020515165.tif 000022
【図２１】
2020515165.tif 000023
【図２２】
2020515165.tif 000024
【図２３】
2020515165.tif 000025
【図２４】
2020515165.tif 000026
【図２５】
2020515165.tif 000027
【図２６】
2020515165.tif 000028
【図２７】
2020515165.tif 000029
【図２８】
2020515165.tif 000030
【図２９】
2020515165.tif 000031
【国際調査報告】
2020515165.tif 000032
2020515165.tif 000033
2020515165.tif 000034
2020515165.tif 000035